(57)【要約】本発明は、ハンマー、スクリュー・ドライバー、コテ、プライヤ、ナイフなどの工具用グリップに関連している。発明に基づき、グリップ（１）は間欠サンドイッチ法で製造され、その場合、グリップ・コア被覆（９）、軟質層（１０）および外部層（１１）によって、グリップ・コア（６）を簡単な方法で覆うことができる。グリップ・コア（９）と外部層（１１）は、ここでは第一材料によって形成され、一方、軟質層（１０）は、それより柔らかい第二材料によって形成されている。【選択図】図５
2009520609.tif 000002
【特許請求の範囲】
【請求項１】
硬質材料によるグリップ・コア（６）、軟質の第一材料（２２）による外部層（２７）および外部層（２７）の内側にあり、半径方向の外側の層に接している軟質の第二材料（２３）による内側の層（２８）を有し、その際、層（２７、２８）の層の厚さと剛性は、使用者がグリップ（１）に手で力を加えた場合、外部層（２７）と内側の層（２８）の両方に弾性による変形が生じ、
ａ）まず、鋳型（１６）に第一材料（２２）が注入され、
ｂ）第一材料（２２）の注入に続いて、鋳型（１６）内の第一材料（２２）が最終的に硬化する前に、第二材料（２３）が液状のままの第一材料（２２）中に注入され、その際、第二材料（２３）の注入によって第一材料（２２）が空間的に押しやられ、鋳型（１６）の壁に当たるまで移動し、
ｃ）硬化した後、
ｃａ）  外側の層（２７）は第一材料（２２）で形成され、
ｃｂ）  内側の層（２８）は第二材料（２２）で形成される、
以上の段階を経る工具用グリップ（１）の製造方法。
【請求項２】
内側の層（２８）および外側の層（２７）が閉じた構造をもって製造されることを特徴とする、請求項１に記載の方法。
【請求項３】
第二材料（２３）が第一材料（２２）よりも柔らかいことを特徴とする、請求項１または２に記載の方法。
【請求項４】
第一材料（２２）の注入に続いて、鋳型（１６）内の第一材料（２２）が最終的に硬化する前に、第二材料（２３）が注入され、
ａ）第一材料（２２）が部分的に第二材料（２３）によって外側へ押しやられ、硬化した後、そこでグリップ（１）の外皮面（１４）の少なくとも一部を形成し、
ｂ）第一材料（２２）が部分的に第二材料（２３）によって内側に押しやられ、硬化した後、そこで内部層（グリップ・コア被覆９）の少なくとも一部を形成する、
以上のように材料が流れることを特徴とする、請求項１〜３に記載の方法。
【請求項５】
鋳型（１６）内で第一材料（２２）が最終的に硬化する前に、第二材料（２３）が少なくとも２つの注入口（２２、２１）から注入され、材料が互いに逆方向へ流れることによって、第一材料（２２）が、
ａ）部分的に第二材料（２３）によって外側へ押しやられ、硬化した後、そこでグリップ（１）の外皮面（１４）の少なくとも一部を形成し、
ｂ）少なくとも、互いに逆方向に流れた分流が遭遇する部分で、第一材料（２２）が留まり、それによって、硬化した後、その部分で第一材料（２２）によるウェブ、突出部または突起部（１２）を形成し、これらが材料結合的に外側の層（２７）および/または内部層（グリップ・コア被覆９）に接続されている、
以上のことを特徴とする、請求項１〜４に記載の方法。
【請求項６】
反対方向に流れる分流が遭遇する部分において、冷却された第一材料（２２）の外層が移動したり、溶けたりするのではなく、一体化することによって、硬化した後、この部分において、第一材料（２２）によるウェブ、突出部または突起部（１２）が形成され、これらは材料結合的に外側の層（２７）および/または内部層（グリップ・コア被覆９）に接続されていることを特徴とする、請求項５に記載の方法。
【請求項７】
第一材料（２２）と第二材料（２３）の注入が同一の吸入口（２０;２１）から行われることを特徴とする、請求項１〜６に記載の方法。
【請求項８】
第一材料（２２）と第二材料（２３）が、材料の流れを中断せずに、時間的に途切れることなく順番に注入されることを特徴とする、請求項７に記載の方法。
【請求項９】
周辺方向に互いに向かい合う２つの吸入口（２０、２１）が準備されていることを特徴とする、請求項７または８に記載の方法。
【請求項１０】
唯一の吸入口（２０;２１）が準備されていることを特徴とする、請求項７または８に記載の方法。
【請求項１１】
材料（２２、２３）を注入する前に、グリップ・コア（６）が鋳型（１６）の中にセットされることを特徴とする、請求項１〜１０に記載の方法。
【請求項１２】
グリップ・コア（６）がアイ（１５）を有し、ウェブ、突出部または突起部（１２）が形成される部分にアイ（１５）があるようにグリップ・コア（６）が鋳型（１６）の中にセットされ、吸入口（２０、２１）と向かい合っていることを特徴とする、請求項１１に記載の方法。
【請求項１３】
グリップ・コア（６）が半径方向の外側に方向づけられた突起部（８）を有し、逆方向の分流が互いに遭遇し、ウェブ、突出部または突起部（１２）が形成される部分に突起部（８）が伸びるように、グリップ・コア （６） が鋳型の中にセットされることを特徴とする、請求項１１または１２に記載の方法。
【請求項１４】
逆方向の分流が遭遇し、ウェブ、突出部または突起部（１２）が形成される部分に対して、鋳型（１６）の分割面が約９０°ずれていることを特徴とする、請求項１〜１３に記載の方法。
【請求項１５】
グリップ・コア（６）が向かい合う２つの先端部（１７、１８）を有し、それらが外皮面（１４）の末端部分を形成し、その際、先端部（１７、１８）、グリップ・コア（６）またはグリップ・コア被覆（９）および鋳型（１６）は、材料（２２、２３）が注入される前に、チャンバ（１９）を形成していることを特徴とする、請求項１１〜１４に記載の方法。
【請求項１６】
工具が２つのプライヤ・リム（２５）をもつプライヤであり、リムは、それぞれグリップ（１）によって覆われており、その際、第一材料（２２）および第二材料（２３）の吸入口（２０）が、組み立てられた状態で、互いに別の方向を向いたプライヤ・リム（２５）の側に配置されているか、グリップの後方または前方の端部に配置されていることを特徴とする、請求項１〜１５に記載の方法。
【請求項１７】
第一材料（２２）が注入され、その硬度が２５〜９０ショアＡ、優先的には３０〜８５ショアＡ、とくに３０〜６０ショアＡであることを特徴とする、請求項１〜１６に記載の方法。
【請求項１８】
第二材料（２３）が注入され、その硬度が１０〜４０ショアＡ、優先的には１５〜３５ショアＡであることを特徴とする、請求項１〜１７に記載の方法。
【請求項１９】
内側の層（２８）の半径方向への広がりが小さい２つの部分が生じるように、注入条件が規定されることを特徴とする、請求項１〜１８に記載の方法。
【請求項２０】
グリップ・コア（６）に突起部（８）が準備され、これらが外側の層（２７）の内面まで伸びていることを特徴とする、請求項１〜１９に記載の方法。
【請求項２１】
主として長方形の断面をもつグリップ・コア（６）が挿入され、その長い方の面が外側の層（２７）とかなり近い距離まで伸びていることを特徴とする、請求項１〜１９に記載の方法。
【請求項２２】
外側の層の厚さが０.５〜４ｍｍになるように注入条件が設定されることを特徴とする、請求項１〜２１に記載の方法。
【請求項２３】
内側の層（２８）の半径方向への広がりが、少なくともグリップの最大直径の部分で外側の層（２７）の半径方向への広がりよりも大きくなるように注入条件が設定されることを特徴とする、請求項１〜２２に記載の方法。
【請求項２４】
グリップ（１）の最大直径（直径＝２.０×半径（３４））とグリップ・コアの直径（直径＝２.０×半径（３３））の比が、少なくとも同じ地点で、１.５よりも大きく、とくに２よりも大きくなるように注入条件が設定されることを特徴とする、請求項１〜２３に記載の方法。
【請求項２５】
外側の層（２７）が、少なくとも軸方向の広がり（２９）の部分で、最大ｍｍの一定の厚さを有するように注入条件が設定されることを特徴とする、請求項１〜２４に記載の方法。
【請求項２６】
第一材料（２２）として、熱可塑性エラストマ、熱可塑性ポリオレフィン、ポリプロピレン、EPDMカウチュック、PVC、スチロール・ブロック共重合体が注入されることを特徴とする、請求項１〜２５に記載の方法。
【請求項２７】
外側の層（２７）が充填材を有することを特徴とする、請求項１〜２６に記載の方法。
【請求項２８】
グリップ（１）の外皮面（１４）がシート・フォイルによって形成され、材料結合的に内部の層に接合されていることを特徴とする、請求項１〜２７に記載の方法。
【請求項２９】
材料（２２、２３）の吸入口（２０、２１）が相互に軸方向にずれて配置されていることを特徴とする、請求項１〜２８に記載の方法。
【請求項３０】
請求項１〜２９に記載の特徴を有し、請求項１〜２９に記載の方法によって製造される、とくにスクリュー・ドライバーに用いる工具用グリップ。
【発明の詳細な説明】
【技術分野】
【０００１】
本発明は、とくにねじりモーメントを伝達する工具のグリップ製造方法に関するものであり、例えば、スクリュー・ドライバー用グリップの製造方法に関連している。
【背景技術】
【０００２】
工具グリップの形態基準および評価基準には、とくに以下のものがある。
−グリップの製造コスト
−グリップの重さ
−ひとつの手、場合によっては様々な大きさの手、および様々なグリップ使用者の力に対応するグリップの適応性
−力およびモーメント、とくにスクリュー・ドライバーのようなねじりモーメントを伝達する工具のねじりモーメント伝達性能
従来の技術から、工具用グリップおよびその製造方法については、以下に示すように様々な形態が公知である。
【０００３】
スクリュー・ドライバー専用グリップ
ＵＳ−ＰＳ２,８７１,８９９は、グリップの触覚を改善する目的で、硬質プラスチック製スクリュー・ドライバーのような工具用グリップを最初に改良したものである。これによると、あらかじめ製造された軟質プラスチック製の外被がグリップ・コアに貼り付けられる。グリップ・コアとグリップ外被とは、ねじりモーメントを伝達するために、溝を取り付けることによる周辺方向への形状結合によって相互に接続されている。軟質プラスチックを使用することにより、グリップの握りが向上する。しかし、このグリップの実地テストでは、負荷が大きい場合に、軟質のグリップ外被がグリップ・コアから外れて、皺ができる可能性のあることが示された。これは「縮絨」と呼ばれ、グリップ外被がコアから離れることにより、グリップを長時間連続して使用する場合に、使用者の手の表面に水疱ができて痛みが生じ、炎症を引き起こしかねない過度の負担が手の骨にかかることになる。
【０００４】
このような欠点を解消するために、材料結合的に接続することでグリップ・コアをグリップ外被と結合する以下の方法が提案された。その際、軟質プラスチックは、
−周辺方向へ配分されたグリップ外被部分のみを形成する、または、
−周辺方向に密閉された状態でグリップ・コアを取り囲む。
とくに、ＤＥ９２０２５５０Ｕ１、ＤＥ４３０４９６５Ａ１、ＤＥ２９５１５８３３Ｕ１、ＤＥ１９５３９２００Ａ１、ＤＥ２９５１７２７６Ｕ１、ＤＥ２９９００７４６Ｕ１、ＤＥ２９９０４０８２Ｕ１を参照。
【０００５】
このように、２種類のプラスチック構成部品から作られたグリップの場合、工具は、第一グリップ部分である硬質プラスチックのグリップ・コアに固定されている。このようなグリップ・コアは、引き続き、軟質プラスチックのグリップ外被で押し出し被覆され（例えば、ＥＰ０６２７９７４Ｂ１を参照）、この部分は第二グリップ部分とも呼ばれる。軟質プラスチックのグリップ外被には一定の柔軟性があり、硬質プラスチックのみで作られたグリップよりも握った時の感触がよくなる。さらに、軟質プラスチックは、場合によっては硬質プラスチックよりも高い摩擦係数を有する。従って、場合によっては、このような「２種類の構成部品によるグリップ」を用いた方が、同サイズの硬質プラスチック製グリップを使用するよりもさらに高いねじりモーメントを伝達することができる。このことは、スクリュー・ドライバー、ねじクランプなどのグリップでは重要となる。
【０００６】
ＵＳ２,８７１,８９９は、グリップ・コアに縦方向の穴を設け、その穴に工具のシャフトを圧入し、摩擦接続するという、ねじりモーメントを伝達するグリップを発表している。このグリップ・コアは、シリンダ形の面を有し、内径とほぼ同じ大きさのスリーブをその上にはめ込むことができ、スリーブはそこで摩擦により保持されている。スリーブの材質は、グリップ・コアの材質よりも柔軟で、緩衝作用がより強い。そのために、例えば、硬度が４０〜９０ショアＡで、緩衝性のある、ゴムに似た材料が使用されている。とくにネオプレン・ゴムは硬度が５５〜７０ショアＡであり、引張強さは、約３５０％の伸びで１５００〜２０００ポンド／インチ２である。スリーブとグリップ・コアとの摩擦接続の他に、接着剤を使用したり、前後方向に弾性のある形状結合を用いたりすることもできる。このスリーブは、射出成形部品にすることができる。さらに、周辺方向への形状結合を行うために、グリップ・コアの外面およびスリーブの内面に前後方向に走る溝、突出部または歯を取り付けることができる。
【０００７】
ＤＥ６９４２１７６５Ｔ２(ＥＰ０６３５３３７Ｂ１)は、スクリュー・ドライバーのシャフトの上にプラスチック材料を重ね合わせて層を形成するという従来の技術を前提としている。スクリュー・ドライバーのシャフトが埋め込まれている中心の層は、第一層として形成され、グリップの外周となる層がこの中心層の上、または中間層の上に形成される。このような形態には、複数の押出しヘッド（通常は２つまたは３つのヘッド）を使ったトランスファー成形が用いられる。これに基づいて、この文献では、スクリュー・ドライバーのシャフトをプラスチック・グリップに埋め込むことを提案している。グリップ外被面の前方部分は、プラスチック・スリーブによって形成されている。プラスチック・スリーブは、断面がリング状で、２つの部分が同軸上で相互に入り込むように形成されており、その際、内側の部分は射出成形方式で製造されており、この部分の上で外被面を形成するもうひとつの部分も、射出成形方式で形成される。プラスチック・スリーブの両方の部分を形状結合的に接続するために、これらの部分には補足的に凸部と凹部とがある。このスリーブは、２つの押出しヘッドをもつ従来の成形プレスで製造される。その後に続くプロセスで、このスリーブの中に半径すき間を形成してシャフトが取り付けられる。次に、プラスチック材料によって、スリーブ先端部分から外側の半径方向に、スリーブ内部、グリップの丸い先端部および端部側の外被部分の隙間が満たされるように、プラスチック材料が適当なフォームの中に注入される。スリーブの内側部分は、スリーブの外側部分よりも硬いプラスチックで形成されている。その結果、これは、弾性のある比較的薄いプラスチック外層と硬質プラスチックのグリップ・コアとを有し、一般に流通している２種類の構成部品からなるグリップとなるが、手で加える力の作用による変形は起きない。
【０００８】
ＥＰ１３１４５１９Ａ１は、同様にスクリュー・ドライバーのグリップに関するものである。この場合、シャフトは、比較的硬いプラスチックからなるグリップ・コアに埋め込まれている。グリップ・コアは、少なくとも部分的に変形可能なエラストマ材料で覆われている。この変形可能な外被材料の損傷を防ぐために、外被には薄いコーティングが施されており、このコーティングが保護層およびエラストマ外被の保持層を形成する。変形可能な外被にエラストマ材料を使用する代わりに、ゲル材料を使用することもできる。さらに、この文献では、スリーブの中に密閉された変形可能な被覆（ここではゲル・クッション）を配置することが発表されている。このようなスリーブを、ショベルの柄やハンマーの柄に取り付けて、そこにグリップを作ることができる。グリップ表面が少なくとも部分的に変形可能であることにより、例えば、ある一定の個所を使用者が他の個所よりも強い力で握るときに、グリップの変形が可能となる。使用者の手が標準の形および標準サイズではない場合でも、この方法で、グリップの握りおよび操作がうまく行えるようになる。外被が変形する度合は、個々の場合の状態およびグリップの種類またはこのグリップと一緒に使用される工具の種類に左右される。グリップの変形は、例えば、使用者が握るグリップ・エレメントの全範囲に広げることが可能である。同様に、変形をグリップ表面の一部分に制限することも可能である。例えば、使用者の手のひらが触れる部分は変形可能にし、使用者の指先が触れるグリップ部分は変形しないように形成することもできる。このようなグリップ表面の仕様は、例えばスクリュー・ドライバーなど、グリップ表面の特定の部分が、指先で工具を素早く回転させることを考慮して形成されている場合に用いられる。この場合、グリップ表面の変形はグリップ表面から特定の深さまでに制限されていなければならない。内部には硬いグリップ・コアがあり、これは、シャフトとの接続に働くだけではなく、手から工具へ動きを伝達するための強固な支えでもある。しかし、変形可能な層の厚さが小さすぎるため、使用者の手に合わせてグリップを調整することはできない。
【０００９】
申請者ＤＥ９２０２５５０Ｕ１は、ポリプロピレンなどの硬質プラスチックのグリップ・コアを有した、２種類の構成部品からなるスクリュー・ドライバー用グリップを発表しており、第一の形態では、これがはめ込まれたシャフトと一緒に製造される。第二の形態では、グリップ・コアが、熱可塑性プラスチック製エラストマなどの、硬度６０〜８０ショアＡの軟質プラスチックによって覆われている。ドーム形の部分を製造するため、正面がドームの形をしたシリンダ形の成形部材を鋳型の中へ軸方向に挿入することにより、作成されたドームは、継ぎ目なく次のグリップ外被面に移行する（ＤＥ４３０４９６５Ａ１も参照）。このグリップもまた、今日一般に市販されている２種類の構成部品によるグリップであるが、使用者の手に対する適応機能はない。
【００１０】
ＤＥ３５２５１６３Ｃ２は、まず、硬質プラスチックのグリップ・コアがシャフトを覆っているスクリュー・ドライバー用グリップを発表している。硬質プラスチックからなる先端の人参形ドームは別個に形成可能であり、後からグリップ・コアと接続するか、グリップ・コアに取り付けて成形することができる。ドームがグリップ・コアよりも硬い材料からできている場合には、複数の部分に分けることが適当である。複数の部分に分ける形態の場合、ドーム中央のピンを、対応するグリップ・コアの凹部に入れることができる。グリップ・コアは、ほぼ中央で半径方向に拡張しており、その部分では、グリップ・コアが硬質プラスチックとともにグリップ外被面の一部を構成している。この部分から軸方向に前後して位置している外被面の部分は、グリップ・コアの外被とともに軟質プラスチックで構成されており、その際、グリップ・コアの拡張部には、周辺方向に分配された４つの軸方向のホールがあり、これらのホールによって、軟質プラスチックによる外被面の前方部分と後方部分とが相互に接続されている。
【００１１】
少なくとも軸方向の一部または外被面の一部が、硬いグリップ・コアの上に射出された軟質プラスチックによって形成されている、その他の２種類またはそれ以上の構成部品からなるグリップ（とくにスクリュー・ドライバー用）は、例えばＤＥ１９５３９２００Ａ１、ＤＥ２９５１７２７６Ｕ１、ＥＰ０２０８９４２Ａ２、ＤＥ９２０２５５０Ｕ１またはＤＥ２９９０４０８２Ｕ１から公知である。
【００１２】
ＥＰ０３５８８８３Ａ１は、最大直径の中央部分から前半分および後半分が、段を形成することなく連続的に細くなっているスクリュー・ドライバー用グリップを発表している。この形態では、グリップが、半分の鋳型を２個使って射出成形方式で製造され、スクリュー・ドライバーの前後方向の軸に対して横向きの分割継ぎ目ができる。
【００１３】
ＵＳ３,１８９,０６９は、グリップ・コアの中に交換可能な状態で摩擦保持されたシャフトを有するスクリュー・ドライバーを発表している。グリップ・コアは、外被面の部分に軸方向に走る突起部および溝を有している。さらに、グリップ・コアの周辺部に溝がつけられている。グリップ・コアの上から、軸方向にグリップ外被が押し込まれ、その際、内側を向いたグリップ外被の突き出し部は、周辺方向に形状結合的にグリップ・コアの溝にかみ合っている。グリップ外被は、もうひとつの突き出し部で周辺部の溝の中にかみ合っており、これによって、グリップ外被はグリップ・コアに固定されている。前述の形状結合的接続の他に、グリップ外被のいくつかのセグメントでは、半径方向への押し圧力が形成されることによりグリップ・コアに圧着し、摩擦による接続が生じている。グリップ外被の材料には、グリップ・コアの材料よりも柔らかい材料（ゴムなど）が選択される。
【００１４】
文献ＷＯ００/４３１６６およびＥＰ１１６３０８８Ｂ１により、形態を左右非対称にすることによって、一般に流通しているグリップと比較して人間工学的な特性を向上させているグリップが公知である。このグリップの欠点は、軟質プラスチックによるグリップ外被の厚さが小さいため、僅かしか変形しないことである。使用者の手のサイズや形が様々に異なっている一方で、製造面で、グリップは一定のサイズと形に標準化されている。従って、とくに異なる使用者が様々に異なった手でグリップを使用する場合には、この公知のグリップでは最良の人間工学が保障されない。さらに、スクリュー・ドライバー用グリップの場合には、ネジ止めする際に、グリップを回す使用者の手は、途中でグリップを持つ場所を周辺方向へ変えている。従って、ＷＯ００/４３１６６やＥＰ１１６３０８８Ｂ１による左右非対称のグリップにおいて、使用中のグリップの握り場所が主として一個所しかないような場合のように、グリップを人間工学の理想的なひとつの基本形態に形成することはできない。
【００１５】
プライヤ用グリップ
ＤＥ２０２００４０１９１５６Ｕ１は、２つのリムと、同形に形成された２つのグリップをもつプライヤを説明している。各グリップは、外被面の範囲に３つの部分があり、これらの部分は順番に並べられ、グリップの先端部方向に行くに従って硬度が増していく。もっとも硬い部分は、先端部側の外被面とともにグリップ・ボディを形成し、その上に、それ以外の外皮面を形成する別の部分が取り付けられている。第一の部分には硬質プラスチックのような硬い材料が使用されており、これは射出成形で製造することができる。第二の部分は、軟質プラスチックから作られる。第三の部分は、ゲル・クッションで形成されている。工具のシャフトは第一の部分に埋め込まれている。
【００１６】
ＥＰ０５３８６３２Ａ１は、同様にプライヤ用グリップに関しており、この場合、プライヤのリムのシャフトは、外側の部分が、ポリビニールクロライドやポリエチレンなどの、硬度６５〜８２ショアＡ、とくに６６〜７０ショアＡの軟質プラスチックで覆われており、一方、内側の部分は、セルロースアセテートやアクリロニトリル・ブタジエン・スチレン共重合樹脂などの、硬度８５〜９２ショアＡ、とくに８６〜９０ショアＡの、形状の安定した硬質プラスチックによって覆われている。さらに、内部の周辺部分には、外部の周辺部分に合わせて同じく軟質プラスチックからできたインサートを準備することが可能であり、それによって、周辺方向に硬質プラスチックと軟質プラスチックとが交互に配置される。
【００１７】
とくにスクリュー・ドライバー、コテ、プライヤ、やすり、鋸などの２種類の構成部品からなるすべてのグリップの場合、従来の技術によると、外側の層はグリップ・コアよりも柔らかく、比較的薄い。
【００１８】
打つ道具のためのグリップ
ＵＳ６,３７０,９８６Ｂ１は、ハンマーが一般に金属などの硬質材料、複合材料または合成材料からできたグリップ・コアを有し、グリップを形成するために、グリップ・コアが、ゴムのような、比較的硬いスリーブで覆われているという従来の技術に基づいている。公開されているのは、手動で操作して衝撃を与えたり、打ったりする道具である。グリップは、内部層および外部層を有している。内部層と外部層は、ポリビニールクロライド、ポリプロピレンまたは熱可塑性エラストマ材料など、同一の材料からできている。外部層は、内部層よりも硬いが、同様に柔軟性があり、衝撃を緩和することができる。内部層と外部層の硬度の違いは、使用される材料によって生じるのではなく、内部層には気泡が入れられ、外部層には気泡が入れられないことによって生じる。内部層および外部層の材料は、化学的に相溶性があるように適切に選択されるため、層の密着または接合が可能である。内部の層は、工具のヘッドに加わる衝撃や打撃の力を、それが使用者の手に伝わってくる際に緩和する働きがある。さらにこの文献は、ねじりモーメントを伝達する工具の問題とは別の、衝撃を与えたり、打ったりする道具に特有の問題を説明している。打つ道具は、例えば金属から作られた芯を有し、これが直接かつ中間層を介在することなく気泡の入った内部層と接続されているため、芯と内部層と外部層とによる三層構造が選択されている。芯は、断面が長方形に形成され、先端部分が膨らんでいるため、簡単に描写すると、ダブルＴ形またはI形をしている。芯は、膨らみ部分、すなわちダブルＴ形の横の突出部だけがグリップ内に伸びており、一方、ダブルＴ形の縦部分はここで遮断されるか、隙間を付けて形成されている。この隙間は、内部層の材料が入り込むことが可能である。突出しているダブルＴ形の先端部は振動を吸収するエレメントとなる。外部層は、半径方向の内側へ方向づけられ、周辺方向に配置された、グリップの前後方向に伸びる突起部を有し、これは気泡の入った内部層材料の該当する溝に入っている。これらの突起部はグリップを補強し、芯に対して内部層の圧縮を制御する働きがある。さらに外部層は、周辺部にかけて伸びる突起部を有し、前後方向に方向づけられた突起部の機能をさらに補強する。グリップ部分は、２段階の射出成形（「ツー・ショット」、「ダブル・ショット」射出成形法）で製造される。第一段階では、芯が第一の鋳型にセットされ、ポリビニールクロライドと一緒に発砲させられる。芯には、凹部を配置することが可能であり、射出成形法においてその中へ気泡の入った材料が入ることによって、芯と内部層との間の機能的結合を向上させることができる。続いて、第一の層によって被覆された芯は、第二の鋳型にはめ込まれ、次に、その中で２回目の射出成形法においてより硬いポリビニールクロライドが注入される。内部層には、４５〜６５ショアＡ、とくに５５ショアＡの硬度が選択され、一方、外部層の硬度は、６６〜７６ショアＡ、とくに７１ショアＡとなっている。選択された２段階の射出成形の場合に有利な点は、製造中、内部層の寸法と外部層の肉厚を精密に規定できることである。別の製造方法を使ったグリップの製造、とくにモノ・サンドイッチ射出成形法の使用が、同様に包括的に言及されている。問題なのは、内部層がまだ柔らかいグリップで、２段階の射出成形をグリップに行うかどうかである。外部層の射出では、この方式の場合６００〜８００ｂａｒのとなる油圧が内部層の表面にかかる。このような圧力の下で、発泡層が圧縮されるため、この層は多孔質ではなくなり、使用されるプラスチックの硬度によって許容されるだけの弾力性しか残らない。しかし、４５〜６５ショアＡは、十分な弾力性を提供するには高すぎる硬度である。
【００１９】
ＵＳ３,７７０,０３３から、ハンマー用グリップが公知である。グリップはインテグラル・フォーム部品として製造される。このようなグリップでは、硬いコア、ハンマーの柄または芯が発泡構造からできた実際のグリップ・ボディによって覆われている。グリップ・ボディの断面は、芯に接触している層、比較的厚みのある外層および厚みの小さな中間層から構成されている。このようなグリップ構造により、グリップの断面が弾力的に変形することができ、ハンマーを使って作業をする場合の衝撃を緩和する。さまざまな厚みをもつ薄い層は、細孔を形成するための推進剤が気化し、材料表面層が鋳型空洞の壁に押され、ここで圧縮されるときに、材料の内部で生じる圧力の作用によって生じる。しかし、例えばスクリュー・ドライバーの場合のように、より高いねじりモーメントを伝達するためには、このようなグリップは適していない。なぜなら、このコアの直径が（非円形の断面においても）、小さすぎるか、あるいはねじりモーメントを生じさせるためのレバーアームが小さすぎるからであり、また、多孔質の内部層だけでは十分なねじり剛性がないからである。
【００２０】
ＵＳ３,７７０,０３３は、ハンマー、大ハンマー、手斧、斧など、衝撃を与えたり、打ったりする道具のためのグリップに関している。グリップのボディは、剛性の高い樹脂発泡体で形成され、厚さが３５〜４５ポンド/フット３の範囲にあり、中心には、強化されたグリップ・コアを有している。グリップ・ボディは、例えばポリエチレン、ポリスチレン、ポリウレタン、ポリプロピレンなどのプラスチック材料から形成することが可能である。樹脂発泡体は、任意の鋳型の中へ、グリップ・コアの周囲に注入され、その際、完成したグリップのボディは、グリップ・コアとの一種の「打込みばめ」によって形成するべきである。この成形方法は、ボディの内部層と外部層によって形成される内在層を作り、内在層の厚さは、厚みの少ない内部層と外部層との間にある中間層の厚みよりも大きい。内部層と外部層は、通常、０.０４〜０.０５インチ（１.０１６〜１.２７ｍｍ）の厚さをもつ。
【００２１】
ＤＥ１０１１３３６８Ａ１は、打つための道具に使うグリップを発表し、衝撃を吸収するためのシャフトが、弾力性材料から作られたグリップの中に収容されている。このグリップには、上面と下面に、軸方向の連続的な凹部があり、グリップの外被面上に分配され、半径方向の別の凹部がそこに合流している。
【００２２】
ＤＥ１９７３２４２１Ｃ２は、同様に、打つための道具に関係し、シャフトのエンド・ピースの上部と下部から指が軸方向に伸びており、弾性のあるグリップ膜によって覆われている。これらの指によって、衝撃吸収が達成されるようになっている。
【００２３】
ＵＳ２００３/０１７２４９８Ａ１は、打つまたは衝撃を与える道具を使用する際、振動を緩和するグリップを発表している。グリップの上面および下面には、弾性のある外被と、この中に密閉された気泡からなるクッションがそれぞれ配置されている。弾性のある外被には、サーモ・プラスチック・オレフィン、サーモ・プラスチック・ゴム、サーモ・プラスチック・ポリウレタン、ポリビニールクロライド、スチレン系熱可塑性ポリマーおよび言及した材料の組み合わせが取り入れられている。材料は、射出成形法で加工される。クッションは、射出成形機の中でエラストマ材料に発泡剤が混ぜられることによって製造される。次に融解された混合物が鋳型に注入される。注入している間、温度のより低い鋳型が放熱板となり、材料の温度は鋳型との接触部分で内部よりも急速に冷却される。これによって、非発泡のエラストマ材料による外被が作られる。内部では、混合物が高温のまま維持され、内部に気泡が形成されることによって、外被内部の使用可能な空間が気泡によって満たされる。グリップが鋳型から取り除かれると、適切に温度を設定すれば、外被内部においてさらに気泡が増加して、外被が広がり、非発泡層の壁の厚さを減少させることが可能となる。最終的な冷却により、外被だけでなく発泡部分も硬化する。発泡剤には、個体の粒子、液体またはガスが使用できる。とくに発泡剤は吸熱型になっている。エラストマ材料と発泡剤割合は、１〜１０％の濃度が適用される。
【００２４】
その他に、打ったり、衝撃を与えたりする道具用のグリップは、ＵＳ５,４９０,４３７およびＵＳ６,６１９,４０８Ｂ１に説明されている。
【００２５】
ＤＥ２９９０４０４３Ｕ１は、衝撃を与えたり、打ったりする道具に似た使用領域、つまり、ドリル、研磨機など工作機械に関連している。プラスチックまたは金属などから作られたグリップ・シェルは、様々なセル構造の可能なポリウレタン製の表面層を備えている。
【００２６】
その他の用途に用いるグリップ
ＵＳ４,０２３,６０６では、管状スリーブ内のピッケル・ブレードの配置が発表されている。スリーブとシャフトとの間にプラスチックの発泡材料が注入されている。
【００２７】
ＵＳ４,３３８,２７０は、ゴルフ・クラブ用のグリップに関しており、このグリップは摩擦によりシャフトに取り付け可能である。このグリップは、柔軟性のあるフォーム材でできたスリーブで形成され、このフォーム材は半径方向の外部で表皮を形成している。非セル状または非多孔質の外被は、約０.００５インチ〜０.０２０インチ（０.１２７〜０.５０８ｍｍ）の厚さがある。フォーム材部分の硬度は、５５〜６５ショアＡである。外皮は、使用の際におけるグリップの摩耗または腐食に対する保護の役割を果たす。グリップの先端部分には、内部または外部スリーブを有する丸い頂部があり、その際、スリーブは半径方向の突起部によって互いに接続されている。外部のスリーブが先端部で外被を形成する一方で、内部のスリーブはシャフトの丸い頂部を支持する役目を果たす。頂部の材料は、硬度７０〜９０ショアＡが使用される。グリップを形成するフォーム材に使用できる材料は、ポリオートとイソシアネートを組み合わせたポリウレタンである。促進剤には、主として、トリクロロフルオロメタンが使用される。
【００２８】
ＵＳ５,３５５,５５２は、衝撃を吸収するためにエア・クッションが施された、テニスラケット、ハンマー、自転車などのグリップに関するものである。このために、グリップには中空部分があり、その中に空気が入れられ、場合によっては圧力が高められている。
【００２９】
ＵＳ４,３２１,０４０は、２つの部分に分かれた医療器具用のグリップを発表しており、この場合、フレキシブルな外部スリーブとグリップ・コアとの間に変形を可能にする隙間が準備されている。
【特許文献１】ＵＳ−ＰＳ２,８７１,８９９
【特許文献２】ＤＥ９２０２５５０Ｕ１
【特許文献３】ＤＥ４３０４９６５Ａ１
【特許文献４】ＤＥ２９５１５８３３Ｕ１
【特許文献５】ＤＥ１９５３９２００Ａ１
【特許文献６】ＤＥ２９５１７２７６Ｕ１
【特許文献７】ＤＥ２９９００７４６Ｕ１
【特許文献８】ＤＥ２９９０４０８２Ｕ１
【特許文献９】ＥＰ０６２７９７４Ｂ１
【特許文献１０】ＵＳ２,８７１,８９９
【特許文献１１】ＤＥ６９４２１７６５Ｔ２(ＥＰ０６３５３３７Ｂ１)
【特許文献１２】ＥＰ１３１４５１９Ａ１
【特許文献１３】ＤＥ３５２５１６３Ｃ２
【特許文献１４】ＥＰ０２０８９４２Ａ２
【特許文献１５】ＥＰ０３５８８８３Ａ１
【特許文献１６】ＵＳ３,１８９,０６９
【特許文献１７】ＷＯ００/４３１６６
【特許文献１８】ＥＰ１１６３０８８Ｂ１
【特許文献１９】ＤＥ２０２００４０１９１５６Ｕ１
【特許文献２０】ＥＰ０５３８６３２Ａ１
【特許文献２１】ＵＳ６,３７０,９８６Ｂ１
【特許文献２２】ＵＳ３,７７０,０３３
【特許文献２３】ＤＥ１０１１３３６８Ａ１
【特許文献２４】ＵＳ２００３/０１７２４９８Ａ１
【特許文献２５】ＵＳ５,４９０,４３７
【特許文献２６】ＵＳ６,６１９,４０８Ｂ１
【特許文献２７】ＤＥ２９９０４０４３Ｕ１
【特許文献２８】ＵＳ４,０２３,６０６
【特許文献２９】ＵＳ４,３３８,２７０
【特許文献３０】ＵＳ５,３５５,５５２
【特許文献３１】ＵＳ４,３２１,０４０
【発明の開示】
【発明が解決しようとする課題】
【００３０】
本発明は、必要な手順を簡単な形で行う製造方法によって、冒頭に列挙したような選択的または累積的評価基準をもつグリップの製造が可能な工具用グリップ製造方法を提供するという課題に基づいている。
【課題を解決するための手段】
【００３１】
発明の課題は、独立した請求項１の特徴をもつ発明に基づいた方法によって解決される。解決方法のその他の形態は、独立の請求項２〜２９の特徴に従って発生する。発明に従って製造されたグリップは、請求項３０の特徴に従って発生する。
【００３２】
冒頭に列挙した従来の技術では、工具用グリップを層状構造に製造することが、個々の層に様々な鋳型空洞を用いることに基づいている。とりわけ、
ａ)  外部層が内部層と別個に製造され、その後で、両方の層が材料結合的または形状結合的に接続される、または
ｂ)  鋳型空洞の直径が次第に大きくなる鋳型に段階的にセットすることにより、層を内部から外部へ段階的に製造する
（前に公開されていなかった特許請求PＣＴ/ＥＰ２００５/０１４００３も参照）。一方、発明に基づく解決方法では、異なる材料からできた少なくとも２つのグリップ層が、唯一の鋳型空洞の中で、とくにひとつの作業工程において製造され得るという製造方法を提案している。
【００３３】
まず、鋳型空洞の中に硬質プラスチックのグリップ・コアを入れ、次に第一材料が注入される。これが最終的に硬化する前に、まだ液状の第一材料の中心部分に、第二材料の注入を開始する。第一材料の量は、第一材料の注入が終了しても鋳型空洞が完全に満たされておらず、まだ鋳型空洞に部分的に容積が残るように計量する。このプロセスの間、第一材料は、まず、外側の半径方向に鋳型空洞の壁と接触する。鋳型の壁で、第一材料は、鋳型空洞の内側部分における液状位相部分よりも強く冷却される。このことによって、半径方向の外側にある第一材料が最初に硬化し、外部層を形成する。同様のことが、選択的または累積的に、半径方向の内側にあるグリップ・コア表面部分に該当する。
【００３４】
鋳型の壁と第一材料との接触部を作成するために、以下の２つの方法を選択的または累積的に、本発明に利用することができる。
ａ)  鋳型空洞への注入ダクトの位置を決定し、方向づけることにより、第一材料を鋳型へ注入する場合、材料が鋳型空洞の壁に直接塗布されるように材料の流れを調整するか、または、材料がまずグリップ・コアに当たり、そこから外側へ向きを変えるように調整することができる。
ｂ)  同様に、第二材料を注入する際、
−  注入方向
−  作用する圧力
−  注入速度および/または
−  注入場所
などの注入条件により、第一材料が少なくとも部分的に第二材料によって外側へ押され、それにより鋳型の壁に押しつけられるように材料の流れを作ることも可能である。
【００３５】
前述した射出成形条件およびパラメータの構成により、硬化の後、グリップの外被面または外部層は鋳型の内部で、優先的に第一材料によって形成される結果となる。この場合、このような外被面は、すでに工具用グリップの後の外被面を形成することができる。同様に、次の工程段階において、この外被面を軟質または硬質の別材料によって部分的または全体的に被覆することも可能である。
【００３６】
第一材料によって形成された外被面から内側の半径方向に、発明に基づく工程段階の最後で、少なくとも部分的に第二材料が内側の層に配置される。発明に基づく範囲は、とくに、周辺部分および/または軸方向の部分である。
【００３７】
ＵＳ６,３７０,９８６に言及されている、唯一の材料をただひとつの工程において鋳型に注入するモノ・サンドイッチ方式によるハンマーの製造に対して、発明に基づく製造は、様々な材料を間欠的に、とくに時間的な中断なく順番に注入するという、一種の「間欠サンドイッチ方式」で行う。
【００３８】
発明に基づく製造方法によって、鋳型の交換を必要とせずに、工具用グリップまたは少なくとも２層の工具用グリップの製造が可能である。この方法を実施するには、少なくとも２種類の材料による射出成形法を行うための条件とパラメータの調節だけが必要であり、このことは、少なくとも１台の適切に装備された射出成形機を自動化することによって可能である。他方では、少なくともまだ部分的に液状状態の中で、第一と第二材料によって形成された層を結合することによって、極めて信頼性のある材料結合的な接続が可能となる。
【００３９】
第一と第二材料には、物理的特性および後の構造に関して、自働化された方法で、材料をひとつの鋳型に注入可能であり、互いに材料結合する限りにおいて、何も制限はない。
【００４０】
グリップの特別な形態においては、第二材料が第一材料よりも柔らかく形成され、それによって、内部層は外部層よりも軟質となる。このことは、このブリップの場合、発明に基づく方法を実施した後、より柔らかい材料が硬い材料の内側に配置されていることを意味する。工具用グリップ、とくにねじりモーメントを伝達する工具用グリップの形態では、以下のような矛盾を解決しなければならない。
−  一方で、グリップ外被を形成する材料の剛性が減少すると、使用者の手およびさまざまな大きさの手に対するグリップ外被の適合性が増加し、それによって手とグリップ外被との接触面が拡大される。
−  他方、グリップを介して、より大きな力とねじりモーメントを伝達するためには、グリップ外被にできるだけ硬い材料を使用し、場合によっては、グリップ外被からグリップ・コアまでは固定結合が望ましい。
−  また、グリップの使用条件が厳しい場合には、グリップ外被の外見を損ない、グリップを使う使用者の手に悪い影響を与えるグリップ外被のひび割れや亀裂を防ぐために、グリップの外部層は柔らかすぎないことが望ましい。
【００４１】
後のグリップの外被面が第一材料で形成されるという発明に基づく形態は、２種類の構成材料によるグリップとも呼ばれ、従来の技術から公知の形態では、通常、使用者の手のために、外側の層を柔らかく形成して柔軟性を与える一方、半径方向の内側ではグリップの剛性を高めるという専門家の先入観とは異なっている。発明に従って、厳しい使用条件での使用が可能で、例えばエッジの鋭いものや先の尖ったものによる外被の損傷を軽減する比較的硬いグリップ外被を、第一材料によって作ることがまず可能である。他方では、このような最初の層は、使用材料の剛性または硬度の選択および層の厚さを、空洞に注入する第二材料の容量調整および/または鋳型空洞の温度によって規定することにより、発明に基づく方法を用いて、使用者によって外被面にかけられる力が伝わって、第一材料で形成されたグリップの外被面または外部層だけではなく、第二材料の内側部分または内部層も同様に変形し、しかも使用によって生じる力が確実に伝達されるように形成することが可能である。第一材料の硬度が上がるに従って、場合によっては第一材料で形成される外被面の厚さを減少させる必要がある。このような形態から生じるその他の利点および硬い外側の外被面と弾力のある柔軟なチャンバまたは柔らかな内部層をもつその他の形態は、ＤＥ１０２００５０３７５０４.９−１５に示される。
【００４２】
発明に基づく方法のさらなる特徴によると、第一材料が、硬化後にグリップ外被面の少なくとも一部を形成する外側の半径方向だけに押しやられるばかりではなく、第一材料の少なくとも一部の容量が第二材料によって内部の半径方向へも導かれるか、押しやられるように材料の流れが形成される。ここで、第一材料は、硬化後、グリップ・コアを取り巻く内部層の少なくとも一部を形成する。それによって、例えば、第一材料よりも柔らかい材料を第二材料で選択した場合、この材料は、少なくとも外部および内部の方へより硬い第一材料によって覆われるか、または「封入」される。このことは、例えば、グリップ・コアまたは工具のシャフトに、例えばグリップ・コア外被の形で、グリップを接続することに利用できる。それにより、力またはモーメントが軟質材料を介してグリップ・コアまたはシャフトへ直接伝達されることがなくなり、第二材料とグリップ・コアまたはシャフトとの間の移行部分で亀裂が発生するような、応力のピーク値や障害が生じることはない。
【００４３】
発明に基づく方法の特殊な形態では、逆方向に流れる２つの分流が生じるように、材料の流れを調節する。このことは、例えば、向かい合って配置された、空洞に流れ込む２つの注入開口部または注入ダクトから材料が流れ出ることによって達成され、これによって、反対の周辺方向に分れる２つの体積流が生じる。さらに、ひとつの形態では、ひとつまたは複数の体積流を流入、分割および/または方向転換させることによって、互いに逆方向を向いた分流が生じる。驚くべきことに、その際、第一材料が外側へ押し寄せる作用の他に、材料の流れと冷却条件の形態が適切である場合、もうひとつの作用を生じることが判明した。すなわち、簡単に説明すると、第二材料の分流が第一材料を周辺方向へも押しやり、その押しやられた材料は、２つの分流が遭遇すると、「停止」する。材料の表面は流れている間に冷え、２つの分流が遭遇する部分では、冷却された表面が内部の熱い材料によってそれ以上破られたり、液状にされたりすることはない。そして、冷却された表面から、半径方向に、第一材料によるウェブまたは突起部または突出部ができる。これらは、グリップ・コアに接する内部層とグリップの表面を形成する外部層とを接続する。このようなウェブ、突起部または突出部の形と厚さは、材料の流れ、射出条件および/または温度の設定によって制御することができ、そのために突起部、ウェブまたは突出部を作るための鋳造壁は必要ない。他方、ウェブ、突出部または突起部は、自然と材料結合的に外被面の第一材料と接続するようになっている。これらの突出部、ウェブまたは突起部により、スプリング剛性、ねじり剛性および/または減衰作用といった機械的特性の影響をグリップに生じさせることができる。このことは、スクリュー・ドライバーのように、グリップによってねじりモーメントを伝達する場合にとくに有利である。
【００４４】
このことは、例えば、比較的硬いプラスチックの第一材料が、半径方向外部にあるグリップ外被面の層ばかりでなく、グリップ・コア被覆またはグリップ・コアの内部層をも形成しているという形態の場合で説明されよう。この形態は、突起部なしに、前述の層と層との間に配置された柔らかい第二材料にせん断応力がかかることを意味し、それによって、グリップのねじり剛性は、第二材料の半径方向への広がり、第二材料の周辺方向への広がりおよび第二材料の弾力特性に左右される。ウェブ、突起部または突出部の使用により、ねじり剛性は、多くの作用によって構造的に影響を受ける。すなわち、
−  一方で、内部層に対する外被面のねじれでは、周辺方向の隣り合う突起と突起の間にある第二材料は、ねじりが要求されると「押しつぶされ」、それによって、第二材料は周辺方向に圧力がかけられる。それにより、第二材料のせん断剛性に加えて、圧縮剛性が動力伝達に加わり、半径方向の柔らかな第二材料にもかかわらず、全体として高いねじり剛性を得ることができる。
−  他方では、突起部、ウェブまたは突出部が半径方向に連続して形成されていない場合には、ウェブ、突起部または突出部の正面と内部層または外被面を形成する外部層との間に第二材料を配置することができる。この部分の第二材料は、同様にせん断応力がかかるが、第二材料の半径方向への広がりは、突出部、突起部またはウェブの使用により、突出部、突起部またはウェブが半径方向へ広がっている分だけ小さくなり、せん断応力により形成されたねじり剛性も減少する。
【００４５】
実際に、状況によっては、言及した種類の応力が累積する場合がある。それに加え、ウェブ、突出部または突起部の形成によって、半径方向の剛性特性が影響を受け、場合によっては、周辺方向に変化する剛性特性が生じる。
【００４６】
とりわけ単純に製造することができるのは、第一材料と第二材料の注入に別々の吸入口または注入ダクト（以下注入口）が準備されるのではなく、むしろ、第一と第二材料の注入は同一の吸入口から行われる場合である。この場合、第一材料を注入するためのノズルまたは注入管をまず吸入口の部分にもってきて、開口部と接続する。引き続き、第二材料のための別のノズルまたは注入管を吸入口の部分にもってきて、開口部と接続する。または、第一材料と第二材料を、同一の吸入口から、とくに異なる材料用に２つの射出ユニットが装備された射出成形機によって鋳型の中へ入れる。その際、射出成形機の内部は、機械のノズルを介する材料配管内の特別なバルブ機構によって、第一材料の噴射から第二材料の噴射へと切り換えられる。
【００４７】
材料の流れを設定するため、第二材料を注入する間および/または第一材料から第二材料への吐出切り換えの際、例えば、材料の流れを中断させながら（このとき、冷却により第一材料の粘性が変化する、および/または、材料の流れが静止する）、材料を導入することにより、層の構造に影響を与えることが可能である。しかし、申請者の研究は、材料の流れを中断することなく第一と第二材料を注入させる製造方法も有効であることを示した。それによって、鋳型の充填に必要な時間を短縮し、それによってグリップの製造サイクルを短くすることができる。
【００４８】
第一材料および/または第二材料の注入は、ひとつまたは複数の吸入口から行うことができ、それらの吸入口は、軸方向および/または周辺方向に、グリップまたは鋳型に関して対称的または非対称的である。前述したウェブ、突起部または突出部の形成には、例えば、周辺方向に配分された吸入口の数によって、周辺に配分されるウェブ、突出部または突起部の数を決定することができ、これらは、主として隣り合う吸入口と吸入口の中間部から偏心して生じるか、またはほぼ中間部に生じる。
【００４９】
特殊な形態の場合、２つの吸入口が周辺方向に互いに向かい合って準備されている。このことは、ひとつには、周辺方向への材料の流れが２つの吸入口から２つの方向へ、ほぼ同じ経路を進むという利点がある。ウェブ、突起部および突出部の形成では、互いに周辺方向へ向かい合う位置に配置された吸入口は、ウェブ、突出部または突起部をほぼ向い合せに配置するという作用をもち、それによって、ウェブの部分で対面している比較的硬い部分とその間に配置された比較的柔らかい部分により、左右対称なグリップの剛性特性が生じる。
【００５０】
発明に基づく方法の優先的なその他の形態では、第一材料および第二材料の注入前に、グリップ・コアが鋳型に入れられる。優先的には、グリップ・コアはすでに工具のシャフトを有しており、硬質プラスチックで形成されている。材料がグリップ・コアに自動的に結合すること以外に、場合によっては、発明に基づき、第一材料の注入に伴って、比較的冷たいグリップ・コア表面でも第一材料の冷却が生じ、それによって第一材料がグリップ・コアの外被面部分において内部層を形成できるような形態が利用される。さらに、セットされたグリップ・コアによって、ウェブ、突起部または突出部を形成するための材料の流れを向上させることができる。まず、第一材料の流れがグリップ・コア上に生じ、そこからすでに多少冷却されて、半径方向に方向を変え、この面で流れが衰える材料によって固い表面層を形成することが可能である。２つの吸入口から供給される材料は、表面層に接触し、壁で互いに融合する。その際、この材料は、液状のまま再び溶けることがなくなるまで冷却され、後から注入される第二材料によって押しやられることはない。
【００５１】
グリップ・コアの補強された先端に、アイまたは横穴を有するグリップを製造したい場合には、このアイが周辺方向の同一面上にあり、その中で逆方向の分流が遭遇するようにグリップ・コアを鋳型に入れ、吸入口と向かい合うようにすると有利である。このことは、アイが形成されている硬い部分が軸方向へウェブ、突起部または突出部に続くことによって、アイがウェブ、内部層、グリップ・コアおよびシャフトおよび/または外部層に強固に接続されていることを意味する。このような場合には、例えば、スクリュー・ドライバーのアイに別の工具を取り付けることができる。その工具によって高められたねじりモーメントは、アイを介してスクリュー・ドライバーのグリップおよびシャフトへ加えられる。
【００５２】
グリップ・コアと第一および第二材料で形成された層との結合は、グリップ・コアが円筒型または曲線状または曲った外被面に対して、ずれながら半径方向の外側へ向いた突起部を有することによって達成される。グリップ・コアは、突起部とともに鋳型に挿入され、その突起部は、逆方向に流れる分流の遭遇する部分に伸び、ウェブ、突起部または突出部が形成される。それによって、例えばスクリュー・ドライバーの場合、力とねじりモーメントは、外部層によって形成された外被面からウェブ、突起部およびグリップ・コアを介してシャフトへ伝達される。それによって、強固かつ確実な伝達が可能であり、外被面とシャフト間の力の流れにおける機械的な障害を継続して回避することができる。
【００５３】
本方法のその他の形態では、使用する鋳型の分割面が、逆方向に流れる分流が遭遇する部分に対して９０°ずれて広がっている。この場合、２つの材料吸入口があり、これらは優先的に分割面の中に配置されており、それによって、材料はほぼ分割面方向へ流れ、鋳型空洞に入る。
【００５４】
場合によっては、グリップの長さ全体にわたって、第一材料と第二材料による２つの異なる層で形成する必要はない。例えば、先端部分および正面は比較的硬いグリップ・コアによって形成し、先端部分と先端部分の間は２つの異なる軟質材料を別々の層に配置することができる。その際、これらの層は、主として使用者が手にもつ部分である。材料注入のためのチャンバは、半径方向の外側で鋳型から区切られ、一方、半径方向の内部では、グリップ・コアの外被から区切られ、また、正面では対面する先端部分から区切られている。
【００５５】
発明に基づく方法により、プライヤ・リムを覆っているプライヤ用グリップの製造では、第一および第二材料の吸入口が、プライヤを組み立てた状態において、反対方向を向いているプライヤ・リムの面上に配置される場合は、有利である。これによって、軟質材料による層構造を、主に使用者が手でにぎるプライヤ・リムの外側に配置することができる。しかし、吸入口は、グリップの後部先端がある鋳型空洞の場所にも配置することができる。ハンマーやコテに使うグリップにも同様に有効である。
【００５６】
発明のその他の形態では、硬化した第一材料および第二材料が密閉構造を有しており、そのため、これらの材料で形成された層および部分の剛性は、材料の剛性と層の広がりとに左右される。その他にも、第二材料は硬化によって多孔質構造を形成することができることから、形成する細孔の数と大きさ、または注入量およびそれによって決定される拡大の大きさによって、剛性に影響を与えることが可能である。
【００５７】
特殊な形態では、第一材料と第二材料に同一のプラスチックを原材料として使用することが可能である。しかし、この場合、第一材料および/または第二材料の多孔性によって、例えば、促進剤の供給量を変えることによって、および/または、鋳型空洞内の圧力状態を調整することによって剛性に影響を与えることができる。
【００５８】
層の厚さを形成するためには、注入条件を設定する際に特別な処置が必要となる。たとえば、より厚い外部層は、鋳型の壁を急激に冷却することによって生じる。層の厚さの選択は、グリップの大きさにも左右される。グリップが小さい場合、大きなグリップよりも厚さを小さくする。さらに、目的とする変形を得るため、外部の第一層の厚さは、それに使用したプラスチックの硬度が高ければ高いほど、小さくしなければならない。硬度が高いと、損傷に対する抵抗が大きくなり、汚れの付着を少なくするため、外部層により高い硬度をもつプラスチックを使用することが求められる。厚さを少なくすることは、インターバル法、すなわちサンドイッチ法においても可能であり、その際には、しかし、硬度の低いプラスチックによる内部の第二層の厚さが同時に増加する。そのねじり剛性は少ないので、ねじり剛性を高める別の要素を導入することが必要である。これには、断面の丸いグリップ・コアに半径方向の突起部を取り付ける、あるいはグリップ・コアから外部層までをウェブ状の接続にする、または一般的に、グリップ・コアの断面を非円形にすることができる。これについては図の説明に詳細が述べられている。これらの前提条件のもとで、０.５〜２.５ｍｍ、最大４ｍｍの層の厚さが実現され、厚さは主として求められるグリップの変形とその大きさに左右される。層の厚さは、軸方向にも変更することができる。
【００５９】
優先的に、隆起部または突起部は、グリップ・コアの２つの（またはそれより多くの）部分範囲に広がっており、それによって、これらの部分範囲でグリップの剛性特性の異方性が適切に作られ、とくに、隆起部または突起部が半径方向により大きく広がって第二層の中に入り込み、その際、これらの２つの部分範囲を周辺全体に適切に配分することができる場合、使用者の手が既定された位置にあると、グリップはとりわけよく手に適合することができる。例えば、指が接触している部分では変形度が大きいか、または手の内側のくぼみ部分が接触している範囲よりも剛性が小さくなっていることが判明した。グリップは、一般に、断面だけでなく、前後方向にも非対称の形にすることもできる。層の形成は、発明に基づいた非対称のグリップの場合、主として、対称的なグリップの場合と同じように形成される。コテやハンマー用グリップは、ＥＰ０１９１５０００.２−２３１６の申請者に対応して、非対称に形成することができると考えられる。発明による変形性によって、グリップの人間工学的な特性がさらに飛躍的に向上し、これは対称的グリップの場合にも当然当てはまる。
【００６０】
特殊な形態の場合、２つの部分は、内部層の半径方向への広がりが縮小されて周辺方向に配置されるか、または突起部による変形性の縮小または剛性の増加を伴って、お互いにほぼ向かい合う形に配置されている。グリップにこのような「優先方向」が備えられている場合、これらの優先方向がグリップの使用者に明白にされれば有利である。このことは、例えば、グリップ外側の外被面の形状を左右非対称にする、および/または、外被面に色をつけることによって可能である。同様に、グリップの後方先端にアイ（グリップの横穴）を取り付けることが可能である。その際、アイの開口部は、主として第一層の半径方向の広がりが最少であるか、剛性がより高い部分にある。
【００６１】
グリップ・コアは、少なくともひとつの部分断面において、
ａ)少なくとも半径方向の外側に伸びる突起部をもつ丸い断面を有することができる。
ｂ)最初の近接部分において長方形の断面外形を有し、その際、その部分範囲は、長方形の短い面で、外部層のほぼ内側まで達する。
星形の断面外形を有し、その際、例えば、星の先端は、それぞれ一種の突起部を形成し、半径方向の外側へ細くなりながら、周辺方向へ伸びている。
【００６２】
グリップ・コアの突出部またはその丸い形状により、グリップ・コアと内部層との間の接触面が広くなり、それによって、内部層の材料のねじり剛性が大きくなる。なぜなら、とくにグリップ・コアの突出部または形状が半径方向に内部層へ広く伸びており、それによってグリップ・コアのレバーアームが長くなる場合には、内部層の材料は圧力（接触面によって加えられる）よりもせん断力による負荷の方が小さいからである。
【００６３】
発明のもうひとつの提案では、第一の外部層が、少なくとも軸方向の突起部分において本質的に同じ弾性特性を有している。このことは、例えば、突起部がグリップの軸方向の外形にほぼ連続している外形を有し、それによって突起部の上部エッジがグリップの外被面に対してほぼ一定の間隔をもち、その間隔は第一層によって「ブリッジ」されることにより達成される。
【００６４】
複数の吸入口の代わりに、ひとつの吸入口だけを準備した場合、例えば、軸方向に方向づけられた集中吸入口では突起部が形成されない。他方、分散配置の場合、突起はグリップ半分にひとつだけ形成することができ、この突起は、主に吸入口から向かい合って配置される。
【００６５】
コストがかからず、信頼性があり、必要な機械的特性をもつ第一層の材料としては、とくに熱可塑性エラストマ、熱可塑性ポリオレフィン、ポリプロピレン、ＥＰＤＭカウチュック、ＰＶＣまたはスチロール・ブロック共重合体がある。
【００６６】
同様に、第一層が充てん材を有することも可能である。可能な充てん材としては、粒状コルク、粉末コルク、木材粉末などの顆粒またはグラスファイバーなど繊維状の充てん材が考えられる。このような充てん材の少なくとも一部が、グリップの外被面部分に配置されている場合、グリップの外被面は完全に平滑ではなく、耐滑性が向上するため、例えば、工具によって伝達可能なねじりモーメントが高められる可能性がある。粉末コルクや木材粉末は別の利点があり、工具での作業中に発生する手の汗を吸収する。これによって、同様に耐滑性もさらに向上する。第一層の総重量に対する充てん材の可能な重量割合は、例えば５０％以下であり、とくに５％〜３０％である。
【００６７】
ひとつの実施形態では、グリップの外被面がプラスチック・フィルムで形成され、これが材料結合的に内部の層、例えば第一層に接続している。このようなグリップの製造は、例えば、鋳型にプラスチック・フィルムをセットすることによって可能である。フィルムは、鋳型に充填することによって材料結合的に接続される。物理的特性およびフィルムの表面は、例えば、とくに油や化学物質に耐性があり、表面の滑りを防止するなど、グリップの外被面が向上するように選択・形成することができる。
【００６８】
発明の有利な形態は、請求項、説明および図に記載されている。説明の冒頭に言及した特徴の利点および複数の特徴の組み合わせによる利点は単なる例であり、選択的または累積的に効果をあらわすことができるのであり、発明に基づく実施形態によって、これらの利点が絶対に達成されなければならないということではない。その他の特徴は、図（とくに、図に描かれている構造および多くの部品の相対寸法ならびにそれらの相対的配置および接続）に示されている。発明の様々な実施形態の特徴または様々な請求項の特徴の組み合わせは、やはり選択された請求項の遡及適用とは異なって可能であり、ここに提案されるものである。このことは、別個の図に示されているような特徴、または図の説明で言及されているような特徴も当てはまる。これらの特徴は、様々な請求項の特徴とも組み合わされる。同じく、請求項に記載された特徴は、発明のその他の実施形態では省略することができる。
【実施例】
【００６９】
Ｉ.概要
以下において、例えば、外部層とは、使用者の手によって握られるグリップの外被面を形成する外側外被面のグリップ層を指し、一方、内部層は、外部層に接して半径方向の内側にあり、硬質プラスチックでできた、シャフトを覆うグリップ・コアを取り巻いている。当然、これとは異なり、外部層がグリップの内部にあることもあり得るし、および/または、内部層とグリップ・コアとの間に少なくともひとつの内層、フリップ・コア被覆または同様のものが中間に配置されている場合もある。
【００７０】
本発明は、工具用グリップ１に関しており、グリップの中に、工具の機能部品であるシャフト２が半径方向の内部に横たわった状態で支持されており、工具の使用者は半径方向の外側にある外被部分のグリップ上に力を加えることができる。この場合の力は、以下に関連している。
−  縦軸３−３方向の力
−  これに対して横の力
−  縦軸３−３のねじりモーメントまたは
−  縦軸に対する横の曲げモーメント
工具は、頻繁に用いられる種類であり、とくに、鋸、コテ、ハンマー、プライヤ、突きのみ、園芸用具またはナイフなどである。
【００７１】
特殊な使用目的の場合では、工具の主要な使用目的または補助的な使用目的として、例えばスクリュー・ドライバーの場合など、グリップによって縦軸３−３にかかるねじりモーメントを伝達しなければならない工具に、本グリップが使用される。このような工具は、衝撃を加えたり、打ったりする道具とはとくに区別される。
【００７２】
打つため道具を操作する場合、この道具は、使用者によって手を振り上げる動作において加速され、衝撃が加えられる。こうした打つ道具の加速には、工具の剛性はあまり問題ではないため、工具は、柔らかいグリップの場合も硬いグリップの場合も同じように十分に加速され、打とうとする対象物に運ばれる。打つ道具は、いわゆる衝撃を伴って、打とうとする対象物に当たり、その際、工具の衝撃は、打とうとする対象物へ伝達される。打とうとする対象物に加えられた衝撃は、このとき、工具が衝突時にしっかりと保持されているか、その対象物の上に押し付けられるか、または「自由に跳ね返る」ことができるかどうかには左右されない。従って、専門家は、打つ道具によって打つ場合、打とうとする対象物にこれを押し付けるのではなく、打つ道具は、打とうとする対象物に衝撃を伝達するために、むしろ自由に跳ね返している。このことは、跳ね返りのために、使用者の手が必ずしもグリップに強く密着していなければならないというのではなく、任意で柔らかい弾性のあるグリップも使用できることを意味している。それによって、実際に衝突している間、使用者は、グリップを介して、主として横に操作する力を打つ道具に伝達する。「不適切な」固いグリップ被覆の場合でも、使用者の手に伝達される衝撃を緩和するか、防止するために、冒頭に述べた、衝撃を与えたり、打ったりする道具に関する文献は、グリップが軟質または弾性のある構成部品を有し、適切な弾性を衝撃方向につけるため、それらを、とくに衝撃方向および上面ならびに下面に準備することを提案している。従って、突いたり、打ったりする道具に使用するグリップの形態は、伝達しようとする力、すなわち衝撃の方向に弾性があって、緩衝作用があり、柔らかいグリップにすることが考えられる。これとは異なるグリップ、とくにモーメントを前後方向の軸に伝達しなければならないグリップに、このような形態を使用した場合、その工具は実際には使い物にならない。ねじりモーメントを伝達するグリップの使用目的として考えられる工具は、例えば、スクリュー・ドライバーやクランプなどである。
【００７３】
基本的に、グリップは半径方向の内側にシャフト２を有し、このシャフトは非円形の伝達断面４または円形の断面から出た突起部５を有し得る。シャフト２は、グリップ・コア６によって、部分的または完全に覆われ、その際、伝達断面４の部品またはシャフトの突起部５の部品は、半径方向の外側へ広がることができる。グリップ・コア６の外面は、優先的に、伝達断面７または突起部８と同様に非円形に形成されている。グリップ・コア６は、グリップ・コア被覆９によって部分的または完全に覆われており、その際、伝達断面７または突起部８の部分範囲は、グリップ・コア被覆９を突き抜けて伸びることができる。さらに、グリップ・コア被覆９が少なくとも部分的に覆っている軟質層１０（内側の層２８）を準備することができ、この層は少なくとも部分的に外部層１１（外側の層２７）によって覆うことができる。グリップ・コア被覆９、軟質層１０および/または外部層１１は、突起部、突出部、飛び出し部、ウェブ（以下、突起部１２）を有し、それによって、前述の層９−１１が隣接する層を介してその他の層と接続されている。選択的あるいは追加的に、突起部、突出部、飛び出し部またはウェブ（以下、突起部１３）を準備することができ、これらの突起部は、部分的にのみ隣接する層に伸び、それらの部分では、隣接する層の広がりが縮小している。その際、突起部１３は、突起部をもつ層から半径方向の内側へも、半径方向の外側へも方向づけることができる。
【００７４】
前述したグリップ１の全構成部品は、選択的または累積的に使用可能である。同様に、その他の追加層、分散顆粒、ゲルまたは液体を間に配置することも同様に可能である。
【００７５】
その他の実施形態では、軟質層１０または内部層２８が部分的または完全に硬質の外部層１１または外側の層２７によって覆われており、その際、これらの層は、剛性の選択および半径方向の広がりに関して、使用者の手によって加えられた力により外部層１１が半径方向へ変形し、それによって軟質層１０の弾性変形が生じるように構造的に準備されている。
【００７６】
前述のグリップ１の構成部品以外に、グリップ１は、とくに機能部品から離れたグリップ１の先端部に、例えばアイ１５または横孔などの追加の構成部品を有することができる。その場合、アイ１５は、縦軸３−３に対して先端部を横に通過する形で伸びている。アイ１５を使って、工具を吊るしたり、グリップ１の補助エレメントを差し込んだりすることができる。例えば、別のスクリュー・ドライバーのシャフトをアイ１５から通し、そのシャフトによって追加の作動トルクをグリップ１に加えることができる。
【００７７】
グリップ１の構成部品は、材料結合的に相互に接続することができる。同様に、交換可能な機能部品をグリップと一緒に使用することも考えられる。この場合、機能部品のシャフト２は、とくに取り囲んでいる層と一緒に、その他の半径方向の外側にあるグリップの構成部品に対して、交換可能に取り付けられる。とくに、このような交換可能な機能部品に関連して、グリップ１は追加の固定装置を使用することができる（例えば、特許出願番号ＥＰ０５００３２１.２およびＥＰ０５０１７１９３.３を参照）。グリップのその他のオプション構成部品は、グリップ先端部の丸い頂部であり、これを使って衝撃や打撃をグリップに加えることができる。
【００７８】
軟質層１０（内側の層２８）では、任意に半径方向の広がりを一定にしたり、変化をつけたりすることが可能である。このような広がりは、層１１の厚さは別にして、グリップ・コアからグリップ表面までの半径方向の距離の差から生じる。半径方向の広がりは、グリップの長さ全体にかけての軸方向の変化で変わり、グリップの前方終点でついにゼロになる。他方、半径方向の広がりは、グリップの絶対直径に左右される。例えば、半径方向の広がりは、少なくとも広がりが最大の部分で３.５、４、６または８ｍｍの範囲にあり、一方、該当する最少の広がりは０.５〜３ｍｍであり、とくに１〜２.５ｍｍであるか、１.５ｍｍ、２ｍｍまたは２.５ｍｍより小さい。このことは、軟質材料で形成された内側の層２８（第二材料２３、軟質層１０）およびグリップ表面の最大直径部分にとくに該当する。これに対して、外部層１１（第一材料２２、外側の層２７）は、０.５〜４ｍｍまたは０.５〜２.５ｍｍの範囲で周辺方向に一定した半径方向の広がりを有し、軸方向における半径方向の広がりは変化することができる。
【００７９】
特殊な形態では、外側の層２７の厚さが、少なくとも内側の層２８の半径方向の広がりの３０〜１００％の範囲で半径方向へ広がることができる。
【００８０】
隣接する層または構成部品は、形状結合的、材料結合的および/または摩擦により、あるいはスナップ方式またはロック方式で相互に接続することができる。
【００８１】
ＩＩ.  材料
シャフト２は、例えば、繊維強化プラスチック、金属、鉄鋼または木材で形成することができる。
【００８２】
個々の構成部品またはグリップ層の材料として、コストが安く、信頼性があるのは、グリップ・コア６では硬質プラスチックであり、一方、グリップ・コア被覆９および外部層１１（外側の層２７）には第一の軟質材料２２が使用され、軟質層１０（内側の層２８）には第二の軟質材料２３が使用される。その際、両方の軟質材料は、硬度がそれぞれ異なっている。つまり、外側の層２７は、内側の層２８よりも硬い。使用可能な材料は、熱可塑性エラストマ（ＴＰＥ）、熱可塑性プラスチック・ポリウレタン（ＴＰＵ）、熱可塑性プラスチック・ポリオレフィン（ＴＰＯ）、ポリプロピレン、ＥＰＤＭカウチュック、ＰＶＣまたはスチロール・ブロック重合体が使用される（これらの材料だけに制限されるものではない）。ここに列挙した材料は多孔質構造を有するが、優先的には閉じた非多孔質構造を有する。
【００８３】
使用されるプラスチックの硬度は、とくに軟質層１０または内側の層２８または第二材料２３の場合、例えば１０〜５５ショアＡである。グリップ・コア６、グリップ・コア被覆９および/または外部層１１（外側の層２８、第一材料２２）には、とくに、硬度３０〜１０５ショアＡ、優先的には３０〜８５ショアＡが使用される。グリップ・コア６は、優先的に圧入硬度４５〜６５Ｎ/ｍｍ２を有するプリプロピレンなどの硬質プラスチックによって製造される。
【００８４】
同様に、少なくともひとつの層が充てん材を有することが可能である。可能な充てん材としては、粒状コルク、粉末コルク、木材粉末などの顆粒またはグラスファイバーなど繊維状の充てん材が考えられる。グリップの層または構成部品の総重量に対する充てん材の重量割合は、例えば５０％以下であり、とくに５％〜３０％である。
【００８５】
ＩＩＩ.  製造方法
図１〜９に発明に基づく製造方法を示す。これは、また、「サンドイッチ法」または「間欠法」とも呼ばれ、少なくとも層の一部またはグリップの構成部品を製造する。
【００８６】
硬化したグリップ・コア６で覆われたシャフト２は鋳型１６の中にセットされ、この鋳型は、縦軸３−３を通る中心面で分割されている。鋳型１６の内形は、本質的に、製造されるグリップ１の形に対応する。図１〜６に示された実施例の場合、グリップ・コア６は先端部１７、１８を有する。先端部１７は、機能部品側を向き、半径方向の外側に向いた周辺フランジを有し、その部分で、グリップ・コア６が鋳型１６を半径方向に隙間なく満たしている。先端部１７の反対側にある先端部１８は、ほぼ球形のグリップ正面を形成し、この部分で先端部１８は、同様に半径方向へ隙間なく鋳型１６に接している。グリップ・コア６の円筒形の中央部分２６（場合によっては、追加のアイ８などが付いて）、先端部１７、１８および鋳型１６の内形によって、周辺方向に縦軸３−３の周りを囲むチャンバ１９が区切られている。周辺方向に向かい合っている２つの吸入口または注入ダクト２０、２１（以下、「吸入口」）は、半径方向にチャンバ１９内へ合流し、優先的には、チャンバ１９および後のグリップ１の半径方向の最大拡張部に配置されている。吸入口２０、２１を介して、まず、第一材料２２が鋳型１６およびチャンバ１９内に注入される。第一材料２２の注入量は、チャンバ１９の容量よりも小さい。第一材料２２は、グリップ・コア６の外被面上に注入され、および/または、鋳型空洞を区切っている壁の方向へ向きを変え、ここで冷却される。それによって、グリップ・コア６に隣接して、または鋳型空洞を区切る壁の部分で、第一材料２２は急速に冷却されるか、他の部分よりも粘性が高くなる。
【００８７】
続いて、第一材料の最終的な硬化の前に、図３および図４に従って、同じ吸入口２０、２１を介し、第二材料２２が、チャンバ１９および第一材料２２の中へ、また第一材料の下へ、あるいは第一材料を突き抜けて注入される。第二材料は、吸入口２０、２１から半径方向のダクト２４を通り、第一材料２２の内部またはその下へ流れ込む。第二材料２３の注入が増えるに従って、第一材料２２は、縦軸３の方向および先端部１７、１８方向および半径方向の鋳型空洞の壁の方向へ押し寄せ、その際、第二材料２３は、半径方向の外側、半径方向の内側、両方の軸方向へ、上述のダクトに達するまで第一材料２２によって覆われる。第一材料２２がグリップ・コア６との接触部分であらかじめ冷却されていることにより、第二材料２３は、グリップ・コア６まで達しない。第一材料は、その表面層が第二材料よりも、すでに若干冷却されているため、表面層は第二材料によって突き破られることはない。第二材料２３は、第一材料２２を半径方向の外側へも押しやり、それによって、第一材料は、外部層１１または外側の層２７を形成する。説明された軸方向への押し出しの他に、第一材料２２によって囲まれている第二材料２３は、両方の吸入口２０、２１から、グリップ・コア６の周りを周辺方向へ広がり、それによって、最後に反対方向へ流れた材料と接触する。材料２２の外部層は、すでにある程度冷却されているので、外部層は、材料２３によってそれ以上突き破られたり、粘性が高くなったりすることはなく、材料２２の外部層は、接触する材料の流れに融合して、その際、グリップ・コア両側のほぼ同一面上で壁を形成し、これは、第一材料２２の半径方向のウェブまたは突起部１２として残り、グリップ・コアの周囲を形成する第一材料の層、同様に第一材料によるグリップ・コア被覆９、外部層１１または外側の層２７を一体形成で接続する。グリップ・コア被覆９の周りを前後方向にも形成しているこれらのウェブ１２は、グリップのねじり剛性を高め、外部層１１からグリップ・コア６へのトルクの伝達を補強する。
【００８８】
射出成形のために選択された温度条件、粘性および注入速度は、周辺方向へのこうしたアプローチによって、この部分が終了するのではなく、この部分では、半径方向に貫通するウェブ１２にも、半径方向に貫通しないウェブ１３にもなるように適切に調整される。
【００８９】
第二材料２３の注入が終了すると、チャンバ１９は完全に満たされる。ダクト２４は、グリップ１の製造が終了しても、さらに第二材料を充てんすることができる。さらに、製造工程の終わりで、もう一度第一材料２２を少量注入し、ダクト２４およびグリップの注入口を第一材料で満たして閉じることが可能である。図に示された製造方法の実施例では、吸入口２０、２１が１２時のポジションならびに６時のポジションにあり（図６を参照）、一方、突起部１２は、３時のポジションおよび９時のポジションに伸びている。軟質層１０または内側の層２８は、第二材料２３によって形成されている。作成されたグリップ・コア被覆９または外部層１１の半径方向の広がりは、軟質層１０の広がりよりも小さく、とくに、軟質層１０の半径方向への広がりの１/３、１/５、１/８または１/１０よりも小さい。
【００９０】
注入量の設定によって、層２７、２８の厚さを一定に規定することとは別に、外側の層２７の厚さは鋳型空洞の壁の温度（または壁と注入材料との間の温度差）によっても影響を与えることができる。低い温度の場合、注入された第一材料の外層は、高い温度の場合よりも速く冷える。その結果、外側の層２７の厚さは、注入プロセスのその他のパラメータが同じ場合では、高温の場合よりも低温の場合のほうが増加する。
【００９１】
本方法を使うには、第一材料２２と第二材料２３のための個別コンポーネントで溶融物を供給し、特殊な機械制御プログラムと特別な機械のバルブ機構とによって、鋳型１６に注入される材料２２、２３の迅速かつ正確な配合作業を可能にする２つの射出成形ユニット付き射出成形機が必要である。驚いたことに、注入口２０、２１の数および位置ならびに注入速度および注入圧力、溶解温度および鋳型とグリップ・コアの温度によって、グリップ・コア被覆９、軟質層１０、外部層１１、突起部１２および軸方向の広がりに影響を及ぼし得ることが発見された。
【００９２】
サイズが１０５ｍｍのスクリュー・ドライバー用グリップで、実施例を限定しない場合では、以下の注入パラメータが用いられた。
第一材料２２の注入時の注入圧力：                  ８００ｂａr
第一材料２２の注入体積流量率：                    ４０ｃｃｍ/秒
４点による注入圧プロファイルは、低下しながら制御
溶解温度：                ４つのゾーンで１８０−２１０℃
第二材料２３の注入時の注入圧力：                  １,０００ｂａr
第二材料２３の注入体積流量率：                    ５０ｃｃｍ/秒
４点による注入圧プロファイルは、低下しながら制御
溶解温度：                ４つのゾーンで１８０−２１０℃
上記のパラメータは、グリップの形状、デザイン、使用プラスチックの種類および機械に応じて、とくに２０％または１０％の範囲で、大きく上下に変動する。
【００９３】
図に示した２つの吸入口２０、２１を有する実施形態とは別に、任意の吸入口の数を軸方向および/または周辺方向に分配することができる。その際、場合によって、軸方向に多数の吸入口２０、２１がある場合、ウェブもまた、軸方向に相次いで動くフィード流によって生じ、それによって、ウェブが周辺方向へ環状に形成され得る。周辺方向へ環状に流れるフィード流の場合、とくに、隣り合う吸入口と吸入口との間に突起部１２が形成され、それによって、例えば、吸入口を周辺方向に３つに分配した場合、３つの突起部１２が形成される。図１〜６のように、吸入口２０、２１を左右対称に配置する以外に、吸入口を非対称的に配置することも同様に可能である。これによって、非対称の突起部１２が形成され、その結果、グリップ１の剛性特性が非対称的になる。突起部の位置をずらすことは、吸入口からの注入速度および/または圧力を変更することによっても達成される。
【００９４】
図７〜９は、前述したプライヤ５０のプライヤ・リム２５用グリップの製造方法を示している。このようなグリップ１の実施形態では、グリップ・コア６がないため、グリップ・コア被覆９が直接プライヤ・リム２５のシャフト２の上に配置されている。プライヤ・リム２５の外面には、吸入口２０のみが配置されている。図に示された製造方法では、材料２２、２３の注入条件は、第二材料２３が軟質層１０（内側の層２８）を形成し、シャフト２周辺の一部分だけに広がるように調整される。それによって、第一材料２２が外被面１４の内側で、第一の近接部において、２つのチャンバが外方向へ相互に並ぶ８の字形の断面（丸みのある外形）を形成する。その際、内側チャンバにはシャフト２が配置され、一方、外側のチャンバは第二材料２３が充てんされている。プライヤで使用するグリップ１の場合、第二材料２３は、使用者の持ち手部分にあたる太い断面部分にのみ広がり、グリップ１の前後方向の長さのほぼ１/３〜２/３の範囲に広がっている。ここでは、軟質層１０（内側の層２８）が第二材料によって、一種の弾性のあるクッションを形成し、一方、第一材料２２は、硬質材料によって、負荷に耐えるようにプライヤ・リム２５と接続している。
【００９５】
別の製造方法の場合、グリップ１は、少なくとも２つの構成部品で製造され、その際、グリップ１の半径方向の外側に配置された構成部品が、内側に凹部をもつように製造される。この部分では、構成部品の接合が、半径方向の内側にある構成部品によって可能である。突起部５、８、１２、１３によって、場合によっては材料結合的接続ではないにもかかわらず、構成部品間のねじりモーメントを伝達することができる。同様に、材料結合的接続は、少なくとも２つの構成部品を接合することによって製造できる。構成部品の固定は、構成部品を接合した後で、摩擦や形状結合的な接続、弾性のあるスナップ方式またはロック方式によっても行うことができる。外側にある構成部品は、この場合、すでに説明したサンドイッチ方式によって製造することができる。
【００９６】
ＩＶ.  工具用グリップのその他の実施例
以下の実施形態は、すでに第III章で述べた製造方法によって製造され、その際、第I章に列記した可能な形態および選択肢を以下の実施形態に転用することができ、全構成部品および層の材料構成については、第II章に従って、ひとつの実施形態について選択が可能である。
【００９７】
図１０、１１に示された実施形態におけるグリップは、次のように構成されている。シャフト２は、先端部１７、１８およびセンタ部分２６をもつグリップ・コア６によって覆われている。センタ部分２６は、グリップ・コア被覆９によって覆われた、主として円筒形の外被面を有する。突起部８は、グリップ・コア６と一体形成で、グリップ・コア６からグリップ・コア被覆９を通り抜けて伸び、その際、図１１に示された断面では、突起部８が１２時のポジションと６時のポジションに配置されている。突起部８とグリップ・コア被覆９は、軟質層１０によって周辺方向に連続して取り囲まれており、その際、軟質層１０はさらに、周辺方向に環状に形成され、外被面１４を形成する外部層１１によって取り囲まれている。軟質層１０は、軟質プラスチックで作られた内側の層２８を形成し、その外側に外部層１１とともに外側の硬い層２７が材料結合的に接続されている。第一材料および、それによって外側の層２７の材料で作られた追加の層９が、グリップ・コア被覆９を形成している。グリップ・コア６には、突起部８が一体形成で取り付けられている。図１０に示されている縦断面において、突起部８の外形が外被面１４の外形に対して平行になっているのが分かり、それによって、グリップ１の内側の層２８の半径方向への広がりは、前後の軸３−３の方向へほぼ一定している。突起部８は、外側の層２７の軸方向の一部にかけてのみ伸びており、それによって、グリップ１の前方部分では、外側の層２７が材料結合的にグリップ・コア被覆９と直接接続されている。突起部８は、図１１に示されているように、向き合って配置するか、図に示されていない形で周辺方向にずらして配置することができる。図に示された実施形態では、突起部８が長方形の断面をしており、その際、突起部は、これとは別に、少し外側に近く、上部エッジを丸くしたり、厚さも縮小したりするなど、任意の形に形成することもできる。
【００９８】
外側の層２７または外部層１１には、硬度３０〜８５ショアＡ、優先的には４０〜６０ショアＡのプラスチック、軟質層１０または内側の層２８には、硬度１０〜５５ショアＡ、優先的には１５〜３０ショアＡのプラスチックの使用が適切であることが判明している。同じタイプのプラスチックでも、異なるタイプのプラスチックでも、それらの材料結合が互いに良好な場合には使用可能である。場合によっては、突起部８の上部エッジと外側の層２７との間でも良好な材料結合的接続が得られなければならない。
【００９９】
図１２および１３には、図１０および１１に対応するグリップ・コア６に突起部８が付いていない、その他のグリップ１の実施形態が示されている。その代り、少なくともグリップ・コア６の一部の断面がほぼ長方形であり、グリップ・コア６は周辺方向にグリップ・コア被覆９で完全に囲まれている。グリップ・コア６のこのような長方形の断面は、前後方向の長さ２９のほぼ全体に伸びており、主として、長方形の長さと幅の比が変化しているか、または長方形の長さが小さくなる。
【０１００】
図１４に示されているその他のグリップ１の実施形態の場合、軟質層１０によって形成されている内側の層２８は、グリップ・コア６およびグリップ・コア被覆９の外形に応じて、６つの角をもつ星形に形成されている。内側の層２８は、１２時、２時、４時、６時、８時、１０時のポジションに半径方向への最大の広がりをもつ。
【０１０１】
同様に、コテ用グリップの場合のように、外被面１４の形状とグリップ１の構造形態を左右非対称にすることも考えられる（図２３、２４を参照）。このようなグリップの場合、グリップ・コア６は、目的に合わせて、前後方向の長さ全体にわたってほぼ同じ形に保たれている。だが、断面の基本形状または半径方向に広がるグリップ・コア６内の突出部または突起部のどちらかによって、断面の形状を非円形にすることは有利である。通常、このようなグリップでは、スクリュー・ドライバーの場合のように、高いねじりモーメントを伝達する必要がないとしても、グリップを半径方向にある程度補強することは適切である。
【０１０２】
図１５および１６には、突起部８、１２が内側の層２８を突き抜けて伸びている実施例が示されている。グリップ・コア６から形成されている突起部８、１２は、その正面部分が材料結合的に外部層１１または外側の層２７に接続され、それによって、外部層１１とグリップ・コア６の丸い断面との間の接続が直接行われ、また強固になる。この例では、外部層１１または外側の層２７が厚くなっているが、これは、鋳型空洞の壁を強力に冷却することによって達成される。とくに、外側の層２７の半径方向への広がり４１は、グリップ１の直径が最大の個所で測定して、内側の層２８の半径方向への広がり４０の３０％〜１００％である。
【０１０３】
図１７には、本質的には図１５および１６に示された実施形態に対応しているが、伝達断面７が長方形であり、材料結合的に外部層１１および外側の層２７に接続されているグリップ・コア６を有するグリップ１の実施形態が示されている。
【０１０４】
図１８には、グリップ・コア６が先端部１７、１８を有し、その際、先端部１８は、使用者の手によって軸方向へ力を加えるための丸い頂部であるグリップの実施例が示されている。グリップ・コア６は、周辺部に同じ形で分配された６つの突起部１３を有する。図に示された実施例の場合、外部層１１（外側の層２７）とグリップ・コア被覆９は、図に示された実施例において、周辺方向に周りを取り囲む環状のフランジとして形成されている半径方向のウェブ４２によって互いに接続されており、縦断面の半分では、グリップ・コア被覆９、ウェブ４２および外部層１１が前方の開いた横Ｕ字型を形成している。グリップ・コア被覆９を形成する横Ｕ字の脚は、とくに、ほぼ前後方向の広がり２９によって形成されている外側の外被面１４の形成する脚よりも短くなっている。グリップ・コア被覆９は、突起部８、１３によって強化されている。グリップ・コア被覆９と外部層１１との間には、軟質層１０が配置されており、これが内側の層２８を形成する。また、グリップ・コア６は、第一剛性となる硬質プラスチックから形成されている。グリップ・コア被覆９と軟質層１０がグリップ・コア６の上に注入・製造されているとき、グリップ・コア６は、先端部１７および１８により、グリップ１の製造中、鋳型空洞の壁にぴったりと密着している。外部層１１は、第三剛性を有し、一方、軟質層１０は第二剛性を有している。第二および第三の剛性は、弾性のあるプラスチックによって、硬度を変えて形成されており、その際、第三剛性に使用されるプラスチックは、第二剛性に使用されるプラスチックよりも高い硬度を有している。手でグリップ１に力が加えられると、外部層１１および軟質層１０が空間的に変形し、グリップ１を握っている手の形に適合し、グリップと手の最適な連結が達成される。この方法によって、グリップ１は、様々な使用者の多様な形の手に適応する。グリップ・コア６、グリップ・コア被覆９、軟質層１０および外部層１１は、使用プラスチックの適切な選択によって、射出工程での溶接により材料結合的に相互に連結されている。これに加えて、とりわけ、ねじりモーメントを伝達しなければならないグリップの場合、突起部８、１３およびグリップ・コア被覆９および軟質層１０の内側部分の間では、形状結合的接続が行われる。グリップ・コア被覆９は、軟質層１０よりも高い硬度を有し、グリップ・コア６の表面と材料結合的に接続されているため、グリップ・コア被覆９は、ねじりモーメントの伝達に有効に働く。
【０１０５】
グリップ１の製造は、まず、グリップ・コア６が第一の射出成形鋳型で製造され、その際、シャフト２がグリップ・コア６の中に鋳込まれる。第二の射出成形鋳型において、グリップ・コア被覆９、軟質層１０および外部層１１が、鋳型の中にセットされたグリップ・コア６の上に間欠サンドイッチ法に従って射出される。最初に、グリップ・コア被覆９、ウェブ４２および外部層１１（外側の層２７）を形成する第一材料２２が鋳型の中に注入され、その後すぐ、硬化する前に、軟質層１０（内側の層２８）を形成する第二材料のプラスチックが注入される。第二材料２３は、最初に注入された、まだ部分的に液状の第一材料２２を鋳型空洞の壁またはグリップ・コア６の壁に押しやり、それによって、グリップ・コア９、ウェブ４２および外部層１１が形成される。このような手順を介して、グリップ１の表面の外部層１１を厚い層として形成することが可能となる。この層の厚さは、例えば、材料２２、２３の割合と配合量および/または射出成形のパラメータなどによって調整できる。いずれにしても層の厚さは、作業時にグリップ１を包み込む手によって力が作用する際に、外部層１１および軟質層１０の半径方向の変形がなくならないように、しかし、一方では、スクリュー・ドライバー用グリップを使用する場合に必要なねじりモーメントを十分伝達できるように調整される。外部層の厚さは、およそ０.５〜２.５ｍｍが適当であることが判明した。その際、外被面１４の厚さは変えることができる。外部層１１の形成には、化学物質、油脂またはオイルに対して、使用に十分な耐性をもつ材質またはプラスチックが使用される。このような耐性は、軟質層１０に使用されるプラスチックには必ずしも必要ではないため、場合によっては経費を節約することができる。材料２２、２３の硬度および種類またはタイプの組み合わせは、ひとつには、これらの材料が相互に、そしてグリップ・コア６と材料結合的に十分結合するように、もうひとつは、必要な変形が得られるように選択される。
【０１０６】
このようなグリップ１は、選択的に、以下のように製造することができる。
‐  先端部４３、グリップ・コア被覆９、軟質層１０（内側の層２８）および外部層１１（外側の層）とともに、ある種のグリップ・スリーブを別個に製造する、または、
‐  グリップ・コア６で覆われたシャフト２とともに他の構成部品を別個に製造する。
この場合、最初に述べた構成部品の中に、例えば、適切な鋳型中子を用いて、長軸３−３の方向に走る中央の空洞を作り、これは、グリップ６の該当する外被面と形状結合的に接続するため（例えば、突起部８、１３を取り付けるため）、非円形の断面を有することができる。選択的に、この空洞は、前後方向に走る形成ポケットのある、６角形または円形の断面を有することができる。空洞を製造するための鋳型中子の周りには、すでに説明したように、第一材料２２からなる硬度の高いプラスチックでできたグリップ・コア被覆９が形成される。グリップ・コア６は、対応する断面、すなわち、同様に６角形または円形断面を有し、この断面は、最初の構成部品のポケットにかみ合う、半径方向に突き出した突起部８、１３をもち、非円形の断面を介して、ねじりモーメントを伝達することができる。両方の断面の寸法および公差は、第一構成部品がぴったりと合ってグリップ・コア６へ押し込むことができるように相互に調整されている。目的に応じて、両方の構成部品はさらに互いに接着することができる。先端部４３は、周辺に分配された突起４４または環状の突出部を有し、これは、スナップ方式で形状結合的にグリップ・コア６に配置された溝４５の中に納まっている。このような突起４４と溝４５のスナップ方式による接続によって、軸方向にロックがかかる（場合により、交換可能）。当然、スナップ接続は、他の方法でも形成可能であり、また、別の方法によって軸方向のロックを準備することができる。
【０１０７】
図１９に示されたグリップ１の実施形態の場合、外被面１４は、グリップ・コア６の先端部１７、１８が半径方向に拡大されて形成されている。先端部と先端部の間には、弾性をもつグリップ１の部品が配置されており、この部分は、軟質層１０（内側の層２８）ならびに縦断面において軟質層１０を密閉しているグリップ・コア被覆９および外部層１１（外側の層）による被覆によって形成されている。この弾性のあるグリップ部品を、まず、独自の射出成形部品として、同様にサンドイッチ法で製造し、柔軟に広げながら、後部から先端部１８にかけてグリップ・コア６の上に取り付けるか、あるいは、すでに言及した実施形態で説明したように、サンドイッチ法で直接グリップ・コア６の上にこのグリップ部品を射出することができる。
【０１０８】
図２０に示された実施例の場合は、グリップ１において、グリップ・コア６がグリップ１の先端まで連続しないように形成されている。むしろ、グリップ・コア６の先端部１８は、同様にグリップ・コア被覆９、軟質層１０（内側の層２８）および外部層１１（外側の層２７）によって覆われており、それによって、外部層１１が正面の外被面または丸い頂部を形成する。この実施例によるグリップの場合、少なくともひとつの、または唯一の吸入口２０をグリップ１の先端部中央に配置することが有効である。
【０１０９】
図２１に示された実施例の場合、グリップ・コア６は、先端部１８の半径方向への膨張がないまま、グリップ１の先端部まで続いている。
【０１１０】
図１８〜２１に示された実施例の場合、軟質層１０または内側の層２８は、とくに、硬度１０〜４５ショアＡの密閉構造で、プラスチックの鋳型において第二材料２３により形成される。選択的に、軟質層１０は、多孔質構造で形成することができ、その初期硬度は２０〜８０ショアＡである。外部層１１（外側の層２７）および/またはグリップ・コア被覆９には、第一材料がプラスチック鋳型において使用され、硬度は３０〜１０５ショアＡ、とくに３０〜８５、優先的には４０〜６０ショアＡである。軟質層１０の半径方向への広がりは、外部層１１および/またはグリップ・コア被覆９の広がりよりも大きい。グリップ・コア９および/または外部層１１の厚さは、０.５〜４ｍｍである。グリップ・コア６は、グリップの丸い先端を形成する頂部を有しており、その直径は、シャフトまたはグリップ・コア６の中心部２６の直径よりも大きい。選択的に、グリップ・コア６は、丸い頂部をもたないようにもでき、シャフトまたは中心部２６がグリップ１の先端まで、連続する一定の断面になるようにすることが可能である。さらに、グリップ・コアが、グリップ１の先端まで連続していないように形成することも可能である。
【０１１１】
図２２〜２４に示されたグリップの実施形態は、コテに使用される。グリップ１は、図２３に示された縦断面に従って、前方先端部４７、中央部２６および後方先端部４８を有している。先端部４７、４８は、それぞれグリップ・コア６の半径方向への広がりによって形成されている。中央部２６は、すでに示した実施形態に従って、グリップ・コア被覆９、第二材料２３による軟質層１０（内側の層２８）および第一材料２２による外部層１１（外側の層２７）によって形成され、その際、図に示された実施形態には、外部層１１およびグリップ・コア被覆９が、先端部４７、４８の移行部分において、ウェブ４２またはフランジ様の前面の層によってそれぞれ材料結合的に相互に接続されており、それによって、軟質層１０は硬い材料２２による層によって完全に覆われている。グリップ・コア被覆９、軟質層１０および外部層１１は、サンドイッチ法での材料２２、２３の注入によって製造される。図２４に示されたグリップ１の断面から、これが前後方向の軸３−３を横切る軸４９−４９に対して、非対称であることが分かる。もちろん、グリップは対称的な形にすることもできる。
【０１１２】
図１８〜２６で示されているように、グリップ１の内部では、材料２２によるグリップ・コア被覆９と外部層１１との間は、必ずしもウェブや突起部によって連続的に接続されていない。というのも、そのようなウェブによる接続は、サンドイッチ法の場合、どうしても自動的には生じないからである。
【０１１３】
図２５、２６に示した実施例の場合、下の図において、グリップ・コア６の突起部８、１３が準備され、これらは、図２６で分かるように、両方の半径方向に向かってグリップ・コア被覆９を通り抜け、軟質層１０（内側の層２８）へ伸びている。この場合、６つの突起部８、１３は均等に周辺方向へ配分され、その際、２つの向かい合う突起部８、１３は、その他の突起部８、１３に対して、半径方向への伸びが大きくなっている。しかし、また、すべての突起部が半径方向へ同一の伸びをもつようにすることも可能である。図１０、１１の例とは異なり、突起部は、層１０の中へ深く伸びていない。従って、ねじり剛性は、図１０、１１のグリップよりも少ない。鋳型および注入ダクトの設置ならびにプロセスの調整が適切であり、図に示されたグリップ１を間欠サンドイッチ法で製造する場合には、しかし、ウェブ１２がグリップ・コア６またはグリップ・コア被覆９と外部層１１との間に形成され、このウェブは、図２７および図２５の上半分から分かるように、軸方向における層１０の広がり全体に及んでいる。
【０１１４】
図２８は、プライヤ・リム２５用グリップの実施形態を示している（図７、８、９も参照）。プライヤ・リム２５に取り付けられている下部５１は、硬質プラスチックで覆われている。上部５２は、プライヤ・リム２５の外側の面で下部５１と材料結合的に接続されており、その際、この接続の場合には、下部５１がスクリュー・ドライバー用実施例のグリップ・コア６に匹敵する。上部５１は、軟質層１０または内側の層２８で形成され、これは、断面図において、互いに移行し合う外部層１１または外側の層ならびに「グリップ・コア被覆」９によって完全に囲まれている。上部５２と下部５１とが接続して構成されているグリップ１の製造は、後付けの個別部品としてプライヤ・リムに取り付けることもできるし、スクリュー・ドライバーのグリップ・コア６の上に層１０、１１を射出成形するように、サンドイッチ法においてプライヤ・リム２５の上へ直接射出成形することも可能である。
【０１１５】
図２９、３０は、グリップ１の実施形態を有するハンマー５３の縦断面図と横断面図である。少なくとも、使用者の手によって握られるグリップの範囲には、グリップ１がグリップ・コア被覆９、軟質層１０（内側の層２８）および外部層１１（外側の層２７）によって形成され、これらはサンドイッチ法で製造することができる。図に示された実施形態とは別に、ハンマーの柄は、スクリュー・ドライバー用グリップでの丸い頂部１８のような、空洞内に密着するエンド・ピースを装備することもできる。
【０１１６】
図３１および３２に示された実施例は、硬質のプラスチックによるグリップ・コア被覆９なしに製造されている。その代り、グリップ・コア６は、向かい合って配置された両方の突起部８、１３が直接または間接的にグリップ・コア被覆９を相互に接続する形で、軟質層１０（内側の層２８）によって覆われており、この層はサンドイッチ法で製造され、第二材料２３によって形成されている。軟質層１０は、半径方向の外側で外部層１１（外側の層２７）によって覆われ、この層はサンドイッチ法で製造され、第一材料２２によって形成されている。外部層１１の厚さは、この形態の場合、鋳型空洞に注入される材料２２と２３の量を適切に配合し、鋳型空洞の壁を強力に冷却することによって、優先的には、グリップの大きさに応じて、２〜４ｍｍの範囲で調整される。それによって、層２７、２８の接続は、突起部８、１３が軟質層１０に深く入っていなくても、すでに良好なねじり剛性を得ている。ねじり剛性をさらに向上させるには、突起部８を外部層１１（外側の層２７）の内面まで延長することによって可能である。極端な場合には、突起部が外部層２７に材料結合的に接合する（図１５、１６を参照）。ねじり剛性を高めるには、グリップ・コア６自体がほぼ長方形の断面をもち、材料結合的に外部層１１の内面に接合することによって可能となる（図１７を参照）。
【０１１７】
図３３は、ほぼ同じ軸方向のポジションで、３つの吸入口２０、２１、５４が周辺方向に均等に配分された、発明に基づく方法の実施形態を示している。この方法で、吸入口２０、２１、５４間の周辺方向の中央部に、３つの突起部１２を製造することができ、これらの突起部は、軸方向と半径方向に伸びている。
【０１１８】
図３４は、２つの吸入口２０、２１が周辺に向かい合って配置されているが、軸方向にはずれた位置に配置され、発明に基づく方法の実施形態を示している。この場合、説明したサンドイッチ法では、周辺方向に閉じられているか、前後方向の軸３−３を中心に周る螺旋形に形成され、層９と１１を結ぶ突起部１２が生じている。図に示された実施形態とは異なり、吸入口２０、２１が、周辺方向に向き合わないでずれている場合には、生じる突起部１２は、前後方向の軸に対して横方向の面に伸び、一方、図に示された実施形態では、前後方向の軸３−３に対して螺旋の勾配角γが生じる。注入条件および注入口２０、２１の場所によって、螺旋の勾配角γを規定することができる。
【０１１９】
優先的に、本発明は、様々な工具のためのグリップのみならず、サイズやシャフトの形が異なる工具セット用のひとつまたは複数のグリップにも適用される。
【０１２０】
スクリュー・ドライバー用グリップの場合、多孔質な層の形態は優先されない。発明に基づく方法は、スクリュー・ドライバー用グリップのような左右対称の断面をもつグリップの製造に使用することができるが、また、ＥＰ００９０７４４８.５およびＥＰ０１９１５０００.２の申請者によるコテ用グリップまたはハンマー用グリップのように、左右非対称の断面をもつグリップにも使用できる。発明の形態では、硬質プラスチックによるグリップ・コアの横断面積が既成グリップの横断面積と比べて小さく、そのことによって、弾性のある、柔軟な層の容量を比較的大きくできることが、本方法に基づいて製造されるグリップに特徴的なことである。従って、このグリップは、硬質プラスチックによるグリップ・コアの断面積が軟質プラスチックによるグリップ被覆の断面積に比べて大きいという、従来の技術による２つの構成部品からなるグリップとは異なっている。
【図面の簡単な説明】
【０１２１】
以下に、図に示された優先的な実施例を使って、本発明をさらに説明する。
【０１２２】
【図１】第一材料および第二材料を同一鋳型へ連続注入するサンドイッチ法における、発明に基づいたスクリュー・ドライバー用グリップの製造を示した図。
【図２】第一材料および第二材料を同一鋳型へ連続注入するサンドイッチ法における、発明に基づいたスクリュー・ドライバー用グリップの製造を示した図。
【図３】第一材料および第二材料を同一鋳型へ連続注入するサンドイッチ法における、発明に基づいたスクリュー・ドライバー用グリップの製造を示した図。
【図４】第一材料および第二材料を同一鋳型へ連続注入するサンドイッチ法における、発明に基づいたスクリュー・ドライバー用グリップの製造を示した図。
【図５】第一材料および第二材料を同一鋳型へ連続注入するサンドイッチ法における、発明に基づいたスクリュー・ドライバー用グリップの製造を示した図。
【図６】第一材料および第二材料を同一鋳型へ連続注入するサンドイッチ法における、発明に基づいたスクリュー・ドライバー用グリップの製造を示した図。
【図７】第一材料および第二材料を同一鋳型へ連続注入するサンドイッチ法における、プライヤ用グリップの製造を示した図。
【図８】第一材料および第二材料を同一鋳型へ連続注入するサンドイッチ法における、プライヤ用グリップの製造を示した図。
【図９】第一材料および第二材料を同一鋳型へ連続注入するサンドイッチ法における、プライヤ用グリップの製造を示した図。
【図１０】丸い基本断面と２つの対面する周辺面に突出した突起部のあるグリップ・コアを有する、発明に基づいたグリップの実施形態の縦断面図と横断面図。
【図１１】丸い基本断面と２つの対面する周辺面に突出した突起部のあるグリップ・コアを有する、発明に基づいたグリップの実施形態の縦断面図と横断面図。
【図１２】第一の近接部分に長方形のグリップ・コアを有する、発明に基づくグリップの実施形態の縦断面図と横断面図。
【図１３】第一の近接部分に長方形のグリップ・コアを有する、発明に基づくグリップの実施形態の縦断面図と横断面図。
【図１４】断面で星形のグリップ・コアを有する、発明に基づくグリップの実施形態を示した図。
【図１５】発明に基づくグリップ実施形態の縦断面図と横断面図。この場合、グリップ・コアは、内部層を通過して比較的厚いグリップ外部層まで伸びる隆起部を有している。
【図１６】発明に基づくグリップ実施形態の縦断面図と横断面図。この場合、グリップ・コアは、内部層を通過して比較的厚いグリップ外部層まで伸びる隆起部を有している。
【図１７】発明に基づくグリップの実施形態の横の断面図。この場合、図１５および１６に示された実施例とは異なり、第一の近接部に長方形の断面をもつグリップ・コアが準備され、その断面は内部層を通過して外部層まで伸びている。
【図１８】発明に基づくグリップの実施形態の縦断面図。この場合、グリップはスナップ式接続によって、または軸方向の形状結合によって互いに接続された２つの構成部品で形成されている。
【図１９】発明に基づくグリップの実施形態の縦断面図。この場合、グリップ・コアがダンベル形の先端部を有し、端部と端部との間で、グリップ・コア中間部の周りにグリップ・コア被覆、内部層および外部層が広がっている。
【図２０】発明に基づくグリップの実施形態の縦断面図。この場合、グリップ・コアがグリップの終端まで伸びておらず、グリップ・コアの終端がグリップ・コア被覆、柔らかい内部層および外部層によって覆われている。
【図２１】発明に基づくグリップの実施形態の縦の部分断面図。この場合、グリップ・コアが終点部分で変化しないまま、連続する断面で形成されている。
【図２２】発明に基づく、コテ用グリップの実施形態。グリップ付きコテを上から見た図ならびにグリップの縦断面図および横断面図。
【図２３】発明に基づく、コテ用グリップの実施形態。グリップ付きコテを上から見た図ならびにグリップの縦断面図および横断面図。
【図２４】発明に基づく、コテ用グリップの実施形態。グリップ付きコテを上から見た図ならびにグリップの縦断面図および横断面図。
【図２５】図２５の下半面と関連した、発明に基づくグリップの実施形態の縦および横断面図。この場合、グリップ・コアの突起部がグリップ・コア被覆を貫通し、硬い外部層によって覆われた内部層に伸びている。
【図２６】図２５の下半面と関連した、発明に基づくグリップの実施形態の縦および横断面図。この場合、グリップ・コアの突起部がグリップ・コア被覆を貫通し、硬い外部層によって覆われた内部層に伸びている。
【図２７】図２５の上半面と関連した、発明に基づくグリップの実施形態の横断面図。この場合、グリップ・コアの突起部が、一体形成で外部層をグリップ・コア被覆と接続し、外部層とグリップ・コア被覆との間に配置された柔らかい内部層を貫通するウェブに移行している。その際、周辺方向の内部層はウェブによって中断されている。
【図２８】発明に基づくプライヤ・リム用グリップの実施形態断面図。図８および９に類似。
【図２９】発明に基づくハンマー用グリップの実施形態の縦および横断面図。
【図３０】発明に基づくハンマー用グリップの実施形態の縦および横断面図。
【図３１】発明に基づくグリップ実施形態の縦および横断面図。この場合、突起部をもつグリップ・コアが柔らかい層によって覆われており、さらにその層が固い、比較的厚い外部層によって覆われている。
【図３２】発明に基づくグリップ実施形態の縦および横断面図。この場合、突起部をもつグリップ・コアが柔らかい層によって覆われており、さらにその層が固い、比較的厚い外部層によって覆われている。
【図３３】発明に基づいて、サンドイッチ法でグリップを製造するための鋳型の横断面図。この場合、鋳型は、周辺に配分された３つの吸入口を有している。
【図３４】発明に基づいて、サンドイッチ法でグリップを製造するための鋳型の縦断面図。この場合、鋳型は、軸方向にずれた吸入口を有している。
【符号の説明】
【０１２３】
１            グリップ
２            シャフト
３            長軸
４            シャフトの伝達断面
５            突起部
６            グリップ・コア
７            グリップ・コアの伝達断面
８            グリップ・コア突起部
９            グリップ・コア被覆
１０            軟質層
１１            外部層
１２            突起部またはウェブ
１３            突起部
１４            外被面
１５            アイ
１６            鋳型、鋳型空洞
１７            先端部
１８            先端部
１９            チャンバ
２０            吸入口
２１            吸入口
２２            第一材料
２３            第二材料
２４            ダクト
２５            プライヤ・リム
２６            中間部
２７            外側の層
２８            内側の層
２９            前後方向の広がり
３０            突起部の伸び/長方形の伝達断面
３１            グリップ・コア半径
３４            外被面半径
４０            半径方向の広がり
４１            半径方向の広がり
４２            ウェブ、フランジ
４３            先端部
４４            突起
４５            溝
４６            コテ
４７            前方先端部
４８            後方先端部
４９            横軸
５０            プライヤ
５１            下部
５２            上部
５３            ハンマー
５４            吸入口
【図１】
2009520609.tif 000003
【図２】
2009520609.tif 000004
【図３】
2009520609.tif 000005
【図４】
2009520609.tif 000006
【図５】
2009520609.tif 000007
【図６】
2009520609.tif 000008
【図７】
2009520609.tif 000009
【図８】
2009520609.tif 000010
【図９】
2009520609.tif 000011
【図１０】
2009520609.tif 000012
【図１１】
2009520609.tif 000013
【図１２】
2009520609.tif 000014
【図１３】
2009520609.tif 000015
【図１４】
2009520609.tif 000016
【図１５】
2009520609.tif 000017
【図１６】
2009520609.tif 000018
【図１７】
2009520609.tif 000019
【図１８】
2009520609.tif 000020
【図１９】
2009520609.tif 000021
【図２０】
2009520609.tif 000022
【図２１】
2009520609.tif 000023
【図２２】
2009520609.tif 000024
【図２３】
2009520609.tif 000025
【図２４】
2009520609.tif 000026
【図２５】
2009520609.tif 000027
【図２６】
2009520609.tif 000028
【図２７】
2009520609.tif 000029
【図２８】
2009520609.tif 000030
【図２９】
2009520609.tif 000031
【図３０】
2009520609.tif 000032
【図３１】
2009520609.tif 000033
【図３２】
2009520609.tif 000034
【図３３】
2009520609.tif 000035
【図３４】
2009520609.tif 000036
【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
硬質材料によるグリップ・コア（６）、軟質の第一材料（２２）による外部層（２７）および外部層（２７）の内側にあり、半径方向の外側の層に接している軟質の第二材料（２３）による内側の層（２８）を有し、その際、層（２７、２８）の層の厚さと剛性は、使用者がグリップ（１）に手で力を加えた場合、外部層（２７）と内側の層（２８）の両方に弾性による変形が生じ、
ａ）まず、鋳型（１６）に第一材料（２２）が注入され、
ｂ）第一材料（２２）の注入に続いて、鋳型（１６）内の第一材料（２２）が最終的に硬化する前に、第二材料（２３）が液状のままの第一材料（２２）中に注入され、その際、第二材料（２３）の注入によって第一材料（２２）が空間的に押しやられ、鋳型（１６）の壁に当たるまで移動し、
ｃ）硬化した後、
ｃａ）  外側の層（２７）は第一材料（２２）で形成され、
ｃｂ）  内側の層（２８）は第二材料（２２）で形成される、
ｄ）第一材料（２３）の最終的な硬化の前に、少なくとも２つの半径方向に向いた吸入口（２０、２１）から、第二材料（２３）が鋳型（１６）に注入され、材料の流れが、互いに逆方向に流れる分流を生じることによって、第一材料（２２）は、
ｄａ）部分的に、第二材料（２３）によって外側へ押され、そこで硬化した後、グリップ（１）の外皮面（１４）の少なくとも一部を形成し、
ｄｂ）少なくとも逆方向の分流が遭遇する部分において、第一材料（２２）が留まり、それによって、硬化した後、第一材料（２２）によるウェブ、突出部または突起部（１２）が形成され、これらは材料結合的に外部層（２７）および/または内部層（グリップ・コア被覆９）に接続される、
以上の段階を経る工具用グリップ（１）の製造方法。
【請求項２】
内側の層（２８）および外側の層（２７）が閉じた構造をもって製造されることを特徴とする、請求項１に記載の方法。
【請求項３】
第二材料（２３）が第一材料（２２）よりも柔らかいことを特徴とする、請求項１または２に記載の方法。
【請求項４】
第一材料（２２）の注入に続いて、鋳型（１６）内の第一材料（２２）が最終的に硬化する前に、第二材料（２３）が注入され、
ａ）第一材料（２２）が部分的に第二材料（２３）によって外側へ押しやられ、硬化した後、そこでグリップ（１）の外皮面（１４）の少なくとも一部を形成し、
ｂ）第一材料（２２）が部分的に第二材料（２３）によって内側に押しやられ、硬化した後、そこで内部層（グリップ・コア被覆９）の少なくとも一部を形成する、
以上のように材料が流れることを特徴とする、請求項１〜３のいずれかに記載の方法。
【請求項５】
反対方向に流れる分流が遭遇する部分において、冷却された第一材料（２２）の外層が押しやられたり、溶けたりするのではなく、一体化することによって、硬化した後、この部分において、第一材料（２２）によるウェブ、突出部または突起部（１２）が形成され、これらは材料結合的に外側の層（２７）および/または内部層（グリップ・コア被覆９）に接続されていることを特徴とする、請求項１に記載の方法。
【請求項６】
第一材料（２２）と第二材料（２３）の注入が同一の吸入口（２０;２１）から行われることを特徴とする、請求項１〜５のいずれかに記載の方法。
【請求項７】
第一材料（２２）と第二材料（２３）が、材料の流れを中断せずに、時間的に途切れることなく順番に注入されることを特徴とする、請求項６に記載の方法。
【請求項８】
周辺方向に互いに向かい合う２つの吸入口（２０、２１）が準備されていることを特徴とする、請求項６または７に記載の方法。
【請求項９】
唯一の吸入口（２０;２１）が準備されていることを特徴とする、請求項６または７に記載の方法。
【請求項１０】
材料（２２、２３）を注入する前に、グリップ・コア（６）が鋳型（１６）の中にセットされることを特徴とする、請求項１〜９のいずれかに記載の方法。
【請求項１１】
グリップ・コア（６）がアイ（１５）を有し、ウェブ、突出部または突起部（１２）が形成される部分にアイ（１５）があるようにグリップ・コア（６）が鋳型 （１６）の中にセットされ、吸入口（２０、２１）と向かい合っていることを特徴とする、請求項１０に記載の方法。
【請求項１２】
グリップ・コア（６）が半径方向の外側に方向づけられた突起部（８）を有し、逆方向の分流が互いに遭遇し、ウェブ、突出部または突起部（１２）が形成される部分に突起部（８）が伸びるように、グリップ・コア（６）が鋳型の中にセットされることを特徴とする、請求項１０または１１に記載の方法。
【請求項１３】
逆方向の分流が遭遇し、ウェブ、突出部または突起部（１２）が形成される部分に対して、鋳型（１６）の分割面が約９０°ずれていることを特徴とする、請求項１〜１２のいずれかに記載の方法。
【請求項１４】
グリップ・コア（６）が向かい合う２つの先端部（１７、１８）を有し、それらが外皮面（１４）の末端部分を形成し、その際、先端部（１７、１８）、グリップ・コア（６）またはグリップ・コア被覆（９）および鋳型（１６）は、材料（２２、２３）が注入される前に、チャンバ（１９）を形成していることを特徴とする、請求項１０〜１３のいずれかに記載の方法。
【請求項１５】
工具が２つのプライヤ・リム（２５）をもつプライヤであり、リムは、それぞれグリップ（１）によって覆われており、その際、第一材料（２２）および第二材料（２３）の吸入口（２０）が、組み立てられた状態で、互いに別の方向を向いたプライヤ・リム（２５）の側に配置されているか、グリップの後方または前方の端部に配置されていることを特徴とする、請求項１〜１４のいずれかに記載の方法。
【請求項１６】
第一材料（２２）が注入され、その硬度が２５〜９０ショアＡ、優先的には３０〜８５ショアＡ、とくに３０〜６０ショアＡであることを特徴とする、請求項１〜１５のいずれかに記載の方法。
【請求項１７】
第二材料（２３）が注入され、その硬度が１０〜４０ショアＡ、優先的には１５〜３５ショアＡであることを特徴とする、請求項１〜１６のいずれかに記載の方法。
【請求項１８】
内側の層（２８）の半径方向への広がりが小さい２つの部分が生じるように、注入条件が規定されることを特徴とする、請求項１〜１７のいずれかに記載の方法。
【請求項１９】
グリップ・コア（６）に突起部（８）が準備され、これらが外側の層（２７）の内面まで伸びていることを特徴とする、請求項１〜１８のいずれかに記載の方法。
【請求項２０】
主として長方形の断面をもつグリップ・コア（６）が挿入され、その長い方の面が外側の層（２７）とかなり近い距離まで伸びていることを特徴とする、請求項１〜１８のいずれかに記載の方法。
【請求項２１】
第一材料（２２）として、熱可塑性エラストマ、熱可塑性ポリオレフィン、ポリプロピレン、ＥＰＤＭカウチュック、ＰＶＣ、スチロール・ブロック共重合体が注入されることを特徴とする、請求項１〜２０のいずれかに記載の方法。
【請求項２２】
外側の層（２７）が充填材を有することを特徴とする、請求項１〜２１のいずれかに記載の方法。
【請求項２３】
グリップ（１）の外皮面（１４）がシート・フォイルによって形成され、材料結合的に内部の層に接合されていることを特徴とする、請求項１〜２２のいずれかに記載の方法。
【請求項２４】
材料（２２、２３）の吸入口（２０、２１）が相互に軸方向にずれて配置されていることを特徴とする、請求項１〜２３のいずれかに記載の方法。
【請求項２５】
請求項１〜２９に記載の特徴を有し、請求項１〜２９のいずれかに記載の方法によって製造される、とくにスクリュー・ドライバーに用いる工具用グリップ。
【請求項２６】
外側の層（２７）が０.５〜４ｍｍの厚さであることを特徴とする、請求項２５に記載のグリップ。
【請求項２７】
内側の層（２８）の半径方向への広がりが、少なくともグリップの最大直径の部分で外側の層（２７）の半径方向への広がりよりも大きくなることを特徴とする、請求項２５または２６に記載のグリップ。
【請求項２８】
グリップ（１）の最大直径（直径＝２.０×半径（３４））とグリップ・コアの直径（直径＝２.０×半径（３３））の比が、少なくとも同じ地点で、１.５よりも大きく、とくに２よりも大きくなることを特徴とする、請求項２５、２６または２７に記載のグリップ。
【請求項２９】
外側の層（２７）が、少なくとも軸方向の広がり（２９）の部分で、最大４ｍｍの一定の厚さを有することを特徴とする、請求項２５〜２８のいずれかに記載のグリップ。
【手続補正書】
【提出日】平成20年8月22日(2008.8.22)
【手続補正１】
【補正対象書類名】明細書
【補正対象項目名】全文
【補正方法】変更
【補正の内容】
【書類名】明細書
【発明の名称】グリップの製造方法
【技術分野】
【０００１】
本発明は、とくにねじりモーメントを伝達する工具のグリップ製造方法に関するものであり、例えば、スクリュー・ドライバー用グリップの製造方法に関連している。
【背景技術】
【０００１】
工具グリップの形態基準および評価基準には、とくに以下のものがある。
‐グリップの製造コスト
‐グリップの重さ
‐ひとつの手、場合によっては様々な大きさの手、および様々なグリップ使用者の力に対応するグリップの適応性
‐力およびモーメント、とくにスクリュー・ドライバーのようなねじりモーメントを伝達する工具のねじりモーメント伝達性能
従来の技術から、工具用グリップおよびその製造方法については、以下に示すように様々な形態が公知である。
【０００３】
スクリュー・ドライバー専用グリップ
ＵＳ-ＰＳ２，８７１，８９９は、グリップの触覚を改善する目的で、硬質プラスチック製スクリュー・ドライバーのような工具用グリップを最初に改良したものである。これによると、あらかじめ製造された軟質プラスチック製の外被がグリップ・コアに貼り付けられる。グリップ・コアとグリップ外被とは、ねじりモーメントを伝達するために、溝を取り付けることによる周辺方向への形状結合によって相互に接続されている。軟質プラスチックを使用することにより、グリップの握りが向上する。しかし、このグリップの実地テストでは、負荷が大きい場合に、軟質のグリップ外被がグリップ・コアから外れて、皺ができる可能性のあることが示された。これは「縮絨」と呼ばれ、グリップ外被がコアから離れることにより、グリップを長時間連続して使用する場合に、使用者の手の表面に水疱ができて痛みが生じ、炎症を引き起こしかねない過度の負担が手の骨にかかることになる。
【０００４】
このような欠点を解消するために、材料結合的に接続することでグリップ・コアをグリップ外被と結合する以下の方法が提案された。その際、軟質プラスチックは、
‐周辺方向へ配分されたグリップ外被部分のみを形成する、または、
‐周辺方向に密閉された状態でグリップ・コアを取り囲む。
とくに、ＤＥ９２０２５５０Ｕ１、ＤＥ４３０４９６５Ａ１、ＤＥ２９５１５８３３Ｕ１、ＤＥ１９５３９２００Ａ１、ＤＥ２９５１７２７６Ｕ１、ＤＥ２９９００７４６Ｕ１、ＤＥ２９９０４０８２Ｕ１を参照。
【０００５】
このように、２種類のプラスチック構成部品から作られたグリップの場合、工具は、第一グリップ部分である硬質プラスチックのグリップ・コアに固定されている。このようなグリップ・コアは、引き続き、軟質プラスチックのグリップ外被で押し出し被覆され（例えば、ＥＰ０６２７９７４Ｂ１を参照）、この部分は第二グリップ部分とも呼ばれる。軟質プラスチックのグリップ外被には一定の柔軟性があり、硬質プラスチックのみで作られたグリップよりも握った時の感触がよくなる。さらに、軟質プラスチックは、場合によっては硬質プラスチックよりも高い摩擦係数を有する。従って、場合によっては、このような「２種類の構成部品によるグリップ」を用いた方が、同サイズの硬質プラスチック製グリップを使用するよりもさらに高いねじりモーメントを伝達することができる。このことは、スクリュー・ドライバー、ねじクランプなどのグリップでは重要となる。
【０００６】
ＵＳ２，８７１，８９９は、グリップ・コアに縦方向の穴を設け、その穴に工具のシャフトを圧入し、摩擦接続するという、ねじりモーメントを伝達するグリップを発表している。このグリップ・コアは、シリンダ形の面を有し、内径とほぼ同じ大きさのスリーブをその上にはめ込むことができ、スリーブはそこで摩擦により保持されている。スリーブの材質は、グリップ・コアの材質よりも柔軟で、緩衝作用がより強い。そのために、例えば、硬度が４０〜９０ショアＡで、緩衝性のある、ゴムに似た材料が使用されている。とくにネオプレン・ゴムは硬度が５５〜７０ショアＡであり、引張強さは、約３５０％の伸びで１５００〜２０００ポンド／インチ２である。スリーブとグリップ・コアとの摩擦接続の他に、接着剤を使用したり、前後方向に弾性のある形状結合を用いたりすることもできる。このスリーブは、射出成形部品にすることができる。さらに、周辺方向への形状結合を行うために、グリップ・コアの外面およびスリーブの内面に前後方向に走る溝、突出部または歯を取り付けることができる。
【０００７】
ＤＥ６９４２１７６５Ｔ２（ＥＰ０６３５３３７Ｂ１）は、スクリュー・ドライバーのシャフトの上にプラスチック材料を重ね合わせて層を形成するという従来の技術を前提としている。スクリュー・ドライバーのシャフトが埋め込まれている中心の層は、第一層として形成され、グリップの外周となる層がこの中心層の上、または中間層の上に形成される。このような形態には、複数の押出しヘッド（通常は２つまたは３つのヘッド）を使ったトランスファー成形が用いられる。これに基づいて、この文献では、スクリュー・ドライバーのシャフトをプラスチック・グリップに埋め込むことを提案している。グリップ外被面の前方部分は、プラスチック・スリーブによって形成されている。プラスチック・スリーブは、断面がリング状で、２つの部分が同軸上で相互に入り込むように形成されており、その際、内側の部分は射出成形方式で製造されており、この部分の上で外被面を形成するもうひとつの部分も、射出成形方式で形成される。プラスチック・スリーブの両方の部分を形状結合的に接続するために、これらの部分には補足的に凸部と凹部とがある。このスリーブは、２つの押出しヘッドをもつ従来の成形プレスで製造される。その後に続くプロセスで、このスリーブの中に半径すき間を形成してシャフトが取り付けられる。次に、プラスチック材料によって、スリーブ先端部分から外側の半径方向に、スリーブ内部、グリップの丸い先端部および端部側の外被部分の隙間が満たされるように、プラスチック材料が適当なフォームの中に注入される。スリーブの内側部分は、スリーブの外側部分よりも硬いプラスチックで形成されている。その結果、これは、弾性のある比較的薄いプラスチック外層と硬質プラスチックのグリップ・コアとを有し、一般に流通している２種類の構成部品からなるグリップとなるが、手で加える力の作用による変形は起きない。
【０００８】
ＥＰ１３１４５１９Ａ１は、同様にスクリュー・ドライバーのグリップに関するものである。この場合、シャフトは、比較的硬いプラスチックからなるグリップ・コアに埋め込まれている。グリップ・コアは、少なくとも部分的に変形可能なエラストマ材料で覆われている。この変形可能な外被材料の損傷を防ぐために、外被には薄いコーティングが施されており、このコーティングが保護層およびエラストマ外被の保持層を形成する。変形可能な外被にエラストマ材料を使用する代わりに、ゲル材料を使用することもできる。さらに、この文献では、スリーブの中に密閉された変形可能な被覆（ここではゲル・クッション）を配置することが発表されている。このようなスリーブを、ショベルの柄やハンマーの柄に取り付けて、そこにグリップを作ることができる。グリップ表面が少なくとも部分的に変形可能であることにより、例えば、ある一定の個所を使用者が他の個所よりも強い力で握るときに、グリップの変形が可能となる。使用者の手が標準の形および標準サイズではない場合でも、この方法で、グリップの握りおよび操作がうまく行えるようになる。外被が変形する度合は、個々の場合の状態およびグリップの種類またはこのグリップと一緒に使用される工具の種類に左右される。グリップの変形は、例えば、使用者が握るグリップ・エレメントの全範囲に広げることが可能である。同様に、変形をグリップ表面の一部分に制限することも可能である。例えば、使用者の手のひらが触れる部分は変形可能にし、使用者の指先が触れるグリップ部分は変形しないように形成することもできる。このようなグリップ表面の仕様は、例えばスクリュー・ドライバーなど、グリップ表面の特定の部分が、指先で工具を素早く回転させることを考慮して形成されている場合に用いられる。この場合、グリップ表面の変形はグリップ表面から特定の深さまでに制限されていなければならない。内部には硬いグリップ・コアがあり、これは、シャフトとの接続に働くだけではなく、手から工具へ動きを伝達するための強固な支えでもある。しかし、変形可能な層の厚さが小さすぎるため、使用者の手に合わせてグリップを調整することはできない。
【０００９】
申請者ＤＥ９２０２５５０Ｕ１は、ポリプロピレンなどの硬質プラスチックのグリップ・コアを有した、２種類の構成部品からなるスクリュー・ドライバー用グリップを発表しており、第一の形態では、これがはめ込まれたシャフトと一緒に製造される。第二の形態では、グリップ・コアが、熱可塑性プラスチック製エラストマなどの、硬度６０〜８０ショアＡの軟質プラスチックによって覆われている。ドーム形の部分を製造するため、正面がドームの形をしたシリンダ形の成形部材を鋳型の中へ軸方向に挿入することにより、作成されたドームは、継ぎ目なく次のグリップ外被面に移行する（ＤＥ４３０４９６５Ａ１も参照）。このグリップもまた、今日一般に市販されている２種類の構成部品によるグリップであるが、使用者の手に対する適応機能はない。
【００１０】
ＤＥ３５２５１６３Ｃ２は、まず、硬質プラスチックのグリップ・コアがシャフトを覆っているスクリュー・ドライバー用グリップを発表している。硬質プラスチックからなる先端の人参形ドームは別個に形成可能であり、後からグリップ・コアと接続するか、グリップ・コアに取り付けて成形することができる。ドームがグリップ・コアよりも硬い材料からできている場合には、複数の部分に分けることが適当である。複数の部分に分ける形態の場合、ドーム中央のピンを、対応するグリップ・コアの凹部に入れることができる。グリップ・コアは、ほぼ中央で半径方向に拡張しており、その部分では、グリップ・コアが硬質プラスチックとともにグリップ外被面の一部を構成している。この部分から軸方向に前後して位置している外被面の部分は、グリップ・コアの外被とともに軟質プラスチックで構成されており、その際、グリップ・コアの拡張部には、周辺方向に分配された４つの軸方向のホールがあり、これらのホールによって、軟質プラスチックによる外被面の前方部分と後方部分とが相互に接続されている。
【００１１】
少なくとも軸方向の一部または外被面の一部が、硬いグリップ・コアの上に射出された軟質プラスチックによって形成されている、その他の２種類またはそれ以上の構成部品からなるグリップ（とくにスクリュー・ドライバー用）は、例えばＤＥ１９５３９２００Ａ１、ＤＥ２９５１７２７６Ｕ１、ＥＰ０２０８９４２Ａ２、ＤＥ９２０２５５０Ｕ１またはＤＥ２９９０４０８２Ｕ１から公知である。
【００１２】
ＥＰ０３５８８８３Ａ１は、最大直径の中央部分から前半分および後半分が、段を形成することなく連続的に細くなっているスクリュー・ドライバー用グリップを発表している。この形態では、グリップが、半分の鋳型を２個使って射出成形方式で製造され、スクリュー・ドライバーの前後方向の軸に対して横向きの分割継ぎ目ができる。
【００１３】
ＵＳ３，１８９，０６９は、グリップ・コアの中に交換可能な状態で摩擦保持されたシャフトを有するスクリュー・ドライバーを発表している。グリップ・コアは、外被面の部分に軸方向に走る突起部および溝を有している。さらに、グリップ・コアの周辺部に溝がつけられている。グリップ・コアの上から、軸方向にグリップ外被が押し込まれ、その際、内側を向いたグリップ外被の突き出し部は、周辺方向に形状結合的にグリップ・コアの溝にかみ合っている。グリップ外被は、もうひとつの突き出し部で周辺部の溝の中にかみ合っており、これによって、グリップ外被はグリップ・コアに固定されている。前述の形状結合的接続の他に、グリップ外被のいくつかのセグメントでは、半径方向への押し圧力が形成されることによりグリップ・コアに圧着し、摩擦による接続が生じている。グリップ外被の材料には、グリップ・コアの材料よりも柔らかい材料（ゴムなど）が選択される。
【００１４】
文献ＷＯ００/４３１６６及びＥＰ１１６３０８８Ｂ１により、形態を左右非対称にすることによって、一般に流通しているグリップと比較して人間工学的な特性を向上させているグリップが公知である。このグリップの欠点は、軟質プラスチックによるグリップ外被の厚さが小さいため、僅かしか変形しないことである。使用者の手のサイズや形が様々に異なっている一方で、製造面で、グリップは一定のサイズと形に標準化されている。従って、とくに異なる使用者が様々に異なった手でグリップを使用する場合には、この公知のグリップでは最良の人間工学が保障されない。さらに、スクリュー・ドライバー用グリップの場合には、ネジ止めする際に、グリップを回す使用者の手は、途中でグリップを持つ場所を周辺方向へ変えている。従って、ＷＯ００/４３１６６やＥＰ１１６３０８８Ｂ１による左右非対称のグリップにおいて、使用中のグリップの握り場所が主として一個所しかないような場合のように、グリップを人間工学の理想的なひとつの基本形態に形成することはできない。
【００１５】
プライヤ用グリップ
ＤＥ２０２００４０１９１５６Ｕ１は、２つのリムと、同形に形成された２つのグリップをもつプライヤを説明している。各グリップは、外被面の範囲に３つの部分があり、これらの部分は順番に並べられ、グリップの先端部方向に行くに従って硬度が増していく。もっとも硬い部分は、先端部側の外被面とともにグリップ・ボディを形成し、その上に、それ以外の外皮面を形成する別の部分が取り付けられている。第一の部分には硬質プラスチックのような硬い材料が使用されており、これは射出成形で製造することができる。第二の部分は、軟質プラスチックから作られる。第三の部分は、ゲル・クッションで形成されている。工具のシャフトは第一の部分に埋め込まれている。
【００１６】
ＥＰ０５３８６３２Ａ１は、同様にプライヤ用グリップに関しており、この場合、プライヤのリムのシャフトは、外側の部分が、ポリビニールクロライドやポリエチレンなどの、硬度６５〜８２ショアＡ、とくに６６〜７０ショアＡの軟質プラスチックで覆われており、一方、内側の部分は、セルロースアセテートやアクリロニトリル・ブタジエン・スチレン共重合樹脂などの、硬度８５〜９２ショアＡ、とくに８６〜９０ショアＡの、形状の安定した硬質プラスチックによって覆われている。さらに、内部の周辺部分には、外部の周辺部分に合わせて同じく軟質プラスチックからできたインサートを準備することが可能であり、それによって、周辺方向に硬質プラスチックと軟質プラスチックとが交互に配置される。
【００１７】
とくにスクリュー・ドライバー、コテ、プライヤ、やすり、鋸などの２種類の構成部品からなるすべてのグリップの場合、従来の技術によると、外側の層はグリップ・コアよりも柔らかく、比較的薄い。
【００１８】
打つ道具のためのグリップ
ＵＳ６，３７０，９８６Ｂ１は、ハンマーが一般に金属などの硬質材料、複合材料または合成材料からできたグリップ・コアを有し、グリップを形成するために、グリップ・コアが、ゴムのような、比較的硬いスリーブで覆われているという従来の技術に基づいている。公開されているのは、手動で操作して衝撃を与えたり、打ったりする道具である。グリップは、内部層および外部層を有している。内部層と外部層は、ポリビニールクロライド、ポリプロピレンまたは熱可塑性エラストマ材料など、同一の材料からできている。外部層は、内部層よりも硬いが、同様に柔軟性があり、衝撃を緩和することができる。内部層と外部層の硬度の違いは、使用される材料によって生じるのではなく、内部層には気泡が入れられ、外部層には気泡が入れられないことによって生じる。内部層および外部層の材料は、化学的に相溶性があるように適切に選択されるため、層の密着または接合が可能である。内部の層は、工具のヘッドに加わる衝撃や打撃の力を、それが使用者の手に伝わってくる際に緩和する働きがある。さらにこの文献は、ねじりモーメントを伝達する工具の問題とは別の、衝撃を与えたり、打ったりする道具に特有の問題を説明している。打つ道具は、例えば金属から作られた芯を有し、これが直接かつ中間層を介在することなく気泡の入った内部層と接続されているため、芯と内部層と外部層とによる三層構造が選択されている。芯は、断面が長方形に形成され、先端部分が膨らんでいるため、簡単に描写すると、ダブルT形またはI形をしている。芯は、膨らみ部分、すなわちダブルT形の横の突出部だけがグリップ内に伸びており、一方、ダブルT形の縦部分はここで遮断されるか、隙間を付けて形成されている。この隙間は、内部層の材料が入り込むことが可能である。突出しているダブルT形の先端部は振動を吸収するエレメントとなる。外部層は、半径方向の内側へ方向づけられ、周辺方向に配置された、グリップの前後方向に伸びる突起部を有し、これは気泡の入った内部層材料の該当する溝に入っている。これらの突起部はグリップを補強し、芯に対して内部層の圧縮を制御する働きがある。さらに外部層は、周辺部にかけて伸びる突起部を有し、前後方向に方向づけられた突起部の機能をさらに補強する。グリップ部分は、２段階の射出成形（「ツー・ショット」、「ダブル・ショット」射出成形法）で製造される。第一段階では、芯が第一の鋳型にセットされ、ポリビニールクロライドと一緒に発砲させられる。芯には、凹部を配置することが可能であり、射出成形法においてその中へ気泡の入った材料が入ることによって、芯と内部層との間の機能的結合を向上させることができる。続いて、第一の層によって被覆された芯は、第二の鋳型にはめ込まれ、次に、その中で２回目の射出成形法においてより硬いポリビニールクロライドが注入される。内部層には、４５〜６５ショアＡ、とくに５５ショアＡの硬度が選択され、一方、外部層の硬度は、６６〜７６ショアＡ、とくに７１ショアＡとなっている。選択された２段階の射出成形の場合に有利な点は、製造中、内部層の寸法と外部層の肉厚を精密に規定できることである。別の製造方法を使ったグリップの製造、とくにモノ・サンドイッチ射出成形法���使用が、同様に包括的に言及されている。問題なのは、内部層がまだ柔らかいグリップで、２段階の射出成形をグリップに行うかどうかである。外部層の射出では、この方式の場合６００〜８００ｂａｒのとなる油圧が内部層の表面にかかる。このような圧力の下で、発泡層が圧縮されるため、この層は多孔質ではなくなり、使用されるプラスチックの硬度によって許容されるだけの弾力性しか残らない。しかし、４５〜６５ショアＡは、十分な弾力性を提供するには高すぎる硬度である。
【００１９】
ＵＳ３，７７０，０３３から、ハンマー用グリップが公知である。グリップはインテグラル・フォーム部品として製造される。このようなグリップでは、硬いコア、ハンマーの柄または芯が発泡構造からできた実際のグリップ・ボディによって覆われている。グリップ・ボディの断面は、芯に接触している層、比較的厚みのある外層および厚みの小さな中間層から構成されている。このようなグリップ構造により、グリップの断面が弾力的に変形することができ、ハンマーを使って作業をする場合の衝撃を緩和する。さまざまな厚みをもつ薄い層は、細孔を形成するための推進剤が気化し、材料表面層が鋳型空洞の壁に押され、ここで圧縮されるときに、材料の内部で生じる圧力の作用によって生じる。しかし、例えばスクリュー・ドライバーの場合のように、より高いねじりモーメントを伝達するためには、このようなグリップは適していない。なぜなら、このコアの直径が（非円形の断面においても）、小さすぎるか、あるいはねじりモーメントを生じさせるためのレバーアームが小さすぎるからであり、また、多孔質の内部層だけでは十分なねじり剛性がないからである。
【００２０】
ＵＳ３，７７０，０３３は、ハンマー、大ハンマー、手斧、斧など、衝撃を与えたり、打ったりする道具のためのグリップに関している。グリップのボディは、剛性の高い樹脂発泡体で形成され、厚さが３５〜４５ポンド/フット３の範囲にあり、中心には、強化されたグリップ・コアを有している。グリップ・ボディは、例えばポリエチレン、ポリスチレン、ポリウレタン、ポリプロピレンなどのプラスチック材料から形成することが可能である。樹脂発泡体は、任意の鋳型の中へ、グリップ・コアの周囲に注入され、その際、完成したグリップのボディは、グリップ・コアとの一種の「打込みばめ」によって形成するべきである。この成形方法は、ボディの内部層と外部層によって形成される内在層を作り、内在層の厚さは、厚みの少ない内部層と外部層との間にある中間層の厚みよりも大きい。内部層と外部層は、通常、０.０４〜０.０５インチ（１.０１６〜１.２７ｍｍ）の厚さをもつ。
【００２１】
ＤＥ１０１１３３６８Ａ１は、打つための道具に使うグリップを発表し、衝撃を吸収するためのシャフトが、弾力性材料から作られたグリップの中に収容されている。このグリップには、上面と下面に、軸方向の連続的な凹部があり、グリップの外被面上に分配され、半径方向の別の凹部がそこに合流している。
【００２２】
ＤＥ１９７３２４２１Ｃ２は、同様に、打つための道具に関係し、シャフトのエンド・ピースの上部と下部から指が軸方向に伸びており、弾性のあるグリップ膜によって覆われている。これらの指によって、衝撃吸収が達成されるようになっている。
【００２３】
ＵＳ２００３/０１７２４９８Ａ１は、打つまたは衝撃を与える道具を使用する際、振動を緩和するグリップを発表している。グリップの上面および下面には、弾性のある外被と、この中に密閉された気泡からなるクッションがそれぞれ配置されている。弾性のある外被には、サーモ・プラスチック・オレフィン、サーモ・プラスチック・ゴム、サーモ・プラスチック・ポリウレタン、ポリビニールクロライド、スチレン系熱可塑性ポリマーおよび言及した材料の組み合わせが取り入れられている。材料は、射出成形法で加工される。クッションは、射出成形機の中でエラストマ材料に発泡剤が混ぜられることによって製造される。次に融解された混合物が鋳型に注入される。注入している間、温度のより低い鋳型が放熱板となり、材料の温度は鋳型との接触部分で内部よりも急速に冷却される。これによって、非発泡のエラストマ材料による外被が作られる。内部では、混合物が高温のまま維持され、内部に気泡が形成されることによって、外被内部の使用可能な空間が気泡によって満たされる。グリップが鋳型から取り除かれると、適切に温度を設定すれば、外被内部においてさらに気泡が増加して、外被が広がり、非発泡層の壁の厚さを減少させることが可能となる。最終的な冷却により、外被だけでなく発泡部分も硬化する。発泡剤には、個体の粒子、液体またはガスが使用できる。とくに発泡剤は吸熱型になっている。エラストマ材料と発泡剤割合は、１〜１０％の濃度が適用される。
【００２４】
その他に、打ったり、衝撃を与えたりする道具用のグリップは、ＵＳ５，４９０，４３７およびＵＳ６，６１９，４０８Ｂ１に説明されている。
【００２５】
ＤＥ２９９０４０４３Ｕ１は、衝撃を与えたり、打ったりする道具に似た使用領域、つまり、ドリル、研磨機など工作機械に関連している。プラスチックまたは金属などから作られたグリップ・シェルは、様々なセル構造の可能なポリウレタン製の表面層を備えている。
【００２６】
その他の用途に用いるグリップ
ＵＳ４，０２３，６０６では、管状スリーブ内のピッケル・ブレードの配置が発表されている。スリーブとシャフトとの間にプラスチックの発泡材料が注入されている。
【００２７】
ＵＳ４，３３８，２７０は、ゴルフ・クラブ用のグリップに関しており、このグリップは摩擦によりシャフトに取り付け可能である。このグリップは、柔軟性のあるフォーム材でできたスリーブで形成され、このフォーム材は半径方向の外部で表皮を形成している。非セル状または非多孔質の外被は、約０.００５インチ〜０.０２０インチ（０.１２７〜０.５０８ｍｍ）の厚さがある。フォーム材部分の硬度は、５５〜６５ショアＡである。外皮は、使用の際におけるグリップの摩耗または腐食に対する保護の役割を果たす。グリップの先端部分には、内部または外部スリーブを有する丸い頂部があり、その際、スリーブは半径方向の突起部によって互いに接続されている。外部のスリーブが先端部で外被を形成する一方で、内部のスリーブはシャフトの丸い頂部を支持する役目を果たす。頂部の材料は、硬度７０〜９０ショアＡが使用される。グリップを形成するフォーム材に使用できる材料は、ポリオートとイソシアネートを組み合わせたポリウレタンである。促進剤には、主として、トリクロロフルオロメタンが使用される。
【００２８】
ＵＳ５，３５５，５５２は、衝撃を吸収するためにエア・クッションが施された、テニスラケット、ハンマー、自転車などのグリップに関するものである。このために、グリップには中空部分があり、その中に空気が入れられ、場合によっては圧力が高められている。
【００２９】
ＵＳ４，３２１，０４０は、２つの部分に分かれた医療器具用のグリップを発表しており、この場合、フレキシブルな外部スリーブとグリップ・コアとの間に変形を可能にする隙間が準備されている。
【００３０】
その他の従来の技術は、ＥＰ１１３６２１９Ａ、ＤＥ２９７０５５２２Ｕ１およびＷＯ００/６４３０６Ａから公知である。
【特許文献１】ＵＳ−ＰＳ２,８７１,８９９
【特許文献２】ＤＥ９２０２５５０Ｕ１
【特許文献３】ＤＥ４３０４９６５Ａ１
【特許文献４】ＤＥ２９５１５８３３Ｕ１
【特許文献５】ＤＥ１９５３９２００Ａ１
【特許文献６】ＤＥ２９５１７２７６Ｕ１
【特許文献７】ＤＥ２９９００７４６Ｕ１
【特許文献８】ＤＥ２９９０４０８２Ｕ１
【特許文献９】ＥＰ０６２７９７４Ｂ１
【特許文献１０】ＵＳ２,８７１,８９９
【特許文献１１】ＤＥ６９４２１７６５Ｔ２(ＥＰ０６３５３３７Ｂ１)
【特許文献１２】ＥＰ１３１４５１９Ａ１
【特許文献１３】ＤＥ３５２５１６３Ｃ２
【特許文献１４】ＥＰ０２０８９４２Ａ２
【特許文献１５】ＥＰ０３５８８８３Ａ１
【特許文献１６】ＵＳ３,１８９,０６９
【特許文献１７】ＷＯ００/４３１６６
【特許文献１８】ＥＰ１１６３０８８Ｂ１
【特許文献１９】ＤＥ２０２００４０１９１５６Ｕ１
【特許文献２０】ＥＰ０５３８６３２Ａ１
【特許文献２１】ＵＳ６,３７０,９８６Ｂ１
【特許文献２２】ＵＳ３,７７０,０３３
【特許文献２３】ＤＥ１０１１３３６８Ａ１
【特許文献２４】ＵＳ２００３/０１７２４９８Ａ１
【特許文献２５】ＵＳ５,４９０,４３７
【特許文献２６】ＵＳ６,６１９,４０８Ｂ１
【特許文献２７】ＤＥ２９９０４０４３Ｕ１
【特許文献２８】ＵＳ４,０２３,６０６
【特許文献２９】ＵＳ４,３３８,２７０
【特許文献３０】ＵＳ５,３５５,５５２
【特許文献３１】ＵＳ４,３２１,０４０
【特許文献３２】ＥＰ１１３６２１９Ａ
【特許文献３３】ＤＥ２９７０５５２２Ｕ１
【特許文献３４】ＷＯ００／６４３０６Ａ
【発明の開示】
【発明が解決しようとする課題】
【０００１】
本発明は、必要な手順を簡単な形で行う製造方法によって、冒頭に列挙したような選択的または累積的評価基準をもつグリップの製造が可能な工具用グリップ製造方法を提供するという課題に基づいている。
【課題を解決するための手段】
【００３２】
発明の課題は、独立した請求項１の特徴をもつ発明に基づいた方法によって解決される。解決方法のその他の形態は、独立の請求項２〜２４の特徴に従って発生する。発明に従って製造されたグリップは、請求項２５の特徴に従って発生する。このようなグリップのその他の形態は、請求項２６〜２９の特徴を与えられている。
【００３２】
冒頭に列挙した従来の技術では、工具用グリップを層状構造に製造することが、個々の層に様々な鋳型空洞を用いることに基づいている。とりわけ、
ａ)  外部層が内部層と別個に製造され、その後で、両方の層が材料結合的または形状結合的に接続される、または
ｂ)  鋳型空洞の直径が次第に大きくなる鋳型に段階的にセットすることにより、層を内部から外部へ段階的に製造する
（前に公開されていなかった特許請求PＣＴ/ＥＰ２００５/０１４００３も参照）。一方、発明に基づく解決方法では、異なる材料からできた少なくとも２つのグリップ層が、唯一の鋳型空洞の中で、とくにひとつの作業工程において製造され得るという製造方法を提案している。
【００３３】
まず、鋳型空洞の中に硬質プラスチックのグリップ・コアを入れ、次に第一材料が注入される。これが最終的に硬化する前に、まだ液状の第一材料の中心部分に、第二材料の注入を開始する。第一材料の量は、第一材料の注入が終了しても鋳型空洞が完全に満たされておらず、まだ鋳型空洞に部分的に容積が残るように計量する。このプロセスの間、第一材料は、まず、外側の半径方向に鋳型空洞の壁と接触する。鋳型の壁で、第一材料は、鋳型空洞の内側部分における液状位相部分よりも強く冷却される。このことによって、半径方向の外側にある第一材料が最初に硬化し、外部層を形成する。同様のことが、選択的または累積的に、半径方向の内側にあるグリップ・コア表面部分に該当する。
【００３４】
鋳型の壁と第一材料との接触部を作成するために、以下の２つの方法を選択的または累積的に、本発明に利用することができる。
ａ)  鋳型空洞への注入ダクトの位置を決定し、方向づけることにより、第一材料を鋳型へ注入する場合、材料が鋳型空洞の壁に直接塗布されるように材料の流れを調整するか、または、材料がまずグリップ・コアに当たり、そこから外側へ向きを変えるように調整することができる。
ｂ)  同様に、第二材料を注入する際、
−  注入方向
−  作用する圧力
−  注入速度および/または
−  注入場所
などの注入条件により、第一材料が少なくとも部分的に第二材料によって外側へ押され、それにより鋳型の壁に押しつけられるように材料の流れを作ることも可能である。
【００３５】
前述した射出成形条件およびパラメータの構成により、硬化の後、グリップの外被面または外部層は鋳型の内部で、優先的に第一材料によって形成される結果となる。この場合、このような外被面は、すでに工具用グリップの後の外被面を形成することができる。同様に、次の工程段階において、この外被面を軟質または硬質の別材料によって部分的または全体的に被覆することも可能である。
【００３６】
第一材料によって形成された外被面から内側の半径方向に、発明に基づく工程段階の最後で、少なくとも部分的に第二材料が内側の層に配置される。発明に基づく範囲は、とくに、周辺部分および/または軸方向の部分である。
【００３７】
ＵＳ６,３７０,９８６に言及されている、唯一の材料をただひとつの工程において鋳型に注入するモノ・サンドイッチ方式によるハンマーの製造に対して、発明に基づく製造は、様々な材料を間欠的に、とくに時間的な中断なく順番に注入するという、一種の「間欠サンドイッチ方式」で行う。
【００３８】
発明に基づく製造方法によって、鋳型の交換を必要とせずに、工具用グリップまたは少なくとも２層の工具用グリップの製造が可能である。この方法を実施するには、少なくとも２種類の材料による射出成形法を行うための条件とパラメータの調節だけが必要であり、このことは、少なくとも１台の適切に装備された射出成形機を自動化することによって可能である。他方では、少なくともまだ部分的に液状状態の中で、第一と第二材料によって形成された層を結合することによって、極めて信頼性のある材料結合的な接続が可能となる。
【００３９】
第一と第二材料には、物理的特性および後の構造に関して、自働化された方法で、材料をひとつの鋳型に注入可能であり、互いに材料結合する限りにおいて、何も制限はない。
【００４０】
グリップの特別な形態においては、第二材料が第一材料よりも柔らかく形成され、それによって、内部層は外部層よりも軟質となる。このことは、このブリップの場合、発明に基づく方法を実施した後、より柔らかい材料が硬い材料の内側に配置されていることを意味する。工具用グリップ、とくにねじりモーメントを伝達する工具用グリップの形態では、以下のような矛盾を解決しなければならない。
−  一方で、グリップ外被を形成する材料の剛性が減少すると、使用者の手およびさまざまな大きさの手に対するグリップ外被の適合性が増加し、それによって手とグリップ外被との接触面が拡大される。
−  他方、グリップを介して、より大きな力とねじりモーメントを伝達するためには、グリップ外被にできるだけ硬い材料を使用し、場合によっては、グリップ外被からグリップ・コアまでは固定結合が望ましい。
−  また、グリップの使用条件が厳しい場合には、グリップ外被の外見を損ない、グリップを使う使用者の手に悪い影響を与えるグリップ外被のひび割れや亀裂を防ぐために、グリップの外部層は柔らかすぎないことが望ましい。
【００４１】
後のグリップの外被面が第一材料で形成されるという発明に基づく形態は、２種類の構成材料によるグリップとも呼ばれ、従来の技術から公知の形態では、通常、使用者の手のために、外側の層を柔らかく形成して柔軟性を与える一方、半径方向の内側ではグリップの剛性を高めるという専門家の先入観とは異なっている。発明に従って、厳しい使用条件での使用が可能で、例えばエッジの鋭いものや先の尖ったものによる外被の損傷を軽減する比較的硬いグリップ外被を、第一材料によって作ることがまず可能である。他方では、このような最初の層は、使用材料の剛性または硬度の選択および層の厚さを、空洞に注入する第二材料の容量調整および/または鋳型空洞の温度によって規定することにより、発明に基づく方法を用いて、使用者によって外被面にかけられる力が伝わって、第一材料で形成されたグリップの外被面または外部層だけではなく、第二材料の内側部分または内部層も同様に変形し、しかも使用によって生じる力が確実に伝達されるように形成することが可能である。第一材料の硬度が上がるに従って、場合によっては第一材料で形成される外被面の厚さを減少させる必要がある。このような形態から生じるその他の利点および硬い外側の外被面と弾力のある柔軟なチャンバまたは柔らかな内部層をもつその他の形態は、ＤＥ１０２００５０３７５０４.９−１５に示される。
【００４２】
発明に基づく方法のさらなる特徴によると、第一材料が、硬化後にグリップ外被面の少なくとも一部を形成する外側の半径方向だけに押しやられるばかりではなく、第一材料の少なくとも一部の容量が第二材料によって内部の半径方向へも導かれるか、押しやられるように材料の流れが形成される。ここで、第一材料は、硬化後、グリップ・コアを取り巻く内部層の少なくとも一部を形成する。それによって、例えば、第一材料よりも柔らかい材料を第二材料で選択した場合、この材料は、少なくとも外部および内部の方へより硬い第一材料によって覆われるか、または「封入」される。このことは、例えば、グリップ・コアまたは工具のシャフトに、例えばグリップ・コア外被の形で、グリップを接続することに利用できる。それにより、力またはモーメントが軟質材料を介してグリップ・コアまたはシャフトへ直接伝達されることがなくなり、第二材料とグリップ・コアまたはシャフトとの間の移行部分で亀裂が発生するような、応力のピーク値や障害が生じることはない。
【００４３】
発明に基づく方法の特殊な形態では、逆方向に流れる２つの分流が生じるように、材料の流れを調節する。このことは、例えば、向かい合って配置された、空洞に流れ込む２つの注入開口部または注入ダクトから材料が流れ出ることによって達成され、これによって、反対の周辺方向に分れる２つの体積流が生じる。さらに、ひとつの形態では、ひとつまたは複数の体積流を流入、分割および/または方向転換させることによって、互いに逆方向を向いた分流が生じる。驚くべきことに、その際、第一材料が外側へ押し寄せる作用の他に、材料の流れと冷却条件の形態が適切である場合、もうひとつの作用を生じることが判明した。すなわち、簡単に説明すると、第二材料の分流が第一材料を周辺方向へも押しやり、その押しやられた材料は、２つの分流が遭遇すると、「停止」する。材料の表面は流れている間に冷え、２つの分流が遭遇する部分では、冷却された表面が内部の熱い材料によってそれ以上破られたり、液状にされたりすることはない。そして、冷却された表面から、半径方向に、第一材料によるウェブまたは突起部または突出部ができる。これらは、グリップ・コアに接する内部層とグリップの表面を形成する外部層とを接続する。このようなウェブ、突起部または突出部の形と厚さは、材料の流れ、射出条件および/または温度の設定によって制御することができ、そのために突起部、ウェブまたは突出部を作るための鋳造壁は必要ない。他方、ウェブ、突出部または突起部は、自然と材料結合的に外被面の第一材料と接続するようになっている。これらの突出部、ウェブまたは突起部により、スプリング剛性、ねじり剛性および/または減衰作用といった機械的特性の影響をグリップに生じさせることができる。このことは、スクリュー・ドライバーのように、グリップによってねじりモーメントを伝達する場合にとくに有利である。
【００４４】
このことは、例えば、比較的硬いプラスチックの第一材料が、半径方向外部にあるグリップ外被面の層ばかりでなく、グリップ・コア被覆またはグリップ・コアの内部層をも形成しているという形態の場合で説明されよう。この形態は、突起部なしに、前述の層と層との間に配置された柔らかい第二材料にせん断応力がかかることを意味し、それによって、グリップのねじり剛性は、第二材料の半径方向への広がり、第二材料の周辺方向への広がりおよび第二材料の弾力特性に左右される。ウェブ、突起部または突出部の使用により、ねじり剛性は、多くの作用によって構造的に影響を受ける。すなわち、
−  一方で、内部層に対する外被面のねじれでは、周辺方向の隣り合う突起と突起の間にある第二材料は、ねじりが要求されると「押しつぶされ」、それによって、第二材料は周辺方向に圧力がかけられる。それにより、第二材料のせん断剛性に加えて、圧縮剛性が動力伝達に加わり、半径方向の柔らかな第二材料にもかかわらず、全体として高いねじり剛性を得ることができる。
−  他方では、突起部、ウェブまたは突出部が半径方向に連続して形成されていない場合には、ウェブ、突起部または突出部の正面と内部層または外被面を形成する外部層との間に第二材料を配置することができる。この部分の第二材料は、同様にせん断応力がかかるが、第二材料の半径方向への広がりは、突出部、突起部またはウェブの使用により、突出部、突起部またはウェブが半径方向へ広がっている分だけ小さくなり、せん断応力により形成されたねじり剛性も減少する。
【００４５】
実際に、状況によっては、言及した種類の応力が累積する場合がある。それに加え、ウェブ、突出部または突起部の形成によって、半径方向の剛性特性が影響を受け、場合によっては、周辺方向に変化する剛性特性が生じる。
【００４６】
とりわけ単純に製造することができるのは、第一材料と第二材料の注入に別々の吸入口または注入ダクト（以下注入口）が準備されるのではなく、むしろ、第一と第二材料の注入は同一の吸入口から行われる場合である。この場合、第一材料を注入するためのノズルまたは注入管をまず吸入口の部分にもってきて、開口部と接続する。引き続き、第二材料のための別のノズルまたは注入管を吸入口の部分にもってきて、開口部と接続する。または、第一材料と第二材料を、同一の吸入口から、とくに異なる材料用に２つの射出ユニットが装備された射出成形機によって鋳型の中へ入れる。その際、射出成形機の内部は、機械のノズルを介する材料配管内の特別なバルブ機構によって、第一材料の噴射から第二材料の噴射へと切り換えられる。
【００４７】
材料の流れを設定するため、第二材料を注入する間および/または第一材料から第二材料への吐出切り換えの際、例えば、材料の流れを中断させながら（このとき、冷却により第一材料の粘性が変化する、および/または、材料の流れが静止する）、材料を導入することにより、層の構造に影響を与えることが可能である。しかし、申請者の研究は、材料の流れを中断することなく第一と第二材料を注入させる製造方法も有効であることを示した。それによって、鋳型の充填に必要な時間を短縮し、それによってグリップの製造サイクルを短くすることができる。
【００４８】
第一材料および/または第二材料の注入は、ひとつまたは複数の吸入口から行うことができ、それらの吸入口は、軸方向および/または周辺方向に、グリップまたは鋳型に関して対称的または非対称的である。前述したウェブ、突起部または突出部の形成には、例えば、周辺方向に配分された吸入口の数によって、周辺に配分されるウェブ、突出部または突起部の数を決定することができ、これらは、主として隣り合う吸入口と吸入口の中間部から偏心して生じるか、またはほぼ中間部に生じる。
【００４９】
特殊な形態の場合、２つの吸入口が周辺方向に互いに向かい合って準備されている。このことは、ひとつには、周辺方向への材料の流れが２つの吸入口から２つの方向へ、ほぼ同じ経路を進むという利点がある。ウェブ、突起部および突出部の形成では、互いに周辺方向へ向かい合う位置に配置された吸入口は、ウェブ、突出部または突起部をほぼ向い合せに配置するという作用をもち、それによって、ウェブの部分で対面している比較的硬い部分とその間に配置された比較的柔らかい部分により、左右対称なグリップの剛性特性が生じる。
【００５０】
発明に基づく方法の優先的なその他の形態では、第一材料および第二材料の注入前に、グリップ・コアが鋳型に入れられる。優先的には、グリップ・コアはすでに工具のシャフトを有しており、硬質プラスチックで形成されている。材料がグリップ・コアに自動的に結合すること以外に、場合によっては、発明に基づき、第一材料の注入に伴って、比較的冷たいグリップ・コア表面でも第一材料の冷却が生じ、それによって第一材料がグリップ・コアの外被面部分において内部層を形成できるような形態が利用される。さらに、セットされたグリップ・コアによって、ウェブ、突起部または突出部を形成するための材料の流れを向上させることができる。まず、第一材料の流れがグリップ・コア上に生じ、そこからすでに多少冷却されて、半径方向に方向を変え、この面で流れが衰える材料によって固い表面層を形成することが可能である。２つの吸入口から供給される材料は、表面層に接触し、壁で互いに融合する。その際、この材料は、液状のまま再び溶けることがなくなるまで冷却され、後から注入される第二材料によって押しやられることはない。
【００５１】
グリップ・コアの補強された先端に、アイまたは横穴を有するグリップを製造したい場合には、このアイが周辺方向の同一面上にあり、その中で逆方向の分流が遭遇するようにグリップ・コアを鋳型に入れ、吸入口と向かい合うようにすると有利である。このことは、アイが形成されている硬い部分が軸方向へウェブ、突起部または突出部に続くことによって、アイがウェブ、内部層、グリップ・コアおよびシャフトおよび/または外部層に強固に接続されていることを意味する。このような場合には、例えば、スクリュー・ドライバーのアイに別の工具を取り付けることができる。その工具によって高められたねじりモーメントは、アイを介してスクリュー・ドライバーのグリップおよびシャフトへ加えられる。
【００５２】
グリップ・コアと第一および第二材料で形成された層との結合は、グリップ・コアが円筒型または曲線状または曲った外被面に対して、ずれながら半径方向の外側へ向いた突起部を有することによって達成される。グリップ・コアは、突起部とともに鋳型に挿入され、その突起部は、逆方向に流れる分流の遭遇する部分に伸び、ウェブ、突起部または突出部が形成される。それによって、例えばスクリュー・ドライバーの場合、力とねじりモーメントは、外部層によって形成された外被面からウェブ、突起部およびグリップ・コアを介してシャフトへ伝達される。それによって、強固かつ確実な伝達が可能であり、外被面とシャフト間の力の流れにおける機械的な障害を継続して回避することができる。
【００５３】
本方法のその他の形態では、使用する鋳型の分割面が、逆方向に流れる分流が遭遇する部分に対して９０°ずれて広がっている。この場合、２つの材料吸入口があり、これらは優先的に分割面の中に配置されており、それによって、材料はほぼ分割面方向へ流れ、鋳型空洞に入る。
【００５４】
場合によっては、グリップの長さ全体にわたって、第一材料と第二材料による２つの異なる層で形成する必要はない。例えば、先端部分および正面は比較的硬いグリップ・コアによって形成し、先端部分と先端部分の間は２つの異なる軟質材料を別々の層に配置することができる。その際、これらの層は、主として使用者が手にもつ部分である。材料注入のためのチャンバは、半径方向の外側で鋳型から区切られ、一方、半径方向の内部では、グリップ・コアの外被から区切られ、また、正面では対面する先端部分から区切られている。
【００５５】
発明に基づく方法により、プライヤ・リムを覆っているプライヤ用グリップの製造では、第一および第二材料の吸入口が、プライヤを組み立てた状態において、反対方向を向いているプライヤ・リムの面上に配置される場合は、有利である。これによって、軟質材料による層構造を、主に使用者が手でにぎるプライヤ・リムの外側に配置することができる。しかし、吸入口は、グリップの後部先端がある鋳型空洞の場所にも配置することができる。ハンマーやコテに使うグリップにも同様に有効である。
【００５６】
発明のその他の形態では、硬化した第一材料および第二材料が密閉構造を有しており、そのため、これらの材料で形成された層および部分の剛性は、材料の剛性と層の広がりとに左右される。その他にも、第二材料は硬化によって多孔質構造を形成することができることから、形成する細孔の数と大きさ、または注入量およびそれによって決定される拡大の大きさによって、剛性に影響を与えることが可能である。
【００５７】
特殊な形態では、第一材料と第二材料に同一のプラスチックを原材料として使用することが可能である。しかし、この場合、第一材料および/または第二材料の多孔性によって、例えば、促進剤の供給量を変えることによって、および/または、鋳型空洞内の圧力状態を調整することによって剛性に影響を与えることができる。
【００５８】
層の厚さを形成するためには、注入条件を設定する際に特別な処置が必要となる。たとえば、より厚い外部層は、鋳型の壁を急激に冷却することによって生じる。層の厚さの選択は、グリップの大きさにも左右される。グリップが小さい場合、大きなグリップよりも厚さを小さくする。さらに、目的とする変形を得るため、外部の第一層の厚さは、それに使用したプラスチックの硬度が高ければ高いほど、小さくしなければならない。硬度が高いと、損傷に対する抵抗が大きくなり、汚れの付着を少なくするため、外部層により高い硬度をもつプラスチックを使用することが求められる。厚さを少なくすることは、インターバル法、すなわちサンドイッチ法においても可能であり、その際には、しかし、硬度の低いプラスチックによる内部の第二層の厚さが同時に増加する。そのねじり剛性は少ないので、ねじり剛性を高める別の要素を導入することが必要である。これには、断面の丸いグリップ・コアに半径方向の突起部を取り付ける、あるいはグリップ・コアから外部層までをウェブ状の接続にする、または一般的に、グリップ・コアの断面を非円形にすることができる。これについては図の説明に詳細が述べられている。これらの前提条件のもとで、０.５〜２.５ｍｍ、最大４ｍｍの層の厚さが実現され、厚さは主として求められるグリップの変形とその大きさに左右される。層の厚さは、軸方向にも変更することができる。
【００５９】
優先的に、隆起部または突起部は、グリップ・コアの２つの（またはそれより多くの）部分範囲に広がっており、それによって、これらの部分範囲でグリップの剛性特性の異方性が適切に作られ、とくに、隆起部または突起部が半径方向により大きく広がって第二層の中に入り込み、その際、これらの２つの部分範囲を周辺全体に適切に配分することができる場合、使用者の手が既定された位置にあると、グリップはとりわけよく手に適合することができる。例えば、指が接触している部分では変形度が大きいか、または手の内側のくぼみ部分が接触している範囲よりも剛性が小さくなっていることが判明した。グリップは、一般に、断面だけでなく、前後方向にも非対称の形にすることもできる。層の形成は、発明に基づいた非対称のグリップの場合、主として、対称的なグリップの場合と同じように形成される。コテやハンマー用グリップは、ＥＰ０１９１５０００.２−２３１６の申請者に対応して、非対称に形成することができると考えられる。発明による変形性によって、グリップの人間工学的な特性がさらに飛躍的に向上し、これは対称的グリップの場合にも当然当てはまる。
【００６０】
特殊な形態の場合、２つの部分は、内部層の半径方向への広がりが縮小されて周辺方向に配置されるか、または突起部による変形性の縮小または剛性の増加を伴って、お互いにほぼ向かい合う形に配置されている。グリップにこのような「優先方向」が備えられている場合、これらの優先方向がグリップの使用者に明白にされれば有利である。このことは、例えば、グリップ外側の外被面の形状を左右非対称にする、および/または、外被面に色をつけることによって可能である。同様に、グリップの後方先端にアイ（グリップの横穴）を取り付けることが可能である。その際、アイの開口部は、主として第一層の半径方向の広がりが最少であるか、剛性がより高い部分にある。
【００６１】
グリップ・コアは、少なくともひとつの部分断面において、
ａ)少なくとも半径方向の外側に伸びる突起部をもつ丸い断面を有することができる。
ｂ)最初の近接部分において長方形の断面外形を有し、その際、その部分範囲は、長方形の短い面で、外部層のほぼ内側まで達する。
星形の断面外形を有し、その際、例えば、星の先端は、それぞれ一種の突起部を形成し、半径方向の外側へ細くなりながら、周辺方向へ伸びている。
【００６２】
グリップ・コアの突出部またはその丸い形状により、グリップ・コアと内部層との間の接触面が広くなり、それによって、内部層の材料のねじり剛性が大きくなる。なぜなら、とくにグリップ・コアの突出部または形状が半径方向に内部層へ広く伸びており、それによってグリップ・コアのレバーアームが長くなる場合には、内部層の材料は圧力（接触面によって加えられる）よりもせん断力による負荷の方が小さいからである。
【００６３】
発明のもうひとつの提案では、第一の外部層が、少なくとも軸方向の突起部分において本質的に同じ弾性特性を有している。このことは、例えば、突起部がグリップの軸方向の外形にほぼ連続している外形を有し、それによって突起部の上部エッジがグリップの外被面に対してほぼ一定の間隔をもち、その間隔は第一層によって「ブリッジ」されることにより達成される。
【００６４】
複数の吸入口の代わりに、ひとつの吸入口だけを準備した場合、例えば、軸方向に方向づけられた集中吸入口では突起部が形成されない。他方、分散配置の場合、突起はグリップ半分にひとつだけ形成することができ、この突起は、主に吸入口から向かい合って配置される。
【００６５】
コストがかからず、信頼性があり、必要な機械的特性をもつ第一層の材料としては、とくに熱可塑性エラストマ、熱可塑性ポリオレフィン、ポリプロピレン、ＥＰＤＭカウチュック、ＰＶＣまたはスチロール・ブロック共重合体がある。
【００６６】
同様に、第一層が充てん材を有することも可能である。可能な充てん材としては、粒状コルク、粉末コルク、木材粉末などの顆粒またはグラスファイバーなど繊維状の充てん材が考えられる。このような充てん材の少なくとも一部が、グリップの外被面部分に配置されている場合、グリップの外被面は完全に平滑ではなく、耐滑性が向上するため、例えば、工具によって伝達可能なねじりモーメントが高められる可能性がある。粉末コルクや木材粉末は別の利点があり、工具での作業中に発生する手の汗を吸収する。これによって、同様に耐滑性もさらに向上する。第一層の総重量に対する充てん材の可能な重量割合は、例えば５０％以下であり、とくに５％〜３０％である。
【００６７】
ひとつの実施形態では、グリップの外被面がプラスチック・フィルムで形成され、これが材料結合的に内部の層、例えば第一層に接続している。このようなグリップの製造は、例えば、鋳型にプラスチック・フィルムをセットすることによって可能である。フィルムは、鋳型に充填することによって材料結合的に接続される。物理的特性およびフィルムの表面は、例えば、とくに油や化学物質に耐性があり、表面の滑りを防止するなど、グリップの外被面が向上するように選択・形成することができる。
【００６８】
発明の有利な形態は、請求項、説明および図に記載されている。説明の冒頭に言及した特徴の利点および複数の特徴の組み合わせによる利点は単なる例であり、選択的または累積的に効果をあらわすことができるのであり、発明に基づく実施形態によって、これらの利点が絶対に達成されなければならないということではない。その他の特徴は、図（とくに、図に描かれている構造および多くの部品の相対寸法ならびにそれらの相対的配置および接続）に示されている。発明の様々な実施形態の特徴または様々な請求項の特徴の組み合わせは、やはり選択された請求項の遡及適用とは異なって可能であり、ここに提案されるものである。このことは、別個の図に示されているような特徴、または図の説明で言及されているような特徴も当てはまる。これらの特徴は、様々な請求項の特徴とも組み合わされる。同じく、請求項に記載された特徴は、発明のその他の実施形態では省略することができる。
【実施例】
【００７０】
Ｉ.概要
以下において、例えば、外部層とは、使用者の手によって握られるグリップの外被面を形成する外側外被面のグリップ層を指し、一方、内部層は、外部層に接して半径方向の内側にあり、硬質プラスチックでできた、シャフトを覆うグリップ・コアを取り巻いている。当然、これとは異なり、外部層がグリップの内部にあることもあり得るし、および/または、内部層とグリップ・コアとの間に少なくともひとつの内層、フリップ・コア被覆または同様のものが中間に配置されている場合もある。
【００７１】
本発明は、工具用グリップ１に関しており、グリップの中に、工具の機能部品であるシャフト２が半径方向の内部に横たわった状態で支持されており、工具の使用者は半径方向の外側にある外被部分のグリップ上に力を加えることができる。この場合の力は、以下に関連している。
−  縦軸３−３方向の力
−  これに対して横の力
−  縦軸３−３のねじりモーメントまたは
−  縦軸に対する横の曲げモーメント
工具は、頻繁に用いられる種類であり、とくに、鋸、コテ、ハンマー、プライヤ、突きのみ、園芸用具またはナイフなどである。
【００７２】
特殊な使用目的の場合では、工具の主要な使用目的または補助的な使用目的として、例えばスクリュー・ドライバーの場合など、グリップによって縦軸３−３にかかるねじりモーメントを伝達しなければならない工具に、本グリップが使用される。このような工具は、衝撃を加えたり、打ったりする道具とはとくに区別される。
【００７３】
打つため道具を操作する場合、この道具は、使用者によって手を振り上げる動作において加速され、衝撃が加えられる。こうした打つ道具の加速には、工具の剛性はあまり問題ではないため、工具は、柔らかいグリップの場合も硬いグリップの場合も同じように十分に加速され、打とうとする対象物に運ばれる。打つ道具は、いわゆる衝撃を伴って、打とうとする対象物に当たり、その際、工具の衝撃は、打とうとする対象物へ伝達される。打とうとする対象物に加えられた衝撃は、このとき、工具が衝突時にしっかりと保持されているか、その対象物の上に押し付けられるか、または「自由に跳ね返る」ことができるかどうかには左右されない。従って、専門家は、打つ道具によって打つ場合、打とうとする対象物にこれを押し付けるのではなく、打つ道具は、打とうとする対象物に衝撃を伝達するために、むしろ自由に跳ね返している。このことは、跳ね返りのために、使用者の手が必ずしもグリップに強く密着していなければならないというのではなく、任意で柔らかい弾性のあるグリップも使用できることを意味している。それによって、実際に衝突している間、使用者は、グリップを介して、主として横に操作する力を打つ道具に伝達する。「不適切な」固いグリップ被覆の場合でも、使用者の手に伝達される衝撃を緩和するか、防止するために、冒頭に述べた、衝撃を与えたり、打ったりする道具に関する文献は、グリップが軟質または弾性のある構成部品を有し、適切な弾性を衝撃方向につけるため、それらを、とくに衝撃方向および上面ならびに下面に準備することを提案している。従って、突いたり、打ったりする道具に使用するグリップの形態は、伝達しようとする力、すなわち衝撃の方向に弾性があって、緩衝作用があり、柔らかいグリップにすることが考えられる。これとは異なるグリップ、とくにモーメントを前後方向の軸に伝達しなければならないグリップに、このような形態を使用した場合、その工具は実際には使い物にならない。ねじりモーメントを伝達するグリップの使用目的として考えられる工具は、例えば、スクリュー・ドライバーやクランプなどである。
【００７４】
基本的に、グリップは半径方向の内側にシャフト２を有し、このシャフトは非円形の伝達断面４または円形の断面から出た突起部５を有し得る。シャフト２は、グリップ・コア６によって、部分的または完全に覆われ、その際、伝達断面４の部品またはシャフトの突起部５の部品は、半径方向の外側へ広がることができる。グリップ・コア６の外面は、優先的に、伝達断面７または突起部８と同様に非円形に形成されている。グリップ・コア６は、グリップ・コア被覆９によって部分的または完全に覆われており、その際、伝達断面７または突起部８の部分範囲は、グリップ・コア被覆９を突き抜けて伸びることができる。さらに、グリップ・コア被覆９が少なくとも部分的に覆っている軟質層１０（内側の層２８）を準備することができ、この層は少なくとも部分的に外部層１１（外側の層２７）によって覆うことができる。グリップ・コア被覆９、軟質層１０および/または外部層１１は、突起部、突出部、飛び出し部、ウェブ（以下、突起部１２）を有し、それによって、前述の層９−１１が隣接する層を介してその他の層と接続されている。選択的あるいは追加的に、突起部、突出部、飛び出し部またはウェブ（以下、突起部１３）を準備することができ、これらの突起部は、部分的にのみ隣接する層に伸び、それらの部分では、隣接する層の広がりが縮小している。その際、突起部１３は、突起部をもつ層から半径方向の内側へも、半径方向の外側へも方向づけることができる。
【００７５】
前述したグリップ１の全構成部品は、選択的または累積的に使用可能である。同様に、その他の追加層、分散顆粒、ゲルまたは液体を間に配置することも同様に可能である。
【００７６】
その他の実施形態では、軟質層１０または内部層２８が部分的または完全に硬質の外部層１１または外側の層２７によって覆われており、その際、これらの層は、剛性の選択および半径方向の広がりに関して、使用者の手によって加えられた力により外部層１１が半径方向へ変形し、それによって軟質層１０の弾性変形が生じるように構造的に準備されている。
【００７７】
前述のグリップ１の構成部品以外に、グリップ１は、とくに機能部品から離れたグリップ１の先端部に、例えばアイ１５または横孔などの追加の構成部品を有することができる。その場合、アイ１５は、縦軸３−３に対して先端部を横に通過する形で伸びている。アイ１５を使って、工具を吊るしたり、グリップ１の補助エレメントを差し込んだりすることができる。例えば、別のスクリュー・ドライバーのシャフトをアイ１５から通し、そのシャフトによって追加の作動トルクをグリップ１に加えることができる。
【００７８】
グリップ１の構成部品は、材料結合的に相互に接続することができる。同様に、交換可能な機能部品をグリップと一緒に使用することも考えられる。この場合、機能部品のシャフト２は、とくに取り囲んでいる層と一緒に、その他の半径方向の外側にあるグリップの構成部品に対して、交換可能に取り付けられる。とくに、このような交換可能な機能部品に関連して、グリップ１は追加の固定装置を使用することができる（例えば、特許出願番号ＥＰ０５００３２１.２およびＥＰ０５０１７１９３.３を参照）。グリップのその他のオプション構成部品は、グリップ先端部の丸い頂部であり、これを使って衝撃や打撃をグリップに加えることができる。
【００７９】
軟質層１０（内側の層２８）では、任意に半径方向の広がりを一定にしたり、変化をつけたりすることが可能である。このような広がりは、層１１の厚さは別にして、グリップ・コアからグリップ表面までの半径方向の距離の差から生じる。半径方向の広がりは、グリップの長さ全体にかけての軸方向の変化で変わり、グリップの前方終点でついにゼロになる。他方、半径方向の広がりは、グリップの絶対直径に左右される。例えば、半径方向の広がりは、少なくとも広がりが最大の部分で３.５、４、６または８ｍｍの範囲にあり、一方、該当する最少の広がりは０.５〜３ｍｍであり、とくに１〜２.５ｍｍであるか、１.５ｍｍ、２ｍｍまたは２.５ｍｍより小さい。このことは、軟質材料で形成された内側の層２８（第二材料２３、軟質層１０）およびグリップ表面の最大直径部分にとくに該当する。これに対して、外部層１１（第一材料２２、外側の層２７）は、０.５〜４ｍｍまたは０.５〜２.５ｍｍの範囲で周辺方向に一定した半径方向の広がりを有し、軸方向における半径方向の広がりは変化することができる。
【００８０】
特殊な形態では、外側の層２７の厚さが、少なくとも内側の層２８の半径方向の広がりの３０〜１００％の範囲で半径方向へ広がることができる。
【００８１】
隣接する層または構成部品は、形状結合的、材料結合的および/または摩擦により、あるいはスナップ方式またはロック方式で相互に接続することができる。
【００８２】
ＩＩ.  材料
シャフト２は、例えば、繊維強化プラスチック、金属、鉄鋼または木材で形成することができる。
【００８３】
個々の構成部品またはグリップ層の材料として、コストが安く、信頼性があるのは、グリップ・コア６では硬質プラスチックであり、一方、グリップ・コア被覆９および外部層１１（外側の層２７）には第一の軟質材料２２が使用され、軟質層１０（内側の層２８）には第二の軟質材料２３が使用される。その際、両方の軟質材料は、硬度がそれぞれ異なっている。つまり、外側の層２７は、内側の層２８よりも硬い。使用可能な材料は、熱可塑性エラストマ（ＴＰＥ）、熱可塑性プラスチック・ポリウレタン（ＴＰＵ）、熱可塑性プラスチック・ポリオレフィン（ＴＰＯ）、ポリプロピレン、ＥＰＤＭカウチュック、ＰＶＣまたはスチロール・ブロック重合体が使用される（これらの材料だけに制限されるものではない）。ここに列挙した材料は多孔質構造を有するが、優先的には閉じた非多孔質構造を有する。
【００８４】
使用されるプラスチックの硬度は、とくに軟質層１０または内側の層２８または第二材料２３の場合、例えば１０〜５５ショアＡである。グリップ・コア６、グリップ・コア被覆９および/または外部層１１（外側の層２８、第一材料２２）には、とくに、硬度３０〜１０５ショアＡ、優先的には３０〜８５ショアＡが使用される。グリップ・コア６は、優先的に圧入硬度４５〜６５Ｎ/ｍｍ２を有するプリプロピレンなどの硬質プラスチックによって製造される。
【００８５】
同様に、少なくともひとつの層が充てん材を有することが可能である。可能な充てん材としては、粒状コルク、粉末コルク、木材粉末などの顆粒またはグラスファイバーなど繊維状の充てん材が考えられる。グリップの層または構成部品の総重量に対する充てん材の重量割合は、例えば５０％以下であり、とくに５％〜３０％である。
【００８６】
ＩＩＩ.  製造方法
図１〜９に発明に基づく製造方法を示す。これは、また、「サンドイッチ法」または「間欠法」とも呼ばれ、少なくとも層の一部またはグリップの構成部品を製造する。
【００８７】
硬化したグリップ・コア６で覆われたシャフト２は鋳型１６の中にセットされ、この鋳型は、縦軸３−３を通る中心面で分割されている。鋳型１６の内形は、本質的に、製造されるグリップ１の形に対応する。図１〜６に示された実施例の場合、グリップ・コア６は先端部１７、１８を有する。先端部１７は、機能部品側を向き、半径方向の外側に向いた周辺フランジを有し、その部分で、グリップ・コア６が鋳型１６を半径方向に隙間なく満たしている。先端部１７の反対側にある先端部１８は、ほぼ球形のグリップ正面を形成し、この部分で先端部１８は、同様に半径方向へ隙間なく鋳型１６に接している。グリップ・コア６の円筒形の中央部分２６（場合によっては、追加のアイ８などが付いて）、先端部１７、１８および鋳型１６の内形によって、周辺方向に縦軸３−３の周りを囲むチャンバ１９が区切られている。周辺方向に向かい合っている２つの吸入口または注入ダクト２０、２１（以下、「吸入口」）は、半径方向にチャンバ１９内へ合流し、優先的には、チャンバ１９および後のグリップ１の半径方向の最大拡張部に配置されている。吸入口２０、２１を介して、まず、第一材料２２が鋳型１６およびチャンバ１９内に注入される。第一材料２２の注入量は、チャンバ１９の容量よりも小さい。第一材料２２は、グリップ・コア６の外被面上に注入され、および/または、鋳型空洞を区切っている壁の方向へ向きを変え、ここで冷却される。それによって、グリップ・コア６に隣接して、または鋳型空洞を区切る壁の部分で、第一材料２２は急速に冷却されるか、他の部分よりも粘性が高くなる。
【００８８】
続いて、第一材料の最終的な硬化の前に、図３および図４に従って、同じ吸入口２０、２１を介し、第二材料２２が、チャンバ１９および第一材料２２の中へ、また第一材料の下へ、あるいは第一材料を突き抜けて注入される。第二材料は、吸入口２０、２１から半径方向のダクト２４を通り、第一材料２２の内部またはその下へ流れ込む。第二材料２３の注入が増えるに従って、第一材料２２は、縦軸３の方向および先端部１７、１８方向および半径方向の鋳型空洞の壁の方向へ押し寄せ、その際、第二材料２３は、半径方向の外側、半径方向の内側、両方の軸方向へ、上述のダクトに達するまで第一材料２２によって覆われる。第一材料２２がグリップ・コア６との接触部分であらかじめ冷却されていることにより、第二材料２３は、グリップ・コア６まで達しない。第一材料は、その表面層が第二材料よりも、すでに若干冷却されているため、表面層は第二材料によって突き破られることはない。第二材料２３は、第一材料２２を半径方向の外側へも押しやり、それによって、第一材料は、外部層１１または外側の層２７を形成する。説明された軸方向への押し出しの他に、第一材料２２によって囲まれている第二材料２３は、両方の吸入口２０、２１から、グリップ・コア６の周りを周辺方向へ広がり、それによって、最後に反対方向へ流れた材料と接触する。材料２２の外部層は、すでにある程度冷却されているので、外部層は、材料２３によってそれ以上突き破られたり、粘性が高くなったりすることはなく、材料２２の外部層は、接触する材料の流れに融合して、その際、グリップ・コア両側のほぼ同一面上で壁を形成し、これは、第一材料２２の半径方向のウェブまたは突起部１２として残り、グリップ・コアの周囲を形成する第一材料の層、同様に第一材料によるグリップ・コア被覆９、外部層１１または外側の層２７を一体形成で接続する。グリップ・コア被覆９の周りを前後方向にも形成しているこれらのウェブ１２は、グリップのねじり剛性を高め、外部層１１からグリップ・コア６へのトルクの伝達を補強する。
【００８９】
射出成形のために選択された温度条件、粘性および注入速度は、周辺方向へのこうしたアプローチによって、この部分が終了するのではなく、この部分では、半径方向に貫通するウェブ１２にも、半径方向に貫通しないウェブ１３にもなるように適切に調整される。
【００９０】
第二材料２３の注入が終了すると、チャンバ１９は完全に満たされる。ダクト２４は、グリップ１の製造が終了しても、さらに第二材料を充てんすることができる。さらに、製造工程の終わりで、もう一度第一材料２２を少量注入し、ダクト２４およびグリップの注入口を第一材料で満たして閉じることが可能である。図に示された製造方法の実施例では、吸入口２０、２１が１２時のポジションならびに６時のポジションにあり（図６を参照）、一方、突起部１２は、３時のポジションおよび９時のポジションに伸びている。軟質層１０または内側の層２８は、第二材料２３によって形成されている。作成されたグリップ・コア被覆９または外部層１１の半径方向の広がりは、軟質層１０の広がりよりも小さく、とくに、軟質層１０の半径方向への広がりの１/３、１/５、１/８または１/１０よりも小さい。
【００９１】
注入量の設定によって、層２７、２８の厚さを一定に規定することとは別に、外側の層２７の厚さは鋳型空洞の壁の温度（または壁と注入材料との間の温度差）によっても影響を与えることができる。低い温度の場合、注入された第一材料の外層は、高い温度の場合よりも速く冷える。その結果、外側の層２７の厚さは、注入プロセスのその他のパラメータが同じ場合では、高温の場合よりも低温の場合のほうが増加する。
【００９２】
本方法を使うには、第一材料２２と第二材料２３のための個別コンポーネントで溶融物を供給し、特殊な機械制御プログラムと特別な機械のバルブ機構とによって、鋳型１６に注入される材料２２、２３の迅速かつ正確な配合作業を可能にする２つの射出成形ユニット付き射出成形機が必要である。驚いたことに、注入口２０、２１の数および位置ならびに注入速度および注入圧力、溶解温度および鋳型とグリップ・コアの温度によって、グリップ・コア被覆９、軟質層１０、外部層１１、突起部１２および軸方向の広がりに影響を及ぼし得ることが発見された。
【００９３】
サイズが１０５ｍｍのスクリュー・ドライバー用グリップで、実施例を限定しない場合では、以下の注入パラメータが用いられた。
第一材料２２の注入時の注入圧力：                  ８００ｂａr
第一材料２２の注入体積流量率：                    ４０ｃｃｍ/秒
４点による注入圧プロファイルは、低下しながら制御
溶解温度：                ４つのゾーンで１８０−２１０℃
第二材料２３の注入時の注入圧力：                  １,０００ｂａr
第二材料２３の注入体積流量率：                    ５０ｃｃｍ/秒
４点による注入圧プロファイルは、低下しながら制御
溶解温度：                ４つのゾーンで１８０−２１０℃
上記のパラメータは、グリップの形状、デザイン、使用プラスチックの種類および機械に応じて、とくに２０％または１０％の範囲で、大きく上下に変動する。
【００９４】
図に示した２つの吸入口２０、２１を有する実施形態とは別に、任意の吸入口の数を軸方向および/または周辺方向に分配することができる。その際、場合によって、軸方向に多数の吸入口２０、２１がある場合、ウェブもまた、軸方向に相次いで動くフィード流によって生じ、それによって、ウェブが周辺方向へ環状に形成され得る。周辺方向へ環状に流れるフィード流の場合、とくに、隣り合う吸入口と吸入口との間に突起部１２が形成され、それによって、例えば、吸入口を周辺方向に３つに分配した場合、３つの突起部１２が形成される。図１〜６のように、吸入口２０、２１を左右対称に配置する以外に、吸入口を非対称的に配置することも同様に可能である。これによって、非対称の突起部１２が形成され、その結果、グリップ１の剛性特性が非対称的になる。突起部の位置をずらすことは、吸入口からの注入速度および/または圧力を変更することによっても達成される。
【００９５】
図７〜９は、前述したプライヤ５０のプライヤ・リム２５用グリップの製造方法を示している。このようなグリップ１の実施形態では、グリップ・コア６がないため、グリップ・コア被覆９が直接プライヤ・リム２５のシャフト２の上に配置されている。プライヤ・リム２５の外面には、吸入口２０のみが配置されている。図に示された製造方法では、材料２２、２３の注入条件は、第二材料２３が軟質層１０（内側の層２８）を形成し、シャフト２周辺の一部分だけに広がるように調整される。それによって、第一材料２２が外被面１４の内側で、第一の近接部において、２つのチャンバが外方向へ相互に並ぶ８の字形の断面（丸みのある外形）を形成する。その際、内側チャンバにはシャフト２が配置され、一方、外側のチャンバは第二材料２３が充てんされている。プライヤで使用するグリップ１の場合、第二材料２３は、使用者の持ち手部分にあたる太い断面部分にのみ広がり、グリップ１の前後方向の長さのほぼ１/３〜２/３の範囲に広がっている。ここでは、軟質層１０（内側の層２８）が第二材料によって、一種の弾性のあるクッションを形成し、一方、第一材料２２は、硬質材料によって、負荷に耐えるようにプライヤ・リム２５と接続している。
【００９６】
別の製造方法の場合、グリップ１は、少なくとも２つの構成部品で製造され、その際、グリップ１の半径方向の外側に配置された構成部品が、内側に凹部をもつように製造される。この部分では、構成部品の接合が、半径方向の内側にある構成部品によって可能である。突起部５、８、１２、１３によって、場合によっては材料結合的接続ではないにもかかわらず、構成部品間のねじりモーメントを伝達することができる。同様に、材料結合的接続は、少なくとも２つの構成部品を接合することによって製造できる。構成部品の固定は、構成部品を接合した後で、摩擦や形状結合的な接続、弾性のあるスナップ方式またはロック方式によっても行うことができる。外側にある構成部品は、この場合、すでに説明したサンドイッチ方式によって製造することができる。
【００９７】
ＩＶ.  工具用グリップのその他の実施例
以下の実施形態は、すでに第III章で述べた製造方法によって製造され、その際、第I章に列記した可能な形態および選択肢を以下の実施形態に転用することができ、全構成部品および層の材料構成については、第II章に従って、ひとつの実施形態について選択が可能である。
【００９８】
図１０、１１に示された実施形態におけるグリップは、次のように構成されている。シャフト２は、先端部１７、１８およびセンタ部分２６をもつグリップ・コア６によって覆われている。センタ部分２６は、グリップ・コア被覆９によって覆われた、主として円筒形の外被面を有する。突起部８は、グリップ・コア６と一体形成で、グリップ・コア６からグリップ・コア被覆９を通り抜けて伸び、その際、図１１に示された断面では、突起部８が１２時のポジションと６時のポジションに配置されている。突起部８とグリップ・コア被覆９は、軟質層１０によって周辺方向に連続して取り囲まれており、その際、軟質層１０はさらに、周辺方向に環状に形成され、外被面１４を形成する外部層１１によって取り囲まれている。軟質層１０は、軟質プラスチックで作られた内側の層２８を形成し、その外側に外部層１１とともに外側の硬い層２７が材料結合的に接続されている。第一材料および、それによって外側の層２７の材料で作られた追加の層９が、グリップ・コア被覆９を形成している。グリップ・コア６には、突起部８が一体形成で取り付けられている。図１０に示されている縦断面において、突起部８の外形が外被面１４の外形に対して平行になっているのが分かり、それによって、グリップ１の内側の層２８の半径方向への広がりは、前後の軸３−３の方向へほぼ一定している。突起部８は、外側の層２７の軸方向の一部にかけてのみ伸びており、それによって、グリップ１の前方部分では、外側の層２７が材料結合的にグリップ・コア被覆９と直接接続されている。突起部８は、図１１に示されているように、向き合って配置するか、図に示されていない形で周辺方向にずらして配置することができる。図に示された実施形態では、突起部８が長方形の断面をしており、その際、突起部は、これとは別に、少し外側に近く、上部エッジを丸くしたり、厚さも縮小したりするなど、任意の形に形成することもできる。
【００９９】
外側の層２７または外部層１１には、硬度３０〜８５ショアＡ、優先的には４０〜６０ショアＡのプラスチック、軟質層１０または内側の層２８には、硬度１０〜５５ショアＡ、優先的には１５〜３０ショアＡのプラスチックの使用が適切であることが判明している。同じタイプのプラスチックでも、異なるタイプのプラスチックでも、それらの材料結合が互いに良好な場合には使用可能である。場合によっては、突起部８の上部エッジと外側の層２７との間でも良好な材料結合的接続が得られなければならない。
【０１００】
図１２および１３には、図１０および１１に対応するグリップ・コア６に突起部８が付いていない、その他のグリップ１の実施形態が示されている。その代り、少なくともグリップ・コア６の一部の断面がほぼ長方形であり、グリップ・コア６は周辺方向にグリップ・コア被覆９で完全に囲まれている。グリップ・コア６のこのような長方形の断面は、前後方向の長さ２９のほぼ全体に伸びており、主として、長方形の長さと幅の比が変化しているか、または長方形の長さが小さくなる。
【０１０１】
図１４に示されているその他のグリップ１の実施形態の場合、軟質層１０によって形成されている内側の層２８は、グリップ・コア６およびグリップ・コア被覆９の外形に応じて、６つの角をもつ星形に形成されている。内側の層２８は、１２時、２時、４時、６時、８時、１０時のポジションに半径方向への最大の広がりをもつ。
【０１０２】
同様に、コテ用グリップの場合のように、外被面１４の形状とグリップ１の構造形態を左右非対称にすることも考えられる（図２３、２４を参照）。このようなグリップの場合、グリップ・コア６は、目的に合わせて、前後方向の長さ全体にわたってほぼ同じ形に保たれている。だが、断面の基本形状または半径方向に広がるグリップ・コア６内の突出部または突起部のどちらかによって、断面の形状を非円形にすることは有利である。通常、このようなグリップでは、スクリュー・ドライバーの場合のように、高いねじりモーメントを伝達する必要がないとしても、グリップを半径方向にある程度補強することは適切である。
【０１０３】
図１５および１６には、突起部８、１２が内側の層２８を突き抜けて伸びている実施例が示されている。グリップ・コア６から形成されている突起部８、１２は、その正面部分が材料結合的に外部層１１または外側の層２７に接続され、それによって、外部層１１とグリップ・コア６の丸い断面との間の接続が直接行われ、また強固になる。この例では、外部層１１または外側の層２７が厚くなっているが、これは、鋳型空洞の壁を強力に冷却することによって達成される。とくに、外側の層２７の半径方向への広がり４１は、グリップ１の直径が最大の個所で測定して、内側の層２８の半径方向への広がり４０の３０％〜１００％である。
【０１０４】
図１７には、本質的には図１５および１６に示された実施形態に対応しているが、伝達断面７が長方形であり、材料結合的に外部層１１および外側の層２７に接続されているグリップ・コア６を有するグリップ１の実施形態が示されている。
【０１０５】
図１８には、グリップ・コア６が先端部１７、１８を有し、その際、先端部１８は、使用者の手によって軸方向へ力を加えるための丸い頂部であるグリップの実施例が示されている。グリップ・コア６は、周辺部に同じ形で分配された６つの突起部１３を有する。図に示された実施例の場合、外部層１１（外側の層２７）とグリップ・コア被覆９は、図に示された実施例において、周辺方向に周りを取り囲む環状のフランジとして形成されている半径方向のウェブ４２によって互いに接続されており、縦断面の半分では、グリップ・コア被覆９、ウェブ４２および外部層１１が前方の開いた横Ｕ字型を形成している。グリップ・コア被覆９を形成する横Ｕ字の脚は、とくに、ほぼ前後方向の広がり２９によって形成されている外側の外被面１４の形成する脚よりも短くなっている。グリップ・コア被覆９は、突起部８、１３によって強化されている。グリップ・コア被覆９と外部層１１との間には、軟質層１０が配置されており、これが内側の層２８を形成する。また、グリップ・コア６は、第一剛性となる硬質プラスチックから形成されている。グリップ・コア被覆９と軟質層１０がグリップ・コア６の上に注入・製造されているとき、グリップ・コア６は、先端部１７および１８により、グリップ１の製造中、鋳型空洞の壁にぴったりと密着している。外部層１１は、第三剛性を有し、一方、軟質層１０は第二剛性を有している。第二および第三の剛性は、弾性のあるプラスチックによって、硬度を変えて形成されており、その際、第三剛性に使用されるプラスチックは、第二剛性に使用されるプラスチックよりも高い硬度を有している。手でグリップ１に力が加えられると、外部層１１および軟質層１０が空間的に変形し、グリップ１を握っている手の形に適合し、グリップと手の最適な連結が達成される。この方法によって、グリップ１は、様々な使用者の多様な形の手に適応する。グリップ・コア６、グリップ・コア被覆９、軟質層１０および外部層１１は、使用プラスチックの適切な選択によって、射出工程での溶接により材料結合的に相互に連結されている。これに加えて、とりわけ、ねじりモーメントを伝達しなければならないグリップの場合、突起部８、１３およびグリップ・コア被覆９および軟質層１０の内側部分の間では、形状結合的接続が行われる。グリップ・コア被覆９は、軟質層１０よりも高い硬度を有し、グリップ・コア６の表面と材料結合的に接続されているため、グリップ・コア被覆９は、ねじりモーメントの伝達に有効に働く。
【０１０６】
グリップ１の製造は、まず、グリップ・コア６が第一の射出成形鋳型で製造され、その際、シャフト２がグリップ・コア６の中に鋳込まれる。第二の射出成形鋳型において、グリップ・コア被覆９、軟質層１０および外部層１１が、鋳型の中にセットされたグリップ・コア６の上に間欠サンドイッチ法に従って射出される。最初に、グリップ・コア被覆９、ウェブ４２および外部層１１（外側の層２７）を形成する第一材料２２が鋳型の中に注入され、その後すぐ、硬化する前に、軟質層１０（内側の層２８）を形成する第二材料のプラスチックが注入される。第二材料２３は、最初に注入された、まだ部分的に液状の第一材料２２を鋳型空洞の壁またはグリップ・コア６の壁に押しやり、それによって、グリップ・コア９、ウェブ４２および外部層１１が形成される。このような手順を介して、グリップ１の表面の外部層１１を厚い層として形成することが可能となる。この層の厚さは、例えば、材料２２、２３の割合と配合量および/または射出成形のパラメータなどによって調整できる。いずれにしても層の厚さは、作業時にグリップ１を包み込む手によって力が作用する際に、外部層１１および軟質層１０の半径方向の変形がなくならないように、しかし、一方では、スクリュー・ドライバー用グリップを使用する場合に必要なねじりモーメントを十分伝達できるように調整される。外部層の厚さは、およそ０.５〜２.５ｍｍが適当であることが判明した。その際、外被面１４の厚さは変えることができる。外部層１１の形成には、化学物質、油脂またはオイルに対して、使用に十分な耐性をもつ材質またはプラスチックが使用される。このような耐性は、軟質層１０に使用されるプラスチックには必ずしも必要ではないため、場合によっては経費を節約することができる。材料２２、２３の硬度および種類またはタイプの組み合わせは、ひとつには、これらの材料が相互に、そしてグリップ・コア６と材料結合的に十分結合するように、もうひとつは、必要な変形が得られるように選択される。
【０１０７】
このようなグリップ１は、選択的に、以下のように製造することができる。
‐  先端部４３、グリップ・コア被覆９、軟質層１０（内側の層２８）および外部層１１（外側の層）とともに、ある種のグリップ・スリーブを別個に製造する、または、
‐  グリップ・コア６で覆われたシャフト２とともに他の構成部品を別個に製造する。
この場合、最初に述べた構成部品の中に、例えば、適切な鋳型中子を用いて、長軸３−３の方向に走る中央の空洞を作り、これは、グリップ６の該当する外被面と形状結合的に接続するため（例えば、突起部８、１３を取り付けるため）、非円形の断面を有することができる。選択的に、この空洞は、前後方向に走る形成ポケットのある、６角形または円形の断面を有することができる。空洞を製造するための鋳型中子の周りには、すでに説明したように、第一材料２２からなる硬度の高いプラスチックでできたグリップ・コア被覆９が形成される。グリップ・コア６は、対応する断面、すなわち、同様に６角形または円形断面を有し、この断面は、最初の構成部品のポケットにかみ合う、半径方向に突き出した突起部８、１３をもち、非円形の断面を介して、ねじりモーメントを伝達することができる。両方の断面の寸法および公差は、第一構成部品がぴったりと合ってグリップ・コア６へ押し込むことができるように相互に調整されている。目的に応じて、両方の構成部品はさらに互いに接着することができる。先端部４３は、周辺に分配された突起４４または環状の突出部を有し、これは、スナップ方式で形状結合的にグリップ・コア６に配置された溝４５の中に納まっている。このような突起４４と溝４５のスナップ方式による接続によって、軸方向にロックがかかる（場合により、交換可能）。当然、スナップ接続は、他の方法でも形成可能であり、また、別の方法によって軸方向のロックを準備することができる。
【０１０８】
図１９に示されたグリップ１の実施形態の場合、外被面１４は、グリップ・コア６の先端部１７、１８が半径方向に拡大されて形成されている。先端部と先端部の間には、弾性をもつグリップ１の部品が配置されており、この部分は、軟質層１０（内側の層２８）ならびに縦断面において軟質層１０を密閉しているグリップ・コア被覆９および外部層１１（外側の層）による被覆によって形成されている。この弾性のあるグリップ部品を、まず、独自の射出成形部品として、同様にサンドイッチ法で製造し、柔軟に広げながら、後部から先端部１８にかけてグリップ・コア６の上に取り付けるか、あるいは、すでに言及した実施形態で説明したように、サンドイッチ法で直接グリップ・コア６の上にこのグリップ部品を射出することができる。
【０１０９】
図２０に示された実施例の場合は、グリップ１において、グリップ・コア６がグリップ１の先端まで連続しないように形成されている。むしろ、グリップ・コア６の先端部１８は、同様にグリップ・コア被覆９、軟質層１０（内側の層２８）および外部層１１（外側の層２７）によって覆われており、それによって、外部層１１が正面の外被面または丸い頂部を形成する。この実施例によるグリップの場合、少なくともひとつの、または唯一の吸入口２０をグリップ１の先端部中央に配置することが有効である。
【０１１０】
図２１に示された実施例の場合、グリップ・コア６は、先端部１８の半径方向への膨張がないまま、グリップ１の先端部まで続いている。
【０１１１】
図１８〜２１に示された実施例の場合、軟質層１０または内側の層２８は、とくに、硬度１０〜４５ショアＡの密閉構造で、プラスチックの鋳型において第二材料２３により形成される。選択的に、軟質層１０は、多孔質構造で形成することができ、その初期硬度は２０〜８０ショアＡである。外部層１１（外側の層２７）および/またはグリップ・コア被覆９には、第一材料がプラスチック鋳型において使用され、硬度は３０〜１０５ショアＡ、とくに３０〜８５、優先的には４０〜６０ショアＡである。軟質層１０の半径方向への広がりは、外部層１１および/またはグリップ・コア被覆９の広がりよりも大きい。グリップ・コア９および/または外部層１１の厚さは、０.５〜４ｍｍである。グリップ・コア６は、グリップの丸い先端を形成する頂部を有しており、その直径は、シャフトまたはグリップ・コア６の中心部２６の直径よりも大きい。選択的に、グリップ・コア６は、丸い頂部をもたないようにもでき、シャフトまたは中心部２６がグリップ１の先端まで、連続する一定の断面になるようにすることが可能である。さらに、グリップ・コアが、グリップ１の先端まで連続していないように形成することも可能である。
【０１１２】
図２２〜２４に示されたグリップの実施形態は、コテに使用される。グリップ１は、図２３に示された縦断面に従って、前方先端部４７、中央部２６および後方先端部４８を有している。先端部４７、４８は、それぞれグリップ・コア６の半径方向への広がりによって形成されている。中央部２６は、すでに示した実施形態に従って、グリップ・コア被覆９、第二材料２３による軟質層１０（内側の層２８）および第一材料２２による外部層１１（外側の層２７）によって形成され、その際、図に示された実施形態には、外部層１１およびグリップ・コア被覆９が、先端部４７、４８の移行部分において、ウェブ４２またはフランジ様の前面の層によってそれぞれ材料結合的に相互に接続されており、それによって、軟質層１０は硬い材料２２による層によって完全に覆われている。グリップ・コア被覆９、軟質層１０および外部層１１は、サンドイッチ法での材料２２、２３の注入によって製造される。図２４に示されたグリップ１の断面から、これが前後方向の軸３−３を横切る軸４９−４９に対して、非対称であることが分かる。もちろん、グリップは対称的な形にすることもできる。
【０１１３】
図１８〜２６で示されているように、グリップ１の内部では、材料２２によるグリップ・コア被覆９と外部層１１との間は、必ずしもウェブや突起部によって連続的に接続されていない。というのも、そのようなウェブによる接続は、サンドイッチ法の場合、どうしても自動的には生じないからである。
【０１１４】
図２５、２６に示した実施例の場合、下の図において、グリップ・コア６の突起部８、１３が準備され、これらは、図２６で分かるように、両方の半径方向に向かってグリップ・コア被覆９を通り抜け、軟質層１０（内側の層２８）へ伸びている。この場合、６つの突起部８、１３は均等に周辺方向へ配分され、その際、２つの向かい合う突起部８、１３は、その他の突起部８、１３に対して、半径方向への伸びが大きくなっている。しかし、また、すべての突起部が半径方向へ同一の伸びをもつようにすることも可能である。図１０、１１の例とは異なり、突起部は、層１０の中へ深く伸びていない。従って、ねじり剛性は、図１０、１１のグリップよりも少ない。鋳型および注入ダクトの設置ならびにプロセスの調整が適切であり、図に示されたグリップ１を間欠サンドイッチ法で製造する場合には、しかし、ウェブ１２がグリップ・コア６またはグリップ・コア被覆９と外部層１１との間に形成され、このウェブは、図２７および図２５の上半分から分かるように、軸方向における層１０の広がり全体に及んでいる。
【０１１５】
図２８は、プライヤ・リム２５用グリップの実施形態を示している（図７、８、９も参照）。プライヤ・リム２５に取り付けられている下部５１は、硬質プラスチックで覆われている。上部５２は、プライヤ・リム２５の外側の面で下部５１と材料結合的に接続されており、その際、この接続の場合には、下部５１がスクリュー・ドライバー用実施例のグリップ・コア６に匹敵する。上部５１は、軟質層１０または内側の層２８で形成され、これは、断面図において、互いに移行し合う外部層１１または外側の層ならびに「グリップ・コア被覆」９によって完全に囲まれている。上部５２と下部５１とが接続して構成されているグリップ１の製造は、後付けの個別部品としてプライヤ・リムに取り付けることもできるし、スクリュー・ドライバーのグリップ・コア６の上に層１０、１１を射出成形するように、サンドイッチ法においてプライヤ・リム２５の上へ直接射出成形することも可能である。
【０１１６】
図２９、３０は、グリップ１の実施形態を有するハンマー５３の縦断面図と横断面図である。少なくとも、使用者の手によって握られるグリップの範囲には、グリップ１がグリップ・コア被覆９、軟質層１０（内側の層２８）および外部層１１（外側の層２７）によって形成され、これらはサンドイッチ法で製造することができる。図に示された実施形態とは別に、ハンマーの柄は、スクリュー・ドライバー用グリップでの丸い頂部１８のような、空洞内に密着するエンド・ピースを装備することもできる。
【０１１７】
図３１および３２に示された実施例は、硬質のプラスチックによるグリップ・コア被覆９なしに製造されている。その代り、グリップ・コア６は、向かい合って配置された両方の突起部８、１３が直接または間接的にグリップ・コア被覆９を相互に接続する形で、軟質層１０（内側の層２８）によって覆われており、この層はサンドイッチ法で製造され、第二材料２３によって形成されている。軟質層１０は、半径方向の外側で外部層１１（外側の層２７）によって覆われ、この層はサンドイッチ法で製造され、第一材料２２によって形成されている。外部層１１の厚さは、この形態の場合、鋳型空洞に注入される材料２２と２３の量を適切に配合し、鋳型空洞の壁を強力に冷却することによって、優先的には、グリップの大きさに応じて、２〜４ｍｍの範囲で調整される。それによって、層２７、２８の接続は、突起部８、１３が軟質層１０に深く入っていなくても、すでに良好なねじり剛性を得ている。ねじり剛性をさらに向上させるには、突起部８を外部層１１（外側の層２７）の内面まで延長することによって可能である。極端な場合には、突起部が外部層２７に材料結合的に接合する（図１５、１６を参照）。ねじり剛性を高めるには、グリップ・コア６自体がほぼ長方形の断面をもち、材料結合的に外部層１１の内面に接合することによって可能となる（図１７を参照）。
【０１１８】
図３３は、ほぼ同じ軸方向のポジションで、３つの吸入口２０、２１、５４が周辺方向に均等に配分された、発明に基づく方法の実施形態を示している。この方法で、吸入口２０、２１、５４間の周辺方向の中央部に、３つの突起部１２を製造することができ、これらの突起部は、軸方向と半径方向に伸びている。
【０１１９】
図３４は、２つの吸入口２０、２１が周辺に向かい合って配置されているが、軸方向にはずれた位置に配置され、発明に基づく方法の実施形態を示している。この場合、説明したサンドイッチ法では、周辺方向に閉じられているか、前後方向の軸３−３を中心に周る螺旋形に形成され、層９と１１を結ぶ突起部１２が生じている。図に示された実施形態とは異なり、吸入口２０、２１が、周辺方向に向き合わないでずれている場合には、生じる突起部１２は、前後方向の軸に対して横方向の面に伸び、一方、図に示された実施形態では、前後方向の軸３−３に対して螺旋の勾配角γが生じる。注入条件および注入口２０、２１の場所によって、螺旋の勾配角γを規定することができる。
【０１２０】
優先的に、本発明は、様々な工具のためのグリップのみならず、サイズやシャフトの形が異なる工具セット用のひとつまたは複数のグリップにも適用される。
【０１２１】
スクリュー・ドライバー用グリップの場合、多孔質な層の形態は優先されない。発明に基づく方法は、スクリュー・ドライバー用グリップのような左右対称の断面をもつグリップの製造に使用することができるが、また、ＥＰ００９０７４４８.５およびＥＰ０１９１５０００.２の申請者によるコテ用グリップまたはハンマー用グリップのように、左右非対称の断面をもつグリップにも使用できる。発明の形態では、硬質プラスチックによるグリップ・コアの横断面積が既成グリップの横断面積と比べて小さく、そのことによって、弾性のある、柔軟な層の容量を比較的大きくできることが、本方法に基づいて製造されるグリップに特徴的なことである。従って、このグリップは、硬質プラスチックによるグリップ・コアの断面積が軟質プラスチックによるグリップ被覆の断面積に比べて大きいという、従来の技術による２つの構成部品からなるグリップとは異なっている。
【図面の簡単な説明】
【００６９】
以下に、図に示された優先的な実施例を使って、本発明をさらに説明する。
【００００】
【図１】第一材料および第二材料を同一鋳型へ連続注入するサンドイッチ法における、発明に基づいたスクリュー・ドライバー用グリップの製造を示した図。
【図２】第一材料および第二材料を同一鋳型へ連続注入するサンドイッチ法における、発明に基づいたスクリュー・ドライバー用グリップの製造を示した図。
【図３】第一材料および第二材料を同一鋳型へ連続注入するサンドイッチ法における、発明に基づいたスクリュー・ドライバー用グリップの製造を示した図。
【図４】第一材料および第二材料を同一鋳型へ連続注入するサンドイッチ法における、発明に基づいたスクリュー・ドライバー用グリップの製造を示した図。
【図５】第一材料および第二材料を同一鋳型へ連続注入するサンドイッチ法における、発明に基づいたスクリュー・ドライバー用グリップの製造を示した図。
【図６】第一材料および第二材料を同一鋳型へ連続注入するサンドイッチ法における、発明に基づいたスクリュー・ドライバー用グリップの製造を示した図。
【図７】第一材料および第二材料を同一鋳型へ連続注入するサンドイッチ法における、プライヤ用グリップの製造を示した図。
【図８】第一材料および第二材料を同一鋳型へ連続注入するサンドイッチ法における、プライヤ用グリップの製造を示した図。
【図９】第一材料および第二材料を同一鋳型へ連続注入するサンドイッチ法における、プライヤ用グリップの製造を示した図。
【図１０】丸い基本断面と２つの対面する周辺面に突出した突起部のあるグリップ・コアを有する、発明に基づいたグリップの実施形態の縦断面図と横断面図。
【図１１】丸い基本断面と２つの対面する周辺面に突出した突起部のあるグリップ・コアを有する、発明に基づいたグリップの実施形態の縦断面図と横断面図。
【図１２】第一の近接部分に長方形のグリップ・コアを有する、発明に基づくグリップの実施形態の縦断面図と横断面図。
【図１３】第一の近接部分に長方形のグリップ・コアを有する、発明に基づくグリップの実施形態の縦断面図と横断面図。
【図１４】断面で星形のグリップ・コアを有する、発明に基づくグリップの実施形態を示した図。
【図１５】発明に基づくグリップ実施形態の縦断面図と横断面図。この場合、グリップ・コアは、内部層を通過して比較的厚いグリップ外部層まで伸びる隆起部を有している。
【図１６】発明に基づくグリップ実施形態の縦断面図と横断面図。この場合、グリップ・コアは、内部層を通過して比較的厚いグリップ外部層まで伸びる隆起部を有している。
【図１７】発明に基づくグリップの実施形態の横の断面図。この場合、図１５および１６に示された実施例とは異なり、第一の近接部に長方形の断面をもつグリップ・コアが準備され、その断面は内部層を通過して外部層まで伸びている。
【図１８】発明に基づくグリップの実施形態の縦断面図。この場合、グリップはスナップ式接続によって、または軸方向の形状結合によって互いに接続された２つの構成部品で形成されている。
【図１９】発明に基づくグリップの実施形態の縦断面図。この場合、グリップ・コアがダンベル形の先端部を有し、端部と端部との間で、グリップ・コア中間部の周りにグリップ・コア被覆、内部層および外部層が広がっている。
【図２０】
発明に基づくグリップの実施形態の縦断面図。この場合、グリップ・コアがグリップの終端まで伸びておらず、グリップ・コアの終端がグリップ・コア被覆、柔らかい内部層および外部層によって覆われている。
【図２１】発明に基づくグリップの実施形態の縦の部分断面図。この場合、グリップ・コアが終点部分で変化しないまま、連続する断面で形成されている。
【図２２】発明に基づく、コテ用グリップの実施形態。グリップ付きコテを上から見た図ならびにグリップの縦断面図および横断面図。
【図２３】発明に基づく、コテ用グリップの実施形態。グリップ付きコテを上から見た図ならびにグリップの縦断面図および横断面図。
【図２４】発明に基づく、コテ用グリップの実施形態。グリップ付きコテを上から見た図ならびにグリップの縦断面図および横断面図。
【図２５】図２５の下半面と関連した、発明に基づくグリップの実施形態の縦および横断面図。この場合、グリップ・コアの突起部がグリップ・コア被覆を貫通し、硬い外部層によって覆われた内部層に伸びている。
【図２６】図２５の下半面と関連した、発明に基づくグリップの実施形態の縦および横断面図。この場合、グリップ・コアの突起部がグリップ・コア被覆を貫通し、硬い外部層によって覆われた内部層に伸びている。
【図２７】図２５の上半面と関連した、発明に基づくグリップの実施形態の横断面図。この場合、グリップ・コアの突起部が、一体形成で外部層をグリップ・コア被覆と接続し、外部層とグリップ・コア被覆との間に配置された柔らかい内部層を貫通するウェブに移行している。その際、周辺方向の内部層はウェブによって中断されている。
【図２８】発明に基づくプライヤ・リム用グリップの実施形態断面図。図８および９に類似。
【図２９】発明に基づくハンマー用グリップの実施形態の縦および横断面図。
【図３０】発明に基づくハンマー用グリップの実施形態の縦および横断面図。
【図３１】発明に基づくグリップ実施形態の縦および横断面図。この場合、突起部をもつグリップ・コアが柔らかい層によって覆われており、さらにその層が固い、比較的厚い外部層によって覆われている。
【図３２】発明に基づくグリップ実施形態の縦および横断面図。この場合、突起部をもつグリップ・コアが柔らかい層によって覆われており、さらにその層が固い、比較的厚い外部層によって覆われている。
【図３３】発明に基づいて、サンドイッチ法でグリップを製造するための鋳型の横断面図。この場合、鋳型は、周辺に配分された３つの吸入口を有している。
【図３４】発明に基づいて、サンドイッチ法でグリップを製造するための鋳型の縦断面図。この場合、鋳型は、軸方向にずれた吸入口を有している。
【符号の説明】
【０１２２】
１            グリップ
２            シャフト
３            長軸
４            シャフトの伝達断面
５            突起部
６            グリップ・コア
７            グリップ・コアの伝達断面
８            グリップ・コア突起部
９            グリップ・コア被覆
１０            軟質層
１１            外部層
１２            突起部またはウェブ
１３            突起部
１４            外被面
１５            アイ
１６            鋳型、鋳型空洞
１７            先端部
１８            先端部
１９            チャンバ
２０            吸入口
２１            吸入口
２２            第一材料
２３            第二材料
２４            ダクト
２５            プライヤ・リム
２６            中間部
２７            外側の層
２８            内側の層
２９            前後方向の広がり
３０            突起部の伸び/長方形の伝達断面
３１            グリップ・コア半径
３４            外被面半径
４０            半径方向の広がり
４１            半径方向の広がり
４２            ウェブ、フランジ
４３            先端部
４４            突起
４５            溝
４６            コテ
４７            前方先端部
４８            後方先端部
４９            横軸
５０            プライヤ
５１            下部
５２            上部
５３            ハンマー
５４            吸入口
【国際調査報告】
2009520609.tif 000037
2009520609.tif 000038
2009520609.tif 000039
2009520609.tif 000040
2009520609.tif 000041
2009520609.tif 000042